(57)【要約】  本明細書で説明される液体注入システム（１０２）が、注入ポンプ（１２８）、ハンドヘルドモニタまたはハンドヘルドコントローラ（１３８）、生理学的センサ（１３０）、および臨床モニタまたは病院モニタ（１４０）などの、いくつかのローカル「身体ネットワーク」デバイスを含む。身体ネットワークデバイスは、互いの間におけるステータスデータ、生理学的情報、警告、制御信号、およびその他の情報の通信をサポートするように構成されることが可能である。さらに、身体ネットワークデバイスは、身体ネットワークデバイスと、「外部の」デバイス（１０４）、システム、または通信ネットワークとの間におけるステータスデータ、生理学的情報、警告、制御信号、およびその他の情報のネットワーク化された通信をサポートするように構成されることが可能である。そのような外部通信は、注入システム（１０２）が、従来の短距離ユーザ環境を超えて拡張されることを可能にする。
2009535715.tif 000002
【特許請求の範囲】
【請求項１】
医療デバイスシステム（１００）のためのモニタデバイス（５００）であって、
前記医療デバイスシステム（１００）内の送信デバイスからローカル通信を受信するように構成された第１の通信モジュール（５０４）と、
前記ローカル通信の中で伝送される情報を解釈するように構成された、前記第１の通信モジュール（５０４）に結合された処理アーキテクチャ（５１４）と、
前記情報に応答してネットワーク通信を生成するように構成された、前記処理アーキテクチャ（５１４）に結合された第２の通信モジュール（５１０）と、
モニタデバイス（５００）から前記医療デバイスシステム（１００）の外部の受信デバイスに前記ネットワーク通信を送信することを可能にする、前記第２の通信モジュール（５１０）に結合されたネットワークインターフェース（５１２）と、
を含むことを特徴とするモニタデバイス（５００）。
【請求項２】
請求項１に記載のモニタデバイス（５００）であって、
前記第１の通信モジュール（５０４）は、前記ローカル通信に関して無線データ通信プロトコルをサポートするように構成されることを特徴とするモニタデバイス（５００）。
【請求項３】
請求項１に記載のモニタデバイス（５００）であって、
前記ネットワーク通信は、ユーザの生理学的データを伝送することを特徴とするモニタデバイス（５００）。
【請求項４】
請求項３に記載のモニタデバイス（５００）であって、
前記生理学的データは、グルコースレベルであることを特徴とするモニタデバイス（５００）。
【請求項５】
請求項１に記載のモニタデバイス（５００）であって、
前記ネットワーク通信は、前記送信デバイスのステータス情報を伝送することを特徴とするモニタデバイス（５００）。
【請求項６】
請求項１に記載のモニタデバイス（５００）であって、
前記ネットワーク通信は、前記送信デバイスの動作と関係する警告信号を伝送することを特徴とするモニタデバイス（５００）。
【請求項７】
請求項１に記載のモニタデバイス（５００）であって、
前記送信デバイスは、注入ポンプ（１２８）を含むことを特徴とするモニタデバイス（５００）。
【請求項８】
請求項７に記載のモニタデバイス（５００）であって、
前記ネットワーク通信は、前記注入ポンプ（１２８）によって前記ユーザに送られる液体の基礎レートを伝送することを特徴とするモニタデバイス（５００）。
【請求項９】
請求項７に記載のモニタデバイス（５００）であって、
前記ネットワーク通信は、前記注入ポンプ（１２８）によって前記ユーザに送られる液体のボーラスに関するボーラス情報を伝送することを特徴とするモニタデバイス（５００）。
【請求項１０】
請求項１に記載のモニタデバイス（５００）であって、
前記送信デバイスは、生理学的特性センサ（１３０）を含むことを特徴とするモニタデバイス（５００）。
【請求項１１】
請求項１０に記載のモニタデバイス（５００）であって、
前記生理学的特性センサ（１３０）は、連続グルコースセンサを含むことを特徴とするモニタデバイス（５００）。
【請求項１２】
請求項１に記載のモニタデバイス（５００）であって、
前記送信デバイスは、生理学的特性メータ（１３６）を含むことを特徴とするモニタデバイス（５００）。
【請求項１３】
請求項１２に記載のモニタデバイス（５００）であって、
前記生理学的特性メータ（１３６）は、血糖メータを含むことを特徴とするモニタデバイス（５００）。
【請求項１４】
請求項１に記載のモニタデバイス（５００）であって、
前記送信デバイスは、注入ポンプ（１２８）に関するリモートコントローラ（１３４）を含むことを特徴とするモニタデバイス（５００）。
【請求項１５】
請求項１に記載のモニタデバイス（５００）であって、
前記送信デバイスは、注入ポンプ（１２８）に関するハンドヘルドモニタ／コントローラ（１３８）を含むことを特徴とするモニタデバイス（５００）。
【請求項１６】
請求項１に記載のモニタデバイス（５００）であって、
前記第２の通信モジュール（５１０）および前記ネットワークインターフェース（５１２）は、前記ネットワーク通信のイーサネットに準拠する伝送をサポートするように構成されることを特徴とするモニタデバイス（５００）。
【請求項１７】
請求項１に記載のモニタデバイス（５００）であって、
前記第２の通信モジュール（５１０）および前記ネットワークインターフェース（５１２）は、ＩＥＥＥ８０２．１１プロトコルに準拠する前記ネットワーク通信の伝送をサポートするように構成されることを特徴とするモニタデバイス（５００）。
【請求項１８】
請求項１に記載のモニタデバイス（５００）であって、
前記第２の通信モジュール（５１０）および前記ネットワークインターフェース（５１２）は、前記ネットワーク通信のＢｌｕｅｔｏｏｔｈに準拠する伝送をサポートするように構成されることを特徴とするモニタデバイス（５００）。
【請求項１９】
請求項１に記載のモニタデバイス（５００）であって、
前記第２の通信モジュール（５１０）および前記ネットワークインターフェース（５１２）は、ページングネットワークプロトコルに準拠する前記ネットワーク通信の伝送をサポートするように構成されることを特徴とするモニタデバイス（５００）。
【請求項２０】
請求項１に記載のモニタデバイス（５００）であって、
前記第２の通信モジュール（５１０）および前記ネットワークインターフェース（５１２）は、セルラー遠隔通信プロトコルに準拠する前記ネットワーク通信の伝送をサポートするように構成されることを特徴とするモニタデバイス（５００）。
【請求項２１】
請求項１に記載のモニタデバイス（５００）であって、
前記第２の通信モジュール（５１０）および前記ネットワークインターフェース（５１２）は、コードレス遠隔通信プロトコルに準拠する前記ネットワーク通信の伝送をサポートするように構成されることを特徴とするモニタデバイス（５００）。
【請求項２２】
請求項１に記載のモニタデバイス（５００）であって、
前記第２の通信モジュール（５１０）および前記ネットワークインターフェース（５１２）は、ホームネットワークデータ通信プロトコルに準拠する前記ネットワーク通信の伝送をサポートするように構成されることを特徴とするモニタデバイス（５００）。
【請求項２３】
請求項１に記載のモニタデバイス（５００）であって、
前記第２の通信モジュール（５１０）および前記ネットワークインターフェース（５１２）は、衛星データ通信プロトコルに準拠する前記ネットワーク通信の伝送をサポートするように構成されることを特徴とするモニタデバイス（５００）。
【請求項２４】
請求項１に記載のモニタデバイス（５００）であって、
前記第２の通信モジュール（５１０）および前記ネットワークインターフェース（５１２）は、病院ネットワークプロトコルに準拠する前記ネットワーク通信の伝送をサポートするように構成されることを特徴とするモニタデバイス（５００）。
【請求項２５】
請求項１に記載のモニタデバイス（５００）であって、
前記第２の通信モジュール（５１０）は、前記ネットワーク通信を電子メールとして生成するように構成されることを特徴とするモニタデバイス（５００）。
【請求項２６】
請求項１に記載のモニタデバイス（５００）であって、
前記第２の通信モジュール（５１０）は、前記ネットワーク通信をポケットベルメッセージとして生成するように構成されることを特徴とするモニタデバイス（５００）。
【請求項２７】
請求項１に記載のモニタデバイス（５００）であって、
前記第２の通信モジュール（５１０）は、前記ネットワーク通信をテキストメッセージとして生成するように構成されることを特徴とするモニタデバイス（５００）。
【請求項２８】
請求項１に記載のモニタデバイス（５００）であって、
前記第２の通信モジュール（５１０）は、前記ネットワーク通信をボイスメールメッセージとして生成するように構成されることを特徴とするモニタデバイス（５００）。
【請求項２９】
請求項１に記載のモニタデバイス（５００）であって、
前記第２の通信モジュール（５１０）は、前記ネットワーク通信を発信される電話コールとして生成するように構成されることを特徴とするモニタデバイス（５００）。
【請求項３０】
請求項１に記載のモニタデバイス（５００）であって、
前記第２の通信モジュール（５１０）は、前記ネットワーク通信をマークアップ言語ドキュメントとして生成するように構成されることを特徴とするモニタデバイス（５００）。
【請求項３１】
請求項１に記載のモニタデバイス（５００）であって、
前記第２の通信モジュール（５１０）は、前記ネットワーク通信をオーディオ信号として生成するように構成されることを特徴とするモニタデバイス（５００）。
【請求項３２】
請求項１に記載のモニタデバイス（５００）であって、
前記第２の通信モジュール（５１０）は、前記ネットワーク通信をオーディオファイルとして生成するように構成されることを特徴とするモニタデバイス（５００）。
【請求項３３】
請求項１に記載のモニタデバイス（５００）であって、
前記第２の通信モジュール（５１０）は、前記ネットワーク通信をビデオ信号として生成するように構成されることを特徴とするモニタデバイス（５００）。
【請求項３４】
請求項１に記載のモニタデバイス（５００）であって、
前記第２の通信モジュール（５１０）は、前記ネットワーク通信をビデオファイルとして生成するように構成されることを特徴とするモニタデバイス（５００）。
【請求項３５】
請求項１に記載のモニタデバイス（５００）であって、
前記第２の通信モジュール（５１０）は、前記ネットワーク通信を、前記受信デバイスに関する制御信号として生成するように構成されることを特徴とするモニタデバイス（５００）。
【請求項３６】
請求項１に記載のモニタデバイス（５００）であって、
注入ポンプ（５１８）と、
前記注入ポンプ（５１８）の動作を制御するように構成された、前記注入ポンプ（５１８）に結合されたコントローラ（５２０）と、
をさらに含むことを特徴とするモニタデバイス（５００）。
【請求項３７】
前記ネットワークインターフェース（５１２）は、前記医療デバイスシステム（１００）の外部の発信元デバイスによって生成された、着信するネットワーク通信を受信するように構成され、
前記処理アーキテクチャ（５１４）は、前記着信するネットワーク通信の中で伝送されるデバイス情報を解釈するように構成される請求項１に記載のモニタデバイス（５００）であって、
モニタデバイス（５００）から前記医療デバイスシステム（１００）内のローカルデバイスに、前記デバイス情報に応答するローカルデバイス通信を送信することを可能にする、前記処理アーキテクチャ（５１４）に結合されたローカルデバイスインターフェース（５０２）をさらに含むことを特徴とするモニタデバイス（５００）。
【請求項３８】
請求項３７に記載のモニタデバイス（５００）であって、
前記着信するネットワーク通信は、前記ローカルデバイスに関するプログラミングデータを伝送することを特徴とするモニタデバイス（５００）。
【請求項３９】
請求項３７に記載のモニタデバイス（５００）であって、
前記ローカルデバイスは、注入ポンプ（１２８）を含み、前記着信するネットワーク通信は、前記注入ポンプ（１２８）に関する作動命令を伝送することを特徴とするモニタデバイス（５００）。
【請求項４０】
請求項３７に記載のモニタデバイス（５００）であって、
前記着信するネットワーク通信は、前記ローカルデバイスに関するステータス要求を伝送することを特徴とするモニタデバイス（５００）。
【請求項４１】
請求項３７に記載のモニタデバイス（５００）であって、
前記着信するネットワーク通信は、ユーザの生理学的データを求める要求を伝送することを特徴とするモニタデバイス（５００）。
【請求項４２】
請求項３７に記載のモニタデバイス（５００）であって、
前記着信するネットワーク通信は、前記ローカルデバイスに関する警告ディセーブル命令を伝送することを特徴とするモニタデバイス（５００）。
【請求項４３】
請求項３７に記載のモニタデバイス（５００）であって、
前記ローカルデバイスインターフェース（５０２）は、モニタデバイス（５００）と前記ローカルデバイスとの間の無線データ通信を可能にするように構成された無線インターフェースを含むことを特徴とするモニタデバイス（５００）。
【請求項４４】
請求項１に記載のモニタデバイス（５００）であって、
前記情報を表示するように構成された、前記処理アーキテクチャ（５１４）に結合されたディスプレイスクリーン（５０６）をさらに含むことを特徴とするモニタデバイス（５００）。
【請求項４５】
請求項４４に記載のモニタデバイス（５００）であって、
前記ディスプレイスクリーン（５０６）は、前記情報が警告信号を伝送すると、警告ステータスを示すように構成されることを特徴とするモニタデバイス（５００）。
【請求項４６】
ユーザ用の医療デバイスシステム（１００）のためのハンドヘルドモニタ／コントローラデバイス（１３８）であって、
前記医療デバイスシステム（１００）内の送信デバイスからローカル通信を受信するように構成された第１の通信モジュール（５０４）と、
前記ローカル通信の中で伝送される情報を解釈するように構成された、前記第１の通信モジュール（５０４）に結合された処理アーキテクチャ（５１４）と、
前記情報に応答してネットワーク通信を生成するように構成された、前記処理アーキテクチャに結合された第２の通信モジュール（５１０）と、
モニタ／コントローラデバイス（１３８）から前記医療デバイスシステム（１００）の外部の受信デバイスに前記ネットワーク通信を無線送信することを可能にする、前記第２の通信モジュール（５１０）に結合された無線ネットワークインターフェース（５１２）と、
を含むことを特徴とするハンドヘルドモニタ／コントローラデバイス（１３８）。
【請求項４７】
請求項４６に記載のハンドヘルドモニタ／コントローラデバイス（１３８）であって、
前記第１の通信モジュール（５０４）は、前記ローカル通信に関して無線データ通信プロトコルをサポートするように構成されることを特徴とするハンドヘルドモニタ／コントローラデバイス（１３８）。
【請求項４８】
請求項４６に記載のハンドヘルドモニタ／コントローラデバイス（１３８）であって、
前記ネットワーク通信は、ユーザの生理学的データを伝送することを特徴とするハンドヘルドモニタ／コントローラデバイス（１３８）。
【請求項４９】
請求項４８に記載のハンドヘルドモニタ／コントローラデバイス（１３８）であって、
前記生理学的データは、血糖レベルであることを特徴とするハンドヘルドモニタ／コントローラデバイス（１３８）。
【請求項５０】
請求項４６に記載のハンドヘルドモニタ／コントローラデバイス（１３８）であって、
前記ネットワーク通信は、前記送信デバイスのステータス情報を伝送することを特徴とするハンドヘルドモニタ／コントローラデバイス（１３８）。
【請求項５１】
請求項４６に記載のハンドヘルドモニタ／コントローラデバイス（１３８）であって、
前記ネットワーク通信は、前記送信デバイスの動作と関係する警告信号を伝送することを特徴とするハンドヘルドモニタ／コントローラデバイス（１３８）。
【請求項５２】
請求項４６に記載のハンドヘルドモニタ／コントローラデバイス（１３８）であって、
前記送信デバイスは、注入ポンプ（１２８）を含むことを特徴とするハンドヘルドモニタ／コントローラデバイス（１３８）。
【請求項５３】
請求項５２に記載のハンドヘルドモニタ／コントローラデバイス（１３８）であって、
前記ネットワーク通信は、前記注入ポンプ（１２８）によって前記ユーザに送られる液体の基礎レートを伝送することを特徴とするハンドヘルドモニタ／コントローラデバイス（１３８）。
【請求項５４】
請求項５２に記載のハンドヘルドモニタ／コントローラデバイス（１３８）であって、
前記ネットワーク通信は、前記注入ポンプ（１２８）によって前記ユーザに送られる液体のボーラスに関するボーラス情報を伝送することを特徴とするハンドヘルドモニタ／コントローラデバイス（１３８）。
【請求項５５】
請求項４６に記載のハンドヘルドモニタ／コントローラデバイス（１３８）であって、
前記送信デバイスは、生理学的特性センサ（１３０）を含むことを特徴とするハンドヘルドモニタ／コントローラデバイス（１３８）。
【請求項５６】
請求項５５に記載のハンドヘルドモニタ／コントローラデバイス（１３８）であって、
前記生理学的特性センサ（１３０）は、連続グルコースセンサを含むことを特徴とするハンドヘルドモニタ／コントローラデバイス（１３８）。
【請求項５７】
請求項４６に記載のハンドヘルドモニタ／コントローラデバイス（１３８）であって、
前記送信デバイスは、生理学的特性メータ（１３６）を含むことを特徴とするハンドヘルドモニタ／コントローラデバイス（１３８）。
【請求項５８】
請求項５７に記載のハンドヘルドモニタ／コントローラデバイス（１３８）であって、
前記生理学的特性メータ（１３６）は、血糖メータを含むことを特徴とするハンドヘルドモニタ／コントローラデバイス（１３８）。
【請求項５９】
請求項４６に記載のハンドヘルドモニタ／コントローラデバイス（１３８）であって、
前記送信デバイスは、注入ポンプ（１２８）に関するリモートコントローラ（１３４）を含むことを特徴とするハンドヘルドモニタ／コントローラデバイス（１３８）。
【請求項６０】
請求項４６に記載のハンドヘルドモニタ／コントローラデバイス（１３８）であって、
前記送信デバイスは、注入ポンプ（１２８）に関するモニタデバイス（１４０）を含むことを特徴とするハンドヘルドモニタ／コントローラデバイス（１３８）。
【請求項６１】
請求項４６に記載のハンドヘルドモニタ／コントローラデバイス（１３８）であって、
前記第２の通信モジュール（５１０）および前記無線ネットワークインターフェース（５１２）は、ＩＥＥＥ８０２．１１プロトコルに準拠する前記ネットワーク通信の伝送をサポートするように構成されることを特徴とするハンドヘルドモニタ／コントローラデバイス（１３８）。
【請求項６２】
請求項４６に記載のハンドヘルドモニタ／コントローラデバイス（１３８）であって、
前記第２の通信モジュール（５１０）および前記無線ネットワークインターフェース（５１２）は、前記ネットワーク通信のＢｌｕｅｔｏｏｔｈに準拠する伝送をサポートするように構成されることを特徴とするハンドヘルドモニタ／コントローラデバイス（１３８）。
【請求項６３】
請求項４６に記載のハンドヘルドモニタ／コントローラデバイス（１３８）であって、
前記第２の通信モジュール（５１０）および前記無線ネットワークインターフェース（５１２）は、ページングネットワークプロトコルに準拠する前記ネットワーク通信の伝送をサポートするように構成されることを特徴とするハンドヘルドモニタ／コントローラデバイス（１３８）。
【請求項６４】
請求項４６に記載のハンドヘルドモニタ／コントローラデバイス（１３８）であって、
前記第２の通信モジュール（５１０）および前記無線ネットワークインターフェース（５１２）は、セルラー遠隔通信プロトコルに準拠する前記ネットワーク通信の伝送をサポートするように構成されることを特徴とするハンドヘルドモニタ／コントローラデバイス（１３８）。
【請求項６５】
請求項４６に記載のハンドヘルドモニタ／コントローラデバイス（１３８）であって、
前記第２の通信モジュール（５１０）および前記無線ネットワークインターフェース（５１２）は、コードレス遠隔通信プロトコルに準拠する前記ネットワーク通信の伝送をサポートするように構成されることを特徴とするハンドヘルドモニタ／コントローラデバイス（１３８）。
【請求項６６】
請求項４６に記載のハンドヘルドモニタ／コントローラデバイス（１３８）であって、
前記第２の通信モジュール（５１０）および前記無線ネットワークインターフェース（５１２）は、衛星データ通信プロトコルに準拠する前記ネットワーク通信の伝送をサポートするように構成されることを特徴とするハンドヘルドモニタ／コントローラデバイス（１３８）。
【請求項６７】
請求項４６に記載のハンドヘルドモニタ／コントローラデバイス（１３８）であって、
前記第２の通信モジュール（５１０）および前記無線ネットワークインターフェース（５１２）は、病院ネットワークプロトコルに準拠する前記ネットワーク通信の伝送をサポートするように構成されることを特徴とするハンドヘルドモニタ／コントローラデバイス（１３８）。
【請求項６８】
請求項４６に記載のハンドヘルドモニタ／コントローラデバイス（１３８）であって、
前記第２の通信モジュール（５１０）は、前記ネットワーク通信を電子メールとして生成するように構成されることを特徴とするハンドヘルドモニタ／コントローラデバイス（１３８）。
【請求項６９】
請求項４６に記載のハンドヘルドモニタ／コントローラデバイス（１３８）であって、
前記第２の通信モジュール（５１０）は、前記ネットワーク通信をポケットベルメッセージとして生成するように構成されることを特徴とするハンドヘルドモニタ／コントローラデバイス（１３８）。
【請求項７０】
請求項４６に記載のハンドヘルドモニタ／コントローラデバイス（１３８）であって、
前記第２の通信モジュール（５１０）は、前記ネットワーク通信をテキストメッセージとして生成するように構成されることを特徴とするハンドヘルドモニタ／コントローラデバイス（１３８）。
【請求項７１】
請求項４６に記載のハンドヘルドモニタ／コントローラデバイス（１３８）であって、
前記第２の通信モジュール（５１０）は、前記ネットワーク通信をボイスメールメッセージとして生成するように構成されることを特徴とするハンドヘルドモニタ／コントローラデバイス（１３８）。
【請求項７２】
請求項４６に記載のハンドヘルドモニタ／コントローラデバイス（１３８）であって、
前記第２の通信モジュール（５１０）は、前記ネットワーク通信を発信される電話コールとして生成するように構成されることを特徴とするハンドヘルドモニタ／コントローラデバイス（１３８）。
【請求項７３】
請求項４６に記載のハンドヘルドモニタ／コントローラデバイス（１３８）であって、
前記第２の通信モジュール（５１０）は、前記ネットワーク通信をマークアップ言語ドキュメントとして生成するように構成されることを特徴とするハンドヘルドモニタ／コントローラデバイス（１３８）。
【請求項７４】
請求項４６に記載のハンドヘルドモニタ／コントローラデバイス（１３８）であって、
前記第２の通信モジュール（５１０）は、前記ネットワーク通信をオーディオ信号として生成するように構成されることを特徴とするハンドヘルドモニタ／コントローラデバイス（１３８）。
【請求項７５】
請求項４６に記載のハンドヘルドモニタ／コントローラデバイス（１３８）であって、
前記第２の通信モジュール（５１０）は、前記ネットワーク通信をオーディオファイルとして生成するように構成されることを特徴とするハンドヘルドモニタ／コントローラデバイス（１３８）。
【請求項７６】
請求項４６に記載のハンドヘルドモニタ／コントローラデバイス（１３８）であって、
前記第２の通信モジュール（５１０）は、前記ネットワーク通信をビデオ信号として生成するように構成されることを特徴とするハンドヘルドモニタ／コントローラデバイス（１３８）。
【請求項７７】
請求項４６に記載のハンドヘルドモニタ／コントローラデバイス（１３８）であって、
前記第２の通信モジュール（５１０）は、前記ネットワーク通信をビデオファイルとして生成するように構成されることを特徴とするハンドヘルドモニタ／コントローラデバイス（１３８）。
【請求項７８】
請求項４６に記載のハンドヘルドモニタ／コントローラデバイス（１３８）であって、
前記第２の通信モジュール（５１０）は、前記ネットワーク通信を、前記受信デバイスに関する制御信号として生成するように構成されることを特徴とするハンドヘルドモニタ／コントローラデバイス（１３８）。
【請求項７９】
前記無線ネットワークインターフェース（５１２）は、前記医療デバイスシステム（１００）の外部の発信元デバイスによって生成された、着信する無線ネットワーク通信を受信するように構成され、
前記処理アーキテクチャ（５１４）は、前記着信する無線ネットワーク通信の中で伝送されるデバイス情報を解釈するように構成される請求項４６に記載のハンドヘルドモニタ／コントローラデバイス（１３８）であって、
ハンドヘルドモニタ／コントローラデバイス（１３８）から前記医療デバイスシステム（１００）内のローカルデバイスに、前記デバイス情報に応答するローカルデバイス通信を送信することを可能にする、前記処理アーキテクチャ（５１４）に結合されたローカルデバイスインターフェース（５０２）をさらに含むことを特徴とするハンドヘルドモニタ／コントローラデバイス（１３８）。
【請求項８０】
請求項７９に記載のハンドヘルドモニタ／コントローラデバイス（１３８）であって、
前記着信する無線ネットワーク通信は、前記ローカルデバイスに関するプログラミングデータを伝送することを特徴とするハンドヘルドモニタ／コントローラデバイス（１３８）。
【請求項８１】
請求項７９に記載のハンドヘルドモニタ／コントローラデバイス（１３８）であって、
前記ローカルデバイスは、注入ポンプ（１２８）を含み、前記着信する無線ネットワーク通信は、前記注入ポンプ（１２８）に関する作動命令を伝送することを特徴とするハンドヘルドモニタ／コントローラデバイス（１３８）。
【請求項８２】
請求項７９に記載のハンドヘルドモニタ／コントローラデバイス（１３８）であって、
前記着信する無線ネットワーク通信は、前記ローカルデバイスに関するステータス要求を伝送することを特徴とするハンドヘルドモニタ／コントローラデバイス（１３８）。
【請求項８３】
請求項７９に記載のハンドヘルドモニタ／コントローラデバイス（１３８）であって、
前記着信する無線ネットワーク通信は、ユーザの生理学的データを求める要求を伝送することを特徴とするハンドヘルドモニタ／コントローラデバイス（１３８）。
【請求項８４】
請求項７９に記載のハンドヘルドモニタ／コントローラデバイス（１３８）であって、
前記着信する無線ネットワーク通信は、前記注入システム（１００）内
の任意のローカルデバイスの診断データを求める要求を伝送することを特徴とするハンドヘルドモニタ／コントローラデバイス（１３８）。
【請求項８５】
請求項７９に記載のハンドヘルドモニタ／コントローラデバイス（１３８）であって、
前記着信する無線ネットワーク通信は、前記ローカルデバイスに関する警告イネーブル／ディセーブル命令を伝送することを特徴とするハンドヘルドモニタ／コントローラデバイス（１３８）。
【請求項８６】
請求項７９に記載のハンドヘルドモニタ／コントローラデバイス（１３８）であって、
前記ローカルデバイスインターフェース（５０２）は、ハンドヘルドモニタ／コントローラデバイス（１３８）と前記ローカルデバイスとの間の無線データ通信を可能にするように構成された無線インターフェースを含むことを特徴とするハンドヘルドモニタ／コントローラデバイス（１３８）。
【請求項８７】
請求項４６に記載のハンドヘルドモニタ／コントローラデバイス（１３８）であって、
前記情報を表示するように構成された、前記処理アーキテクチャ（５１４）に結合されたディスプレイスクリーン（５０６）をさらに含むことを特徴とするハンドヘルドモニタ／コントローラデバイス（１３８）。
【請求項８８】
請求項８７に記載のハンドヘルドモニタ／コントローラデバイス（１３８）であって、
前記ディスプレイスクリーン（５０６）は、前記情報が警告信号を伝送すると、警告ステータスを示すように構成されることを特徴とするハンドヘルドモニタ／コントローラデバイス（１３８）。
【請求項８９】
請求項４６に記載のハンドヘルドモニタ／コントローラデバイス（１３８）であって、
モニタ／コントローラデバイス（１３８）から前記受信デバイスに前記ネットワーク通信を有線送信することを可能にする、前記第２の通信モジュール（５１０）に結合されたネットワークインターフェース（５１２）をさらに含むことを特徴とするハンドヘルドモニタ／コントローラデバイス（１３８）。
【請求項９０】
ユーザの身体への液体の注入を制御する注入ポンプ（１２８）を有する注入システム（１００）のリモート監視のための方法（９００）であって、
前記注入システムの外部のネットワークデバイス（１０４）において、前記注入ポンプ（１２８）に関連するポンプデータを伝送する、前記注入システム（１００）内の送信デバイスによって生成されるネットワーク通信を受信するステップ（９０２）、
前記ネットワーク通信から前記ポンプデータを抽出するステップ（９０４）、および
前記ネットワークデバイス（１０４）において、前記ポンプデータの表示を生成するステップ（９０６）、
を含むことを特徴とする方法（９００）。
【請求項９１】
請求項９０に記載の方法（９００）であって、
前記送信デバイスは、注入ポンプ（１２８）を含むことを特徴とする方法（９００）。
【請求項９２】
請求項９０に記載の方法（９００）であって、
前記送信デバイスは、前記注入システム（１００）の生理学的特性メータ（１３６）を含むことを特徴とする方法（９００）。
【請求項９３】
請求項９２に記載の方法（９００）であって、
前記ポンプデータは、前記注入ポンプ（１２８）を発信元とすることを特徴とする方法（９００）。
【請求項９４】
請求項９０に記載の方法（９００）であって、
前記送信デバイスは、注入ポンプ（１２８）に関するリモートコントローラ（１３４）を含むことを特徴とする方法（９００）。
【請求項９５】
請求項９４に記載の方法（９００）であって、
前記ポンプデータは、前記注入ポンプ（１２８）を発信元とすることを特徴とする方法（９００）。
【請求項９６】
請求項９０に記載の方法（９００）であって、
前記送信デバイスは、前記注入ポンプ（１２８）に関するハンドヘルドモニタ／コントローラ（１３８）を含むことを特徴とする方法（９００）。
【請求項９７】
請求項９６に記載の方法（９００）であって、
前記ポンプデータは、前記注入ポンプ（１２８）を発信元とすることを特徴とする方法（９００）。
【請求項９８】
請求項９０に記載の方法（９００）であって、
前記送信デバイスは、注入ポンプ（１２８）に関するモニタデバイス（１４０）を含むことを特徴とする方法（９００）。
【請求項９９】
請求項９８に記載の方法（９００）であって、
前記ポンプデータは、前記注入ポンプ（１２８）を発信元とすることを特徴とする方法（９００）。
【請求項１００】
請求項９０に記載の方法（９００）であって、
前記ポンプデータは、前記ユーザの生理学的データを含み、前記生成するステップ（９０６）は、前記生理学的データの表示を生成するステップを含むことを特徴とする方法（９００）。
【請求項１０１】
請求項１００に記載の方法（９００）であって、
前記生理学的データは、血糖レベルであることを特徴とする方法（９００）。
【請求項１０２】
請求項９０に記載の方法（９００）であって、
前記ポンプデータは、前記送信デバイスのステータス情報を含み、前記生成するステップ（９０６）は、前記ステータス情報の表示を生成するステップを含むことを特徴とする方法（９００）。
【請求項１０３】
請求項９０に記載の方法（９００）であって、
前記ポンプデータは、前記注入ポンプ（１２８）のステータス情報を含み、前記生成するステップ（９０６）は、前記ステータス情報の表示を生成するステップを含むことを特徴とする方法（９００）。
【請求項１０４】
請求項９０に記載の方法（９００）であって、
前記ポンプデータは、前記送信デバイスの動作と関係する警告を含み、前記生成するステップ（９０６）は、前記警告の表示を生成するステップを含むことを特徴とする方法（９００）。
【請求項１０５】
請求項１０４に記載の方法（９００）であって、
前記ネットワークデバイス（１０４）において、前記送信デバイスに関する警告イネーブル命令または警告ディセーブル命令を生成するステップ（９１０）、および
前記送信デバイスに前記警告イネーブル命令または前記警告ディセーブル命令を伝送する制御通信を送信するステップ（９１２）、
をさらに含むことを特徴とする方法（９００）。
【請求項１０６】
請求項６０に記載の方法（９００）であって、
前記ポンプデータは、前記注入ポンプ（１２８）によって前記ユーザに送られる液体の基礎レートを含み、前記生成するステップ（９０６）は、前記基礎レートの表示を生成するステップを含むことを特徴とする方法（９００）。
【請求項１０７】
請求項９０に記載の方法（９００）であって、
前記ポンプデータは、前記注入ポンプ（１２８）によって前記ユーザに送られる液体のボーラスに関するボーラス情報を含み、前記生成するステップ（９０６）は、前記ボーラス情報の表示を生成するステップを含むことを特徴とする方法（９００）。
【請求項１０８】
請求項９０に記載の方法（９００）であって、
表示を生成するステップ（９０６）は、前記ポンプデータの可聴の表現を生成するステップを含むことを特徴とする方法（９００）。
【請求項１０９】
請求項１０８に記載の方法（９００）であって、
前記可聴の表現は、可聴の警報を含むことを特徴とする方法（９００）。
【請求項１１０】
請求項９０に記載の方法（９００）であって、
表示を生成するステップ（９０６）は、前記ポンプデータの視覚的表現を生成するステップを含むことを特徴とする方法（９００）。
【請求項１１１】
請求項９０に記載の方法（９００）であって、
表示を生成するステップ（９０６）は、前記ネットワークデバイス（１０４）の照明要素を作動させるステップを含むことを特徴とする方法（９００）。
【請求項１１２】
請求項９０に記載の方法（９００）であって、
表示を生成するステップ（９０６）は、前記ネットワークデバイス（１０４）の振動要素を作動させるステップを含むことを特徴とする方法（９００）。
【請求項１１３】
請求項９０に記載の方法（９００）であって、
前記受信するステップ（９０２）は、イーサネットプロトコルに準拠する前記ネットワーク通信を受信するステップを含むことを特徴とする方法（９００）。
【請求項１１４】
請求項９０に記載の方法（９００）であって、
前記受信するステップ（９０２）は、ＩＥＥＥ８０２．１１プロトコルに準拠する前記ネットワーク通信を受信するステップを含むことを特徴とする方法（９００）。
【請求項１１５】
請求項９０に記載の方法（９００）であって、
前記受信するステップ（９０２）は、Ｂｌｕｅｔｏｏｔｈプロトコルに準拠する前記ネットワーク通信を受信するステップを含むことを特徴とする方法（９００）。
【請求項１１６】
請求項９０に記載の方法（９００）であって、
前記受信するステップ（９０２）は、ページングネットワークプロトコルに準拠する前記ネットワーク通信を受信するステップを含むことを特徴とする方法（９００）。
【請求項１１７】
請求項９０に記載の方法（９００）であって、
前記受信するステップ（９０２）は、セルラー遠隔通信プロトコルに準拠する前記ネットワーク通信を受信するステップを含むことを特徴とする方法（９００）。
【請求項１１８】
請求項９０に記載の方法（９００）であって、
前記受信するステップ（９０２）は、コードレス遠隔通信プロトコルに準拠する前記ネットワーク通信を受信するステップを含むことを特徴とする方法（９００）。
【請求項１１９】
請求項９０に記載の方法（９００）であって、
前記受信するステップ（９０２）は、ホームネットワークデータ通信プロトコルに準拠する前記ネットワーク通信を受信するステップを含むことを特徴とする方法（９００）。
【請求項１２０】
請求項９０に記載の方法（９００）であって、
前記受信するステップ（９０２）は、衛星データ通信プロトコルに準拠する前記ネットワーク通信を受信するステップを含むことを特徴とする方法（９００）。
【請求項１２１】
請求項９０に記載の方法（９００）であって、
前記受信するステップ（９０２）は、病院ネットワークプロトコルに準拠する前記ネットワーク通信を受信するステップを含むことを特徴とする方法（９００）。
【請求項１２２】
請求項９０に記載の方法（９００）であって、
前記受信するステップ（９０２）は、無線通信リンクを介して前記ネットワーク通信を受信するステップを含むことを特徴とする方法（９００）。
【請求項１２３】
請求項９０に記載の方法（９００）であって、
前記受信するステップ（９０２）は、有線通信リンクを介して前記ネットワーク通信を受信するステップを含むことを特徴とする方法（９００）。
【請求項１２４】
請求項９０に記載の方法（９００）であって、
前記ネットワークデバイス（１０４）は、コンピューティングデバイスを含むことを特徴とする方法（９００）。
【請求項１２５】
請求項９０に記載の方法（９００）であって、
前記ネットワークデバイス（１０４）は、無線コンピューティングデバイスを含むことを特徴とする方法（９００）。
【請求項１２６】
請求項９０に記載の方法（９００）であって、
前記ネットワークデバイス（１０４）は、無線電話機を含むことを特徴とする方法（９００）。
【請求項１２７】
請求項９０に記載の方法（９００）であって、
前記ネットワークデバイス（１０４）は、パーソナルデジタルアシスタントを含むことを特徴とする方法（９００）。
【請求項１２８】
請求項９０に記載の方法（９００）であって、
前記ネットワークデバイス（１０４）は、前記注入ポンプに関するモニタデバイスを含むことを特徴とする方法（９００）。
【請求項１２９】
請求項９０に記載の方法（９００）であって、
前記ネットワークデバイス（１０４）は、病院ネットワークデバイスを含むことを特徴とする方法（９００）。
【請求項１３０】
請求項９０に記載の方法（９００）であって、
前記ネットワークデバイス（１０４）は、警報システムデバイスを含むことを特徴とする方法（９００）。
【請求項１３１】
請求項９０に記載の方法（９００）であって、
前記ネットワークデバイス（１０４）は、ポケットベルを含むことを特徴とする方法（９００）。
【請求項１３２】
請求項９０に記載の方法（９００）であって、
前記ネットワークデバイス（１０４）は、ポータブル電子メールデバイスを含むことを特徴とする方法（９００）。
【請求項１３３】
請求項９０に記載の方法（９００）であって、
前記ネットワークデバイス（１０４）において、前記注入ポンプ（１２８）に関する作動命令を生成するステップ（９１０）、および
前記注入ポンプ（１２８）に、前記作動命令を伝送する制御通信を送信するステップ（９１２）、
をさらに含むことを特徴とする方法（９００）。
【請求項１３４】
請求項９０に記載の方法（９００）であって、
前記ネットワークデバイス（１０４）において、前記注入ポンプ（１２８）に関するプログラミングパラメータを生成するステップ（９１０）、および
前記注入ポンプ（１２８）に、前記プログラミングパラメータを伝送する制御通信を送信するステップ（９１２）、
をさらに含むことを特徴とする方法（９００）。
【請求項１３５】
ユーザに関するネットワークベースの医療デバイスシステム（８００）であって、
ネットワーク通信を生成するように構成された通信モジュール（８１４）と、前記通信モジュール（８１４）に結合されたネットワークインターフェース（８１２）とを含む、ローカル医療デバイスシステムに関するモニタデバイス（８０４）と、
前記ローカル医療デバイスシステムの外部のネットワークデバイス（８０６）と、を含み、
前記ネットワークデバイス（８０６）および前記ネットワークインターフェース（８１２）は、ネットワーク通信リンク（８２６）を介して前記モニタデバイス（８０４）から前記ネットワークデバイス（８０６）に前記ネットワーク通信を送信することを可能にするように構成されることを特徴とするネットワークベースの医療デバイスシステム（８００）。
【請求項１３６】
請求項１３５に記載のシステム（８００）であって、
前記通信モジュール（８１４）にローカル通信を送信するように構成された、前記ローカル医療デバイスシステム内の送信デバイスをさらに含むことを特徴とするシステム（８００）。
【請求項１３７】
請求項１３６に記載のシステム（８００）であって、
前記送信デバイスは、前記ローカル医療デバイスシステム内で利用される第１のデータ通信プロトコルに従って前記ローカル通信を送信するように構成され、
前記モニタデバイス（８０４）は、前記ローカル医療デバイスシステムの外部のデバイスによって利用される第２のデータ通信プロトコルに従って前記ネットワーク通信を送信するように構成されることを特徴とするシステム（８００）。
【請求項１３８】
請求項１３５に記載のシステム（８００）であって、
前記ネットワーク通信は、前記ユーザの生理学的データを伝送することを特徴とするシステム（８００）。
【請求項１３９】
請求項１３８に記載のシステム（８００）であって、
前記生理学的データは、グルコースレベルであることを特徴とするシステム（８００）。
【請求項１４０】
請求項１３５に記載のシステム（８００）であって、
前記ネットワーク通信は、前記ローカル医療デバイスシステム内の注入ポンプ（８０２）のステータス情報を伝送することを特徴とするシステム（８００）。
【請求項１４１】
請求項１３５に記載のシステム（８００）であって、
前記ネットワーク通信は、前記ローカル医療デバイスシステム内の注入ポンプ（８０２）の動作と関係する警告信号を伝送することを特徴とするシステム（８００）。
【請求項１４２】
請求項１３５に記載のシステム（８００）であって、
前記ネットワーク通信は、前記ローカル医療デバイスシステム内の注入ポンプ（８０２）によって前記ユーザに送られる液体の基礎レートを伝送することを特徴とするシステム（８００）。
【請求項１４３】
請求項１３５に記載のシステム（８００）であって、
前記ネットワーク通信は、前記ローカル医療デバイスシステム内の注入ポンプ（８０２）によって前記ユーザに送られる液体のボーラスに関するボーラス情報を伝送することを特徴とするシステム（８００）。
【請求項１４４】
請求項１３５に記載のシステム（８００）であって、
前記ネットワークデバイス（８０６）および前記ネットワークインターフェース（８１２）は、前記ネットワーク通信のイーサネットに準拠する伝送をサポートするように構成されることを特徴とするシステム（８００）。
【請求項１４５】
請求項１３５に記載のシステム（８００）であって、
前記ネットワークデバイス（８０６）および前記ネットワークインターフェース（８１２）は、ＩＥＥＥ８０２．１１プロトコルに準拠する前記ネットワーク通信の伝送をサポートするように構成されることを特徴とするシステム（８００）。
【請求項１４６】
請求項１３５に記載のシステム（８００）であって、
前記ネットワークデバイス（８０６）および前記ネットワークインターフェース（８１２）は、前記ネットワーク通信のＢｌｕｅｔｏｏｔｈに準拠する伝送をサポートするように構成されることを特徴とするシステム（８００）。
【請求項１４７】
請求項１３５に記載のシステム（８００）であって、
前記ネットワークデバイス（８０６）および前記ネットワークインターフェース（８１２）は、ページングネットワークプロトコルに準拠する前記ネットワーク通信の伝送をサポートするように構成されることを特徴とするシステム（８００）。
【請求項１４８】
請求項１３５に記載のシステム（８００）であって、
前記ネットワークデバイス（８０６）および前記ネットワークインターフェース（８１２）は、セルラー遠隔通信プロトコルに準拠する前記ネットワーク通信の伝送をサポートするように構成されることを特徴とするシステム（８００）。
【請求項１４９】
請求項１３５に記載のシステム（８００）であって、
前記ネットワークデバイス（８０６）および前記ネットワークインターフェース（８１２）は、コードレス遠隔通信プロトコルに準拠する前記ネットワーク通信の伝送をサポートするように構成されることを特徴とするシステム（８００）。
【請求項１５０】
請求項１３５に記載のシステム（８００）であって、
前記ネットワークデバイス（８０６）および前記ネットワークインターフェース（８１２）は、ホームネットワークデータ通信プロトコルに準拠する前記ネットワーク通信の伝送をサポートするように構成されることを特徴とするシステム（８００）。
【請求項１５１】
請求項１３５に記載のシステム（８００）であって、
前記ネットワークデバイス（８０６）および前記ネットワークインターフェース（８１２）は、衛星データ通信プロトコルに準拠する前記ネットワーク通信の伝送をサポートするように構成されることを特徴とするシステム（８００）。
【請求項１５２】
請求項１３５に記載のシステム（８００）であって、
前記ネットワークデバイス（８０６）および前記ネットワークインターフェース（８１２）は、病院ネットワークプロトコルに準拠する前記ネットワーク通信の伝送をサポートするように構成されることを特徴とするシステム（８００）。
【請求項１５３】
請求項１３５に記載のシステム（８００）であって、
前記通信モジュール（８１４）は、前記ネットワーク通信を電子メールとして生成するように構成されることを特徴とするシステム（８００）。
【請求項１５４】
請求項１３５に記載のシステム（８００）であって、
前記通信モジュール（８１４）は、前記ネットワーク通信をポケットベルメッセージとして生成するように構成されることを特徴とするシステム（８００）。
【請求項１５５】
請求項１３５に記載のシステム（８００）であって、
前記通信モジュール（８１４）は、前記ネットワーク通信をテキストメッセージとして生成するように構成されることを特徴とするシステム（８００）。
【請求項１５６】
請求項１３５に記載のシステム（８００）であって、
前記通信モジュール（８１４）は、前記ネットワーク通信をボイスメールメッセージとして生成するように構成されることを特徴とするシステム（８００）。
【請求項１５７】
請求項１３５に記載のシステム（８００）であって、
前記通信モジュール（８１４）は、前記ネットワーク通信を発信される電話コールとして生成するように構成されることを特徴とするシステム（８００）。
【請求項１５８】
請求項１３５に記載のシステム（８００）であって、
前記通信モジュール（８１４）は、前記ネットワーク通信をマークアップ言語ドキュメントとして生成するように構成されることを特徴とするシステム（８００）。
【請求項１５９】
請求項１３５に記載のシステム（８００）であって、
前記通信モジュール（８１４）は、前記ネットワーク通信をオーディオ信号として生成するように構成されることを特徴とするシステム（８００）。
【請求項１６０】
請求項１３５に記載のシステム（８００）であって、
前記通信モジュール（８１４）は、前記ネットワーク通信をオーディオファイルとして生成するように構成されることを特徴とするシステム（８００）。
【請求項１６１】
請求項１３５に記載のシステム（８００）であって、
前記通信モジュール（８１４）は、前記ネットワーク通信をビデオ信号として生成するように構成されることを特徴とするシステム（８００）。
【請求項１６２】
請求項１３５に記載のシステム（８００）であって、
前記通信モジュール（８１４）は、前記ネットワーク通信をビデオファイルとして生成するように構成されることを特徴とするシステム（８００）。
【請求項１６３】
請求項１３５に記載のシステム（８００）であって、
前記通信モジュール（８１４）は、前記ネットワーク通信を、前記ネットワークデバイス（８０６）に関する制御信号として生成するように構成されることを特徴とするシステム（８００）。
【請求項１６４】
請求項１３５に記載のシステム（８００）であって、
前記ネットワークインターフェース（８１２）は、前記ローカル医療デバイスシステムの外部の発信元デバイスによって生成された、着信するネットワーク通信を受信するように構成され、
前記モニタデバイス（８０４）は、前記モニタデバイス（８０４）から前記ローカル医療デバイスシステム内のローカルデバイスに、前記着信するネットワーク通信に応答するローカルデバイス通信を送信することを可能にするように構成されたローカルデバイスインターフェース（８１０）をさらに含むことを特徴とするシステム（８００）。
【請求項１６５】
請求項１６４に記載のシステム（８００）であって、
前記着信するネットワーク通信は、前記ローカルデバイスに関するプログラミングデータを伝送することを特徴とするシステム（８００）。
【請求項１６６】
請求項１６４に記載のシステム（８００）であって、
前記ローカルデバイスは、注入ポンプ（８０２）を含み、前記着信するネットワーク通信は、前記注入ポンプ（８０２）に関する作動命令を伝送することを特徴とするシステム（８００）。
【請求項１６７】
請求項１６４に記載のシステム（８００）であって、
前記着信するネットワーク通信は、前記ローカルデバイスに関するステータス要求を伝送することを特徴とするシステム（８００）。
【請求項１６８】
請求項１６４に記載のシステム（８００）であって、
前記着信するネットワーク通信は、ユーザの生理学的データを求める要求を伝送することを特徴とするシステム（８００）。
【請求項１６９】
請求項１６４に記載のシステム（８００）であって、
前記着信するネットワーク通信は、前記ローカルデバイスに関する警告イネーブル命令または警告ディセーブル命令を伝送することを特徴とするシステム（８００）。
【請求項１７０】
請求項１６４に記載のシステム（８００）であって、
前記ローカルデバイスインターフェース（８１０）は、前記モニタデバイス（８０４）と前記ローカルデバイスとの間の無線データ通信を可能にするように構成された無線インターフェースを含むことを特徴とするシステム（８００）。
【請求項１７１】
データ通信デバイス（１３００）であって、
ローカルシステム内で動作する無線医療デバイスとの無線データ通信をサポートするように構成された無線通信モジュール（１３０８）と、
前記無線通信モジュール（１３０８）に結合され、前記無線医療デバイスから受信される無線信号の中で伝送されるデータを格納するように構成されたメモリ要素（１３１０）と、
前記無線通信モジュール（１３０８）に結合され、データ通信デバイス（１３００）とネットワークデバイスとの間のネットワーク通信の伝送をサポートするように構成されたネットワークインターフェース（１３１６）と、
を含むことを特徴とするデータ通信デバイス（１３００）。
【請求項１７２】
請求項１７１に記載のデータ通信デバイス（１３００）であって、
前記メモリ要素（１３１０）は、前記ネットワークデバイスから受信される信号の中で伝送されるデータを格納するように構成されることを特徴とするデータ通信デバイス（１３００）。
【請求項１７３】
請求項１７１に記載のデータ通信デバイス（１３００）であって、
前記メモリ要素（１３１０）に結合され、前記メモリ要素（１３１０）の中にデータを格納することを管理するように構成された処理アーキテクチャ（１３１２）をさらに含むことを特徴とするデータ通信デバイス（１３００）。
【請求項１７４】
請求項１７３に記載のデータ通信デバイス（１３００）であって、
前記処理アーキテクチャ（１３１２）は、前記ネットワークインターフェース（１３１６）を介して前記ネットワークデバイスから受信される命令に応答して、データを処理するように構成されることを特徴とするデータ通信デバイス（１３００）。
【請求項１７５】
請求項１７１に記載のデータ通信デバイス（１３００）であって、
前記無線通信モジュール（１３０８）と前記ネットワークインターフェース（１３１６）との間でデータを再フォーマットするように構成された、前記無線通信モジュール（１３０８）および前記ネットワークインターフェース（１３１６）に結合されたデータフォーマットトランスレータ（１３１４）をさらに含むことを特徴とするデータ通信デバイス（１３００）。
【請求項１７６】
請求項１７５に記載のデータ通信デバイス（１３００）であって、
前記データフォーマットトランスレータ（１３１４）は、前記無線通信モジュール（１３０８）と前記ネットワークインターフェース（１３１６）との間でデータを暗号化するように構成されることを特徴とするデータ通信デバイス（１３００）。
【請求項１７７】
請求項１７１に記載のデータ通信デバイス（１３００）であって、
前記無線通信モジュール（１３０８）および前記メモリ要素（１３１０）を密封する筐体（１３０２）をさらに含むことを特徴とするデータ通信デバイス（１３００）。
【請求項１７８】
請求項１７１に記載のデータ通信デバイス（１３００）であって、
前記ネットワークインターフェース（１３１６）は、インターフェースロジック（１３２０）と、前記インターフェースロジック（１３２０）に結合されたネットワークインターフェースポート（１３０４）とを含むことを特徴とするデータ通信デバイス（１３００）。
【請求項１７９】
請求項１７１に記載のデータ通信デバイス（１３００）であって、
前記ネットワークインターフェース（１３１６）は、ＵＳＢ（ユニバーサルシリアルバス）インターフェースであることを特徴とするデータ通信デバイス（１３００）。
【請求項１８０】
請求項１７１に記載のデータ通信デバイス（１３００）であって、
前記メモリ要素（１３１０）は、不揮発性メモリ要素であることを特徴とするデータ通信デバイス（１３００）。
【請求項１８１】
無線医療デバイスに関するデータを処理するための方法（１４００）であって、
ローカルシステム内で動作する無線医療デバイスから無線ローカルデータ通信信号を受信するステップ（１４１４）、
前記無線ローカルデータ通信信号の中で伝送されるデータをメモリ要素の中に格納するステップ（１４１８）、および
前記ローカルシステムの外部のネットワークデバイスに送信するために、前記メモリ要素の中に格納されたデータを処理するステップ、
を含むことを特徴とする方法（１４００）。
【請求項１８２】
請求項１８１に記載の方法（１４００）であって、
前記ネットワークデバイスにネットワーク通信を供給するネットワークインターフェースに適合するように、前記無線ローカルデータ通信信号の中で伝送されるデータを再フォーマットするステップ（１４２８）をさらに含むことを特徴とする方法（１４００）。
【請求項１８３】
請求項１８２に記載の方法（１４００）であって、
前記ネットワークインターフェースに適合する、前記無線ローカルデータ通信信号の中で伝送されるデータを含むネットワーク通信信号を生成するステップ（１４３０）をさらに含むことを特徴とする方法（１４００）。
【請求項１８４】
請求項１８３に記載の方法（１４００）であって、
前記ネットワークインターフェースは、ＵＳＢ（ユニバーサルシリアルバス）インターフェースであることを特徴とする方法（１４００）。
【請求項１８５】
請求項１８１に記載の方法（１４００）であって、
前記ネットワークデバイスからネットワークデータ通信信号を受信するステップ（１４３４）、および
前記ネットワークデータ通信信号の中で伝送されるデータを前記メモリ要素の中に格納するステップ（１４３８）、
をさらに含むことを特徴とする方法（１４００）。
【請求項１８６】
請求項１８１に記載の方法（１４００）であって、
ネットワークインターフェースを介して前記ネットワークデバイスから受信される命令に応答して、前記メモリ要素の中に格納されたデータを処理するステップ（１４４４）をさらに含むことを特徴とする方法（１４００）。
【請求項１８７】
請求項１８１に記載の方法（１４００）であって、
前記無線ローカルデータ通信信号の中で伝送されるデータを暗号化するステップ（１４２４）をさらに含むことを特徴とする方法（１４００）。
【請求項１８８】
請求項１８１に記載の方法（１４００）であって、
前記無線ローカルデータ通信信号の中で伝送される前記データは、処置データを含むことを特徴とする方法（１４００）。
【請求項１８９】
請求項１８１に記載の方法（１４００）であって、
前記無線ローカルデータ通信信号の中で伝送される前記データは、デバイス設定を含むことを特徴とする方法（１４００）。
【請求項１９０】
ローカル医療デバイスシステムに関するデータを処理するための方法（１４００）であって、
前記ローカル医療デバイスシステムの外部のネットワークデバイスからネットワークデータ通信信号を受信するステップ（１４３４）、
前記ネットワークデータ通信信号の中で伝送されるデータをメモリ要素の中に格納するステップ（１４３８）、および
前記ローカル医療デバイスシステム内の無線デバイスに送信するために、前記メモリ要素の中に格納されたデータを処理するステップ、
を含むことを特徴とする方法（１４００）。
【請求項１９１】
請求項１９０に記載の方法（１４００）であって、
前記無線デバイスにローカル通信を供給する無線通信モジュールに適合するように、前記ネットワークデータ通信信号の中で伝送されるデータを再フォーマットするステップ（１４５２）をさらに含むことを特徴とする方法（１４００）。
【請求項１９２】
請求項１９１に記載の方法（１４００）であって、
前記無線通信モジュールに適合する、前記ネットワークデータ通信信号の中で伝送されるデータを含むローカル通信信号を生成するステップ（１４５４）をさらに含むことを特徴とする方法（１４００）。
【請求項１９３】
請求項１９０に記載の方法（１４００）であって、
前記無線デバイスから無線ローカルデータ通信信号を受信するステップ（１４１４）、および
前記ローカルデータ通信信号の中で伝送されるデータを前記メモリ要素の中に格納するステップ（１４１８）、
をさらに含むことを特徴とする方法（１４００）。
【請求項１９４】
請求項１９０に記載の方法（１４００）であって、
前記ネットワークデバイスから受信される命令に応答して、前記メモリ要素の中に格納されたデータを処理するステップをさらに含むことを特徴とする方法（１４００）。
【請求項１９５】
請求項１９０に記載の方法（１４００）であって、
前記ネットワークデータ通信信号の中で伝送されるデータを暗号化するステップ（１４４８）をさらに含むことを特徴とする方法（１４００）。
【請求項１９６】
請求項１９０に記載の方法（１４００）であって、
前記ネットワークデータ通信信号の中で伝送される前記データは、処置データを含むことを特徴とする方法（１４００）。
【請求項１９７】
請求項１９０に記載の方法（１４００）であって、
前記ネットワークデータ通信信号の中で伝送される前記データは、デバイス設定を含むことを特徴とする方法（１４００）。
【発明の詳細な説明】
【技術分野】
【０００１】
本発明の実施形態は、一般に、患者の身体に液体を送り込む注入システムに関する。より詳細には、本発明の実施形態は、注入システム内の様々なデバイスによって生成された患者情報およびステータス情報のネットワーク化された制御、管理、および監視と関係するシステムおよび技術に関する。
【背景技術】
【０００２】
本出願は、「Ｍｏｎｉｔｏｒ  Ｄｅｖｉｃｅｓ  ｆｏｒ  Ｎｅｔｗｏｒｋｅｄ  Ｆｌｕｉｄ  Ｉｎｆｕｓｉｏｎ  Ｓｙｓｔｅｍｓ」という名称の２００６年４月２８日に出願した米国特許出願第１１／４１３２６８号、「Ｒｅｍｏｔｅ  Ｍｏｎｉｔｏｒｉｎｇ  ｆｏｒ  Ｎｅｔｗｏｒｋｅｄ  Ｆｌｕｉｄ  Ｉｎｆｕｓｉｏｎ  Ｓｙｓｔｅｍｓ」という名称の２００６年４月２８日に出願した米国特許出願第１１／４１４１６０号、および「Ｄａｔａ  Ｔｒａｎｓｌａｔｉｏｎ  Ｄｅｖｉｃｅ  ｗｉｔｈ  Ｎｏｎｖｏｌａｔｉｌｅ  Ｍｅｍｏｒｙ  ｆｏｒ  ａ  Ｎｅｔｗｏｒｋｅｄ  Ｍｅｄｉｃａｌ  Ｄｅｖｉｃｅ  Ｓｙｓｔｅｍ」という名称の２００６年４月２８日に出願した米国特許出願第１１／４１３９５６号の利益を主張する。
【０００３】
糖尿病患者は、患者の身体、特に、患者の「ＢＧ」（血糖）レベルをバランスがとれた状態に保つように患者の毎日の生活スタイルを変更し、監視することを通常、要求される。１型糖尿病を有する個人、および２型糖尿病を有する一部の個人は、インスリンを使用してＢＧレベルを調整する。そのようにするのに、糖尿病患者は、栄養のある食事を適時に摂取すること、運動に参加すること、ＢＧレベルを毎日、監視すること、およびインスリン投与量を適宜、調整し、投与することを含め、厳密なスケジュールを定常的に守る。
【０００４】
先行技術は、注入セットを介してインスリンの正確な、測定された投与量を送るように設計されたインスリンポンプシステムを含む（注入セットは、患者の皮下に挿入されたカニューレを終端とする小さい直径の管を通してインスリンを送る）。注射器の代わりに、患者は、単にインスリンポンプを作動させて、必要に応じて、例えば、患者の現在のＢＧレベルに応じて、インスリンボーラス(bolus)を投与することができる。患者は、試験ストリップメータ、連続グルコース測定システムなどのＢＧ測定デバイスを使用して、患者のＢＧレベルを測定することができる。ＢＧ測定デバイスは、患者の血液のサンプル、体液と接触するセンサ、光センサ、酵素センサ、または蛍光センサなどの様々な方法を使用して、患者のＢＧレベルを測定する。ＢＧ測定デバイスが、ＢＧ測定値を生成すると、この測定値が、ＢＧ測定デバイス上で表示される。連続グルコース監視システムは、患者のＢＧレベルをリアルタイムで監視することができる。
【０００５】
【特許文献１】米国特許出願公開第２００１／０４４７３１Ａ１号明細書
【発明の開示】
【発明が解決しようとする課題】
【０００６】
また、インスリンポンプおよび連続グルコース監視デバイスは、そのような注入デバイスに関連するリモートコントロールデバイス、監視デバイスもしくはディスプレイデバイス、ＢＧメータ、および他のデバイスと通信するように構成されることも可能である。従来の注入システム内の個々のデバイスは、注入システムの動作をサポートする限られた量の有線データ通信または無線データ通信をサポートするように構成されることが可能である。例えば、連続グルコース監視センサが、注入システム内のＢＧモニタデバイスと通信するワイヤレス送信機を含むことが可能である。別の例として、注入システムは、無線技術を使用して注入ポンプデバイスと通信するハンドヘルドリモートコントロールを含むことが可能である。しかし、従来の注入システムは、制御信号、監視信号、患者ステータス情報、生理学的データ、警告、作動命令、プログラミング信号、および他のデータ通信のルーティングが、一般に、注入システム自体から限られた近距離で、ローカルの動作環境内で行われるという点で、多少、孤立した、局所的な形で動作する。
【課題を解決するための手段】
【０００７】
本明細書で説明される医療デバイスシステムの実施形態が、ネットワーク化されたコンピュータ、セルラー電話機、パーソナルデジタルアシスタント（ＰＤＡ）、病院監視設備、ポケットベルデバイスなどの１つ以上の外部ネットワークデバイスと通信するように適切に構成される。医療デバイスシステム内のローカルデバイスからのネットワーク通信は、デバイスステータス情報、生理学的患者データ、警告、および／または警報を外部デバイスに伝送することが可能である。そのようなネットワーク通信には、電子メール、ポケットベルメッセージ、電話コール、または任意の適切なデータ通信フォーマットを介して送信される第三者（親、介護者、医療設備製造業者）への通知が含まれることが可能である。さらに、ローカルシステム環境外部の外部デバイスからのネットワーク通信は、デバイスプログラミング命令、デバイス作動命令、較正パラメータ、警告／警報イネーブル（有効化）信号または警告／警報ディセーブル（無効化）信号、および／または他の制御パラメータをローカルシステムデバイスに伝送することが可能である。
【０００８】
以上、およびその他の態様は、医療デバイスシステムに関するモニタデバイスの実施形態によって実行されることが可能である。このモニタデバイスは、医療デバイスシステム内の送信デバイスからローカル通信を受信するように構成された第１の通信モジュールと、ローカル通信の中で伝送される情報を解釈するように構成された、第１の通信モジュールに結合された処理アーキテクチャと、この情報に応じてネットワーク通信を生成するように構成された、処理アーキテクチャに結合された第２の通信モジュールと、モニタデバイスから、医療デバイスシステムの外部の受信デバイスにネットワーク通信を送信することを可能にする、第２の通信モジュールに結合されたネットワークインターフェースと、を含む。
【０００９】
また、以上、およびその他の態様は、医療デバイスシステムに関するハンドヘルドモニタ／コントローラデバイスの実施形態によって実行されることも可能である。このモニタデバイスは、医療デバイスシステム内の送信デバイスからローカル通信を受信するように構成された第１の通信モジュールと、ローカル通信の中で伝送される情報を解釈するように構成された、第１の通信モジュールに結合された処理アーキテクチャと、この情報に応答してネットワーク通信を生成するように構成された、処理アーキテクチャに結合された第２の通信モジュールと、モニタデバイスから、医療デバイスシステムの外部の受信デバイスへのネットワーク通信の無線伝送を可能にする、第２の通信モジュールに結合された無線ネットワークインターフェースとを含む。
【００１０】
また、以上、およびその他の態様は、ユーザの身体への液体の注入を制御する注入ポンプを有する注入システムのリモート監視のための方法の実施形態によって実行されることも可能である。この方法は、注入システムの外部のネットワークデバイスにおいて、注入ポンプに関連するポンプデータを伝送する、注入システム内の送信デバイスによって生成されるネットワーク通信を受信すること、ネットワーク通信からポンプデータを抽出すること、およびネットワークデバイスにおいて、ポンプデータの表示を生成することを含む。
【００１１】
また、本発明の以上、およびその他の態様は、医療デバイスシステムのための方法の実施形態によって実行されることも可能である。この方法は、医療デバイスシステム内の送信デバイスにおいて、ローカルデバイスの動作と関係する通知を獲得すること、この通知を伝送する、ネットワークデータ通信プロトコルに準拠するネットワーク通信を生成すること、およびネットワークデータ通信プロトコルに従って、医療デバイスシステムの外部の受信デバイスにネットワーク通信を送信することを含む。
【００１２】
また、以上、およびその他の態様は、ネットワークベースの医療デバイスシステムの実施形態によって実行されることも可能である。このシステムは、ネットワーク通信を生成するように構成された通信モジュールと、この通信モジュールに結合されたネットワークインターフェースとを含む医療デバイスシステムのためのモニタデバイスと、医療デバイスシステムの外部のネットワークデバイスとを含み、ネットワークデバイスおよびネットワークインターフェースは、ネットワーク通信リンクを介してモニタデバイスからネットワークデバイスにネットワーク通信を送信することを可能にするように構成される。
【００１３】
また、以上、およびその他の態様は、無線遠隔測定ルータデバイスのための通信方法の実施形態によって実行されることも可能である。この方法は、無線遠隔測定ルータデバイスにおいて、それぞれの生理学的特性センサによって生成されたセンサデータをそれぞれが伝送する複数の無線通信信号を受信すること、このセンサデータの少なくともいくらかを伝送する、ネットワークデータ通信プロトコルに準拠するネットワーク通信を生成すること、およびネットワークデータ通信プロトコルに従って、このネットワーク通信をネットワークデバイスに送信することを含む。
【００１４】
また、本発明の以上、およびその他の態様は、１つの形態において、ローカルシステム内で動作する無線医療デバイスとの無線データ通信をサポートするように構成された無線通信モジュールと、無線通信モジュールに結合され、無線医療デバイスから受信される無線信号の中で伝送されるデータを格納するように構成されたメモリ要素と、無線通信モジュールに結合され、データ通信デバイスとネットワークデバイスとの間のネットワーク通信の伝送をサポートするように構成されたネットワークインターフェースとを含むデータ通信デバイスによって実行されることも可能である。
【００１５】
本発明のより完全な理解は、詳細な説明、および特許請求の範囲を添付の図とともに考慮し、参照することによって得ることができる。それらすべての図において同様の符号は同様の要素を指し示す。
【発明を実施するための最良の形態】
【００１６】
以下の詳細な説明は、単に例示的な性質のものであり、本発明の実施形態、または本発明の実施形態の応用および用途を限定することは意図していない。さらに、前述の技術分野、背景、簡単な説明、または以下の詳細な説明において提示される、明示される理論、または暗示される理論によって限定されるという意図はまったくない。
【００１７】
本発明の実施形態は、機能ブロック構成要素および／または論理ブロック構成要素、ならびに様々な処理ステップの点で、本明細書で説明されることが可能である。そのようなブロック構成要素は、指定された機能を実行するように構成された任意の数のハードウェア、ソフトウェア、および／またはファームウェアによって実現されることが可能であることを理解されたい。例えば、本発明の実施形態は、１つ以上のマイクロプロセッサ、または他の制御デバイスの制御下で様々な機能を実行することが可能な、様々な集積回路構成要素、例えば、メモリ要素、デジタル信号処理要素、論理要素、ルックアップテーブルなどを使用することが可能である。さらに、本発明の実施形態は、任意の数のデータ伝送プロトコルに関連して実施されることが可能であること、および本明細書で説明されるシステムは、本発明の実施形態の１つの例示的な適用例に過ぎないことが、当業者には理解されよう。
【００１８】
簡明のため、注入システム動作、インスリンポンプおよび／または注入セット動作、血糖感知および監視、信号処理、データ伝送、シグナリング、ネットワーク制御、およびシステムの他の機能上の態様（ならびにシステムの個々の動作する構成要素）と関係する従来の技術は、本明細書では詳細に説明されない可能性がある。送出デバイスとして使用されることが可能な注入セットの例は、本願に引用して援用する米国特許第４７２３９４７号、米国特許第４７５５１７３号、米国特許第５１７６６６２号、米国特許第５５８４８１３号、米国特許第６０５６７１８号、米国特許第６４６１３２９号、米国特許第６４７５１９５号、米国特許第６５２０９３８号、米国特許第６５８５６９５号、米国特許第６５９１８７６号、および米国特許第６６０７５０９号において説明されるが、以上には限定されない。注入ポンプおよび／または通信オプションの例は、本願に引用して援用する米国特許第４５６２７５１号、米国特許第４６８５９０３号、米国特許第５０８０６５３号、米国特許第５５０５７０９号、米国特許第５０９７１２２号、米国特許第６５５４７９８号、米国特許第６５５８３２０号、米国特許第６５５８３５１号、米国特許第６６４１５３３号、米国特許第６６５９９８０号、米国特許第６７５２７８７号、米国特許第６８１７９９０号、および米国特許第６９３２５８４号に記載されるタイプであることが可能であるが、そのようなタイプには限定されない。グルコース感知デバイスおよび／またはグルコース監視デバイスの例は、本願に引用して援用する米国特許第６４８４０４５号、米国特許第６８０９６５３号、米国特許第６８９２０８５号、および米国特許第６８９５２６３号に記載されるタイプであることが可能であるが、そのようなタイプには限定されない。さらに、本明細書に含まれる様々な図に示される、結び付ける線は、様々な要素間の例示的な機能上の関係、および／または物理的結合を表すことを意図している。多くの代替の、またはさらなる機能上の関係、または物理的接続が実施形態に存在することが可能であることに留意されたい。
【００１９】
以下の説明は、要素または特徴（機能）が、一緒に「接続されている」または「結合されている」ことについての述べる可能性がある。特に明記しない限り、本明細書で使用される「接続されている」とは、１つの要素／特徴が、別の要素／特徴に直接につながれている（またはそのような要素／特徴と直接に通信する）ことを意味し、これは、必ずしも機械的なものに限らない。同様に、特に明記しない限り、「結合されている」とは、１つの要素／特徴が、別の要素／特徴に直接に、または間接的につながれている（またはそのような要素／特徴と直接に、または間接的に通信する）ことを意味し、これは、必ずしも機械的なものに限らない。このため、概略図のそれぞれは、要素の１つの例示的な構成を示すものの、さらなる介在する要素、デバイス、特徴、または構成要素が、実施形態において存在することが可能である（デバイスまたはシステムの機能が悪影響を受けないことを前提として）。
【００２０】
図１は、本発明の例示的な実施形態に従って構成されたネットワークベースの医療デバイスシステム１００の概略図である。この例において、システム１００は、ユーザの身体へのインスリンの注入を調整するインスリン注入システムである。しかし、本発明の態様は、他の医療デバイスシステムに関連して利用されることも可能である。簡単に言うと、システム１００は、１つ以上のネットワークデバイス１０４と（単方向または双方向）通信する１つ以上のローカルデバイスを有する。本明細書で使用されるネットワークデバイス１０４は、ローカル注入システム１０２内で使用されるローカルデータ通信プロトコルおよびローカルデータ通信技術を利用する必要がないため、ならびにローカル注入システム１０２内のローカルデバイスに物理的に近接している必要がないため、ローカル注入システム１０２の「外部」にある。所与のローカル注入システム１０２が、所与のネットワークデバイス１０４と通信する仕方は、システム１００の特定の構成、ローカルデバイスの特性、およびネットワークデバイス１０４の特性に応じて異なることが可能である。例えば、ネットワーク通信は、１つのデータ通信ネットワーク１０６を使用する、複数のデータ通信ネットワーク１０８／１１０を使用する、直接の無線接続もしくは有線接続１１２を使用するなどして、ルーティングされることが可能である。１つの例示的な実施形態において、ローカル注入システム１０２内の無線デバイスからのデータ（および／または異なるローカル注入システムに関連する無線デバイスからのデータ）が、ネットワークデバイス１０４に対するインターフェースの役割をする無線遠隔測定ルータデバイスによって収集されることが可能である。１つの例示的な無線遠隔測定ルータデバイスが、図２１に関連して後段でより詳細に説明される。
【００２１】
ローカル注入システム１０２内、および／またはローカル注入システム１０２内のデバイスと、ネットワークデバイス１０４との間で通信されるデータには、例えば、以下が含まれる、または以下を代表とすることが可能である。すなわち、ローカル注入システム１０２内のデバイスのいずれかと関係する、またはローカル注入システム１０２自体と関係する生理学的な患者データ、デバイスステータス情報、時刻と日付の情報、警報／警告ステータス、患者の操作／手術、患者のステータス、または患者の状態と関係する他の情報である。例えば、そのようなデータには、ボーラス情報、基礎情報、またはセンサ情報が含まれる、または代表となることが可能である。また、そのようなデータには、リマインダ（思い出させるための合図）、イベントマーカ（食事、運動などに関する）、警報、通知などの、患者、介護者、またはローカルデバイスもしくはネットワークデバイス１０４へのアクセスを有する別の個人によって入力される情報（これらに限られるものではない）が含まれる、または代表となることも可能である。
【００２２】
一部の実施形態では、ローカル注入システム１０２内のデバイスは、適切に構成された中継(変換：translation)デバイス、中継システム、または中継アプリケーション１１３を介してネットワークデバイス１０４と通信することができる。例えば、そのような中継デバイス１１３が、ＵＳＢ、ＩＥＥＥ１３９４などの標準化されたデータ通信インターフェースを介して１つ以上のネットワークデバイス１０４に結合されている間、適切なＲＦデータ通信プロトコル（公開されているものでも、独自のものでもよい）を使用してローカル注入システム１０２内のデバイスと通信するように構成されることが可能である。また、中継デバイス１１３には、患者または介護者が、あるデバイスから受信されたデータをポータブルストレージデバイスの中に保存し、そのストレージデバイスを、互換性のある任意のコンピューティングデバイス、例えば、医師のオフィスにおけるパーソナルコンピュータに物理的に運ぶことができるように、フラッシュメモリ能力が与えられることも可能である。１つの例示的な中継デバイスが、図１８〜図２０に関連して後段でより詳細に説明される。
【００２３】
本明細書で使用される「データ通信ネットワーク」は、発信元構成要素と宛先構成要素との間のデータ通信をサポートするように構成されたハードウェア、ソフトウェア、ファームウェア、および／または処理ロジックを含め、任意の数の物理的構成要素、仮想構成要素、または論理構成要素を表す。ただし、データ通信は、指定された１つ以上の通信媒体を介して指定された１つ以上の通信プロトコルに従って実行される。データ通信ネットワークによって利用される通信ハードウェアには、ＳＤＩＯ、ＵＳＢ対応の無線モジュールなどの機械的に着脱可能なユニットが含まれることが可能である。例えば、データ通信ネットワーク１０６には、ローカルエリアネットワークまたはワイドエリアネットワークなどのコンピュータネットワーク、ポケットベルネットワーク、セルラー遠隔通信ネットワーク、コードレス電話システム、８０２．１１ネットワーク（ＷｉＦｉ）、８０２．１６ネットワーク（ＷｉＭＡＸ）、インターネット、ＩＥＥＥ  Ｐ１９０１  ＢＰＬ（Ｂｒｏａｄｂａｎｄ  ｏｖｅｒ  Ｐｏｗｅｒ  Ｌｉｎｅｓ）、病院データ通信ネットワーク（ＷＭＴＳ、またはその他）、ホーム制御ネットワーク、ホームセキュリティシステム、またはホーム警報システムなどのホームネットワーク、公衆交換電話網、衛星通信ネットワークなどが含まれ得るが、これらに限るものではない。実施形態において、ローカル注入システム１０２とネットワークデバイス１０４の間のネットワーク通信は、知られているネットワークインターフェース技術、または独自のネットワークインターフェース技術を使用して、２つ以上の異なるタイプのデータ通信ネットワークによってルーティングされることが可能である。
【００２４】
ネットワークベースの注入システム１００の柔軟な性質が、様々な外部デバイスおよびリモートネットワークデバイス１０４と通信するローカル注入システム１０２を表す図１に示される。ある実施形態では、ローカル注入システム１０２内のローカルデバイスは、臨床モニタまたは病院監視機器などの固定型監視デバイス１１４、ラップトップＰＣ、パームトップＰＣ、またはタブレットＰＣなどのポータブルコンピュータ１１６、デスクトップＰＣなどの固定型コンピュータ１１８、パーソナルデジタルアシスタント（ＰＤＡ）１２０（これはポータブル電子メールデバイスであってもよい）、スマートフォン１２２（これはポータブル電子メールデバイスであってもよい）、セルラー電話機もしくはコードレス電話機などの無線電話機１２４、さらなる１つ以上のコンピューティングデバイスまたはデータベース１２６、に対するネットワーク通信の伝送をサポートするように適切に構成されることが可能である。後段でより詳細に説明されるとおり、これらのローカルデバイスは、ローカルネットワークインターフェースだけを介して通信する必要はなく、そのようなデバイスは、他の手段を使用して通信してもよい。可能なネットワークデバイス１０４の以上のリストは、網羅的なものではなく、システム１００の実施態様は、ローカル注入システム１０２の外部の他のネットワークシステム、ネットワーク機器、ネットワークコンピューティングデバイス、ネットワーク構成要素、およびネットワーク要素とのネットワーク通信に対応するように設計されることが可能である。
【００２５】
１つの実施形態では、ローカル注入システム１０２は、患者によってローカルで制御され、監視されるインスリン注入システムとして実現される。この実施例では、ローカル注入システム１０２は、少なくとも注入ポンプ１２８を含む。また、ローカル注入システム１０２は、以下の構成要素のいずれを含むことも可能であるが、以下のものに限定されるわけではない。すなわち、連続グルコースセンサ（無線送信機を含むことが可能な）などの生理学的特性センサ１３０、ポータブルディスプレイデバイス１３２、リモートコントロールデバイス１３４、ＢＧメータ１３６もしくは他の生理学的特性メータ、注入ポンプ１２８のためのコマンド表示コントローラ１３８、および臨床モニタまたは病院モニタとして実現されることが可能なモニタデバイス１４０である。これらのローカルデバイスのそれぞれは、後段でより詳細に説明される。
【００２６】
図１に示されるとおり、これらのローカルデバイスは、ローカル注入システム１０２内のローカル通信（ローカル通信情報）を送受信するように構成されることが可能であり、ただし、そのようなローカル通信は、指定された１つ以上のローカルデータ通信プロトコルに従って送受信される。例えば、ローカル通信は、１つ以上の無線データ通信プロトコル（ＲＦ技術、赤外線技術、磁気誘導技術、または他の無線技術を利用することが可能な）を使用して、さらに／または１つ以上の有線データ通信プロトコルを使用して、ローカルデバイス間で交換されることが可能である。ローカル注入システム１０２は、任意の所与のローカルデバイスが、他の任意のローカルデバイスと通信することができるように、柔軟に構成されることが可能であり、２つのローカルデバイス間の通信リンクまたは通信パスは、単方向であっても、双方向であってもよい。図１は、各通信リンクまたは通信パスが双方向である（双方向矢印で表される）例示的な実施形態を示す。
【００２７】
注入ポンプ１２８が、例えば、注入セットを介して、ユーザの身体にインスリンなどの液体を送り込むように構成される。１つの例示的な実施形態によれば、注入ポンプ１２８は、中央ハブの役割をし、ローカル注入システムに関する処理ロジックおよびインテリジェンス（知能）のほとんどは、注入ポンプ１２８に存在する。一部の実施形態では、ローカル医療デバイスシステム、例えば、従来のインスリン注射療法に関連して利用される監視システムは、注入ポンプ１２８を含まなくてもよい。さらに、注入ポンプ１２８は、ディスプレイを含まなくてもよい。ディスプレイを欠くある実施形態では、ポータブルディスプレイデバイス１３２、リモートコントロールデバイス１３４、コマンドディスプレイコントローラ１３８、またはローカル注入システム１０２内の他の任意のデバイスが、注入ポンプ１２８のためのリモートディスプレイの役割をすることができる。リモートディスプレイに関する他の選択肢には、前述したネットワークデバイス１０４、例えば、無線電話機１２４、モニタデバイス１１４、ポータブルコンピュータ１１６、またはパーソナルデジタルアシスタント１２０のいずれかが含まれるが、以上には限定されない。
【００２８】
実際には、注入ポンプ１２８の動作は、コマンド表示コントローラ１３８（これは注入ポンプ１２８に関するハンドヘルドモニタ／コントローラとして実現されることが可能）によって、リモートコントロールデバイス１３４によって、さらに／またはモニタ１４０によって、遠隔制御されることが可能である。１つの例示的な実施形態では、ＢＧメータ１３６が、コントローラデバイスの機能を含み、両方の構成要素が単一の筐体を共用するようにされることが可能である。１つのそのようなＢＧメータが、内容を本願に引用して援用する「Ｃｏｎｔｒｏｌｌｅｒ  Ｄｅｖｉｃｅ  ｆｏｒ  ａｎ  Ｉｎｆｕｓｉｏｎ  Ｐｕｍｐ」という名称の米国特許出願第１１／２０４６６７号において説明されている。注入ポンプ１２８の制御は、注入ポンプ１２８自体に配置された、適切に構成されたユーザインターフェースを介して可能でもある。
【００２９】
また、ローカル注入システム１０２は、患者の生理学的特性を測定するように適切に構成された生理学的特性センサ１３０を含むことも可能である。さらに、センサ１３０は、センサ１３０が注入ポンプ１２８の動作を制御することができるようにする処理制御ロジックを含むことが可能である。そのような制御は、センサ１３０によって獲得された測定値に応じたものとすることが可能である。本明細書で説明される例示的なシステムにおいて、センサ１３０は、患者のＢＧレベルをリアルタイムで測定する連続ＢＧセンサである。センサ１３０は、ローカル注入システム１０２内の他のデバイスにユーザの生理学的データを伝送することを円滑にする無線送信機を含むことが可能である。代替として、センサ１３０は、モニタまたはユーザインターフェースに直接に結線されてもよい。また、センサ１３０は、投薬の監視およびプログラミングが、遠隔で実行されることが可能であるように、モニタ１４０にリンクされることも可能である。代替として、センサ１３０は、例えば、Ｂｌｕｅｔｏｏｔｈ、ＺｉｇＢｅｅなどを介して、外部ネットワーク空間におけるデバイスと直接に通信してもよい。
【００３０】
ローカルデバイスは、受信されたセンサデータを適切な仕方で処理することができる。例えば、ポータブルディスプレイデバイス１３２、リモートコントロールデバイス１３４、ＢＧメータ１３６、コマンド表示コントローラ１３８、モニタ１４０、または注入ポンプ１２８が、受信されたセンサデータから導き出された現在のＢＧレベルを表示し、さらに／または、低いＢＧレベルまたは高いＢＧレベルの場合に警告その他を示すことが可能である。別の例として、ＢＧメータ１３６または注入ポンプ１２８が、較正の目的で、受信されたセンサデータを処理することが可能である。さらに別の実施例として、注入ポンプ１２８が、受信されたセンサデータに応答して、ポンプ１２８の注入機構を作動させるように構成されることが可能である。さらに、センサデータは、ローカルデバイスの１つ以上において、さらに／またはネットワークデバイス１０４の１つ以上において処理されることも可能である。これに関して、システム１００は、センサデータの処理のために分散処理技術を利用してもよい。
【００３１】
ローカル注入システム１０２内のデバイスのいずれも、ローカル注入システム１０２内のデバイスのいずれかと関係する、またはローカル注入システム１０２自体と関係する、生理学的な患者データ、デバイスステータス情報、時刻と日付の情報、警報／警告ステータス、および患者の操作／手術、ステータス、または状態と関係する他の情報の表示を円滑にするディスプレイ、および関連する処理ロジックを含むことが可能である。ポータブルディスプレイデバイス１３２が、限られた機能を有する小型デバイスとして実現されることが可能である。これに関して、ポータブルディスプレイデバイス１３２は、キーホルダ、カラビナ、ペンダント、インスリンペン、クレジットカードディスプレイなどに組み込まれてもよい。他のローカルデバイスは、そのようなデバイスの特定の機能と関係する拡張されたディスプレイ能力を有することが可能である。例えば、ＢＧメータ１３６は、メータ１３６の測定機能に特有であるディスプレイ機能を含むことが可能である。
【００３２】
ＢＧメータ１３６は、一般に、血液サンプルを分析することによってユーザのＢＧレベルを測定するように構成される。例えば、ＢＧメータ１３６は、血液サンプル試験ストリップを受けるためのレセプタクル（受け取り口）を含むことが可能である。これに関して、ユーザは、サンプルを分析するＢＧメータ１３６の中に試験ストリップを挿入し、この試験ストリップサンプルに対応するＢＧレベルを表示する。ＢＧメータ１３６は、ローカル注入システム１０２内の他のローカルデバイスに伝送するために、測定されたＢＧレベルを伝えるローカル通信を生成するように構成されることが可能である。特定の応用先に応じて、ＢＧメータ１３６は、注入ポンプ１２８に関する監視デバイスの機能、および／または注入ポンプ１２８に関するコントローラデバイスの機能を含むことも可能である。
【００３３】
コマンド表示コントローラ１３８は、好ましくはハンドヘルドモニタ／コントローラデバイスとして実現され、これは注入ポンプ１２８とは物理的に別個であるものの、ユーザが、注入ポンプ１２８の動作を監視し、制御することができるようにする。これにより、ユーザが、デバイスを物理的に扱うことなしに注入ポンプ１２８を操作することが可能になる。後段でより詳細に説明されるとおり、コマンド表示コントローラ１３８は、ローカル通信またはローカルコマンドを注入ポンプ１２８に伝送するための通信モジュールを含む。さらなる実施形態において、コマンド表示コントローラ１３８は、ローカル注入システム１０２内の注入ポンプ１２８または他の構成要素から送信されたローカル通信を受信することができる。例示的な実施形態において、コマンド表示コントローラ１３８は、ローカル注入システム１０２の外部のネットワークデバイスへのネットワーク通信、およびそのようなデバイスからのネットワーク通信を扱うためのネットワーク通信モジュールも含む。さらに、コマンド表示コントローラ１３８は、ユーザ入力に対処する、キー、ボタンなどの、コントローラ１３８の筐体上の１つ以上のユーザ入力要素を含むことが可能である。実施形態において、コマンド表示コントローラ１３８は、注入ポンプ１２８上に表示される情報の少なくとも一部分を同時に表示するように構成されることが可能な、コントローラ１３８の筐体上のディスプレイを含む。
【００３４】
個人的使用のための臨床モニタとして、または介護者使用のための病院モニタとして実現されることが可能なモニタ１４０は、注入ポンプ１２８（および、場合により、ローカル注入システム１０２内の他のデバイス）の遠隔監視を可能にする。本明細書で説明されるモニタ１４０、または他のモニタは、注入ポンプ１２８を利用しない応用例、例えば、患者データ（グルコースレベルなど）を監視する応用例において利用されてもよい。さらに、モニタ１４０は、注入ポンプ１２８、および／またはローカル注入システム１０２内の他のデバイスの遠隔プログラミングおよび遠隔制御を可能にするように適切に構成されることが可能である。これに関して、本明細書で使用される「モニタ」とは、一般に、モニタ専用デバイスまたはモニタ／コントローラデバイスを指すことが可能である。実際には、モニタ１４０は、注入システム１０２のポータブルデバイスまたはハンドヘルドデバイスと比べて比較的大きいデバイスである。リモートコントロールデバイス１３４、ポータブルディスプレイデバイス１３２、およびコマンド表示コントローラ１３８とは異なり、モニタ１４０は、多少固定的であり、ユーザによって携帯されないことが意図されている。例えば、臨床モニタは、患者のベッドの脇のナイトテーブル上に配置されることが可能であるのに対して、病院モニタは、患者の部屋の中の医療機器カート上、または医療機器スタンド上に配置されることが可能である。ローカル注入システム１０２の、より小型のポータブルデバイスとは異なり、モニタ１４０は、好ましくは、注入ポンプ１２８上に表示される情報の少なくとも一部分を同時に表示するように構成されることが可能な、大型で、読み取りやすいディスプレイ要素を含む。
【００３５】
コマンド表示コントローラ１３８に関連して前述したとおり、モニタ１４０は、ユーザが、注入ポンプ１２８を遠隔操作することを可能にするように構成されることも可能である。モニタ１４０は、ローカル注入システム１０２内のローカル通信を送信および／または受信するための通信モジュールを含むことが可能である。さらに、モニタ１４０は、ローカル注入システム１０２の外部のネットワークデバイスへのネットワーク通信、およびそのようなデバイスからのネットワーク通信を扱うためのネットワーク通信モジュールを含むことが可能である。さらに、モニタ１４０は、ユーザ入力に対処する、キー、ボタンなどの、モニタ１４０の筐体上の１つ以上のユーザ入力要素を含むことが可能である。
【００３６】
図１に示されるとおり、ローカル注入システム１０２は、ローカルデバイス間で可能な多くの通信パスを確立することができる。実施形態において、コントローラデバイス（例えば、リモートコントロールデバイス１３４、コマンド表示コントローラ１３８、およびモニタ１４０）が、注入ポンプ１２８と、ＢＧメータ１３６などのローカル注入システム１０２の他の構成要素との間で中継装置（トランスレータ）の役割をすることが可能である。例えば、コントローラデバイスは、ローカル注入システム１０２内の宛先デバイスの表示要件に適合させるために、注入ポンプ１２８から受信されたデータをどのように変換するのが最善であるかを決定する能力を有することが可能である。図１に示されるとおり、注入ポンプ１２８は、ＢＧメータ１３６と直接に通信することができる。一部の実施形態では、ローカル注入システム１０２は、注入ポンプ１２８と通信することができる複数のコントローラを含むことが可能である。他の実施形態では、任意の所与の時点で、１つのコントローラデバイスだけしか、注入ポンプ１２８と通信することができない。また、コントローラデバイス機能は、一部の実施形態において、注入ポンプ１２８に組み込まれることも可能である。さらに別の実施形態では、ＢＧメータ１３６が、コントローラデバイスに組み込まれて、両方の特徴が、単一のデバイス筐体を共用するようにされることが可能である。
【００３７】
図２は、本発明の例示的な実施形態に従って構成された例示的な臨床モニタ２００の正面図である。図１を参照すると、臨床モニタ２００が、ローカル注入システム１０４内に（モニタ１４０として）、さらに／またはネットワークデバイス１０４として（例えば、モニタ１１４として）配置されることが可能である。臨床モニタ２００は、インスリン注入ポンプの活動を監視するのに利用されることが可能であるが、そうである必要はない。臨床モニタ２００は、一般に、筐体２０２、筐体２０２を支持するスタンド２０４、ディスプレイ要素２０６、およびユーザインターフェース機能２０８を含む。臨床モニタ２００の実施形態は、ＡＣ電源プラグ２１０、１つ以上のスピーカ２１２、１つ以上のローカルデバイスインターフェース２１４、および１つ以上のネットワークインターフェース２１６を含むことが可能である。
【００３８】
前述したとおり、臨床モニタ２００は、患者のナイトテーブル上などの、適切な場所に配置された幾分固定的な装備品として使用されることが意図されている。つまり、臨床モニタ２００は、ポータブル構成要素またはハンドヘルド構成要素であるように設計されていない。したがって、筐体２０２は、任意の知られているディスプレイ技術（例えば、陰極線管、ＬＣＤパネル、またはプラズマパネル）を利用することが可能である、比較的大型のディスプレイ要素２０６を収容するようなサイズであることが可能である。ディスプレイ要素２０６のサイズは、特定の応用例のニーズに合うように変化することが可能であり、通常のサイズは、対角１０インチから対角２０インチまでの範囲であることが可能である。また、筐体２０２は、警報通知または警告通知を生成するように作動させられることが可能な内蔵スピーカ２１２を収容するように構成されることも可能である。また、筐体２０２は、図２に示されるユーザインターフェース機能２０８を収容するように設計されることも可能である。スタンド２０４は、筐体２０２を支持し、臨床モニタ２００のための安定した取り付け場所を提供するように適切に構成される。図２に示される例示的な実施形態において、スタンド２０４は、１つ以上のユーザインターフェース機能２０８を収容するようにも構成される。ユーザインターフェース機能２０８には、ユーザが、オプションを選択する、情報を入力する、またはそれ以外で臨床モニタ２００の動作を制御することを可能にするキーパッド、キー、ボタン、スイッチ、ノブ、タッチパッド、ジョイスティック、ポインティングデバイス、仮想書き込みタブレット、または任意のデバイス、構成要素、もしくはファンクションが含まれることが可能である。
【００３９】
臨床モニタ２００は、ディスプレイ要素２０６上で情報を表示するように適切に構成された処理ロジック、ディスプレイドライバ、およびメモリ（図２では図示せず）を含むことが可能である。実施形態において、臨床モニタ２００は、例えば、ＢＧレベル、ＢＧトレンドもしくはＢＧグラフ、または輸液情報などの、ユーザによって要求された情報を表示するように、注入ポンプによって行われた、命令された動作と関係する情報を表示するように、または注入ポンプに関するステータスデータを表示するように機能する。臨床モニタ２００は、注入ポンプから、またはローカル注入システム内の任意のデバイスから受信されたローカル通信の中で伝送された情報を表示するように構成されることが可能である。任意の時点で、ディスプレイ要素２０６は、注入ポンプ上に示されるのと実質的に同一の情報を示すことができ、この２つのディスプレイは、互いを模倣して、ユーザが、注入セットを介して患者の身体に通常、取り付けられている注入ポンプからではなく、臨床モニタ２００から、選択された情報を便利に見ることを選択できるようにすることが可能である。また、ディスプレイ要素２０６は、見ることを容易にするバックライトを含むことも可能である。このバックライトは、警告または警報のレベルに適切な色を点滅させることによって、視覚的標識の機能をさらに実行するユーザプログラマブルマルチカラーバックライトであることが可能である。また、このバックライトは、ユーザ選好に対処し、さらに／または異なる警告ステータスもしくは警報ステータスを示す可変の強度（自動または手動）を有することも可能である。
【００４０】
後段でより詳細に説明されるとおり、臨床モニタ２００は、臨床モニタ２００と、ローカル注入システム内の他のローカルデバイスとの間のデータ通信、および／または臨床モニタ２００と、ローカル注入システムの外部のネットワークデバイスとの間のデータ通信を円滑にする１つ以上の通信モジュール（図２に示さず）を含むことが可能である。例えば、ローカル通信モジュールは、ローカルデバイスインターフェースと協働して、ローカルデバイスからローカル通信を受信し、さらに／またはローカルデバイスにローカル通信を送信することができる。ローカル通信モジュールおよびローカルデバイスインターフェースは、無線データ通信プロトコルおよび／または有線データ通信プロトコルをサポートするように構成されることが可能である。ある実施形態では、ローカルデバイスインターフェース２１４は、ローカルデバイスに対する通信リンクを確立するデータ通信ケーブル、または任意の適切に構成された物理的構成要素に対する接続を円滑にする物理インターフェース（プラグ、ジャック、コネクタ、ＵＳＢポートなどの）を表すことが可能である。別の例として、ネットワーク通信モジュールは、ネットワークインターフェースと協働して、ネットワークデバイスからネットワーク通信を受信し、さらに／またはネットワークデバイスにネットワーク通信を送信することができる。ネットワーク通信モジュールおよびネットワークインターフェースは、無線データ通信プロトコルおよび／または有線データ通信プロトコルをサポートするように構成されることが可能である。ある実施形態では、ネットワークインターフェース２１６は、ネットワークデバイスに対する通信リンクを確立するデータ通信ケーブル、または任意の適切に構成された物理的構成要素に対処する物理インターフェース（プラグ、ジャック、コネクタ、ＵＳＢポートなどの）を表すことが可能である。また、臨床モニタ２００は、１つ以上の無線ローカルデバイスインターフェース、および１つ以上の無線ネットワークインターフェースを利用することも可能であるが、そのような無線インターフェースは、筐体２０２外部のポイントから見えないようにしてもよい。
【００４１】
図３は、本発明の例示的な実施形態に従って構成された例示的な病院モニタ３００の正面図である。病院モニタ３００は、臨床モニタ２００に類似し、両方のモニタは、いくつかの共有される特徴および機能を含む。簡明のため、そのような共通の特徴および機能を本明細書で冗長に説明することはしない。病院モニタ３００は、一般に、情報を適切な仕方で表示し、さらに／または処理するように構成される。そのような情報は、警報、警告、あるいは、そのような情報／データを最初に生成した、または処理した場所またはデバイスにかかわらず、図１に関して前述した情報タイプもしくはデータタイプのいずれかであることが可能である。一般に、図１を参照すると、病院モニタ３００は、ローカル注入システム１０２内に（モニタ１４０として）、さらに／またはネットワークデバイス１０４として（例えば、モニタ１１４として）配置されることが可能である。病院モニタ３００は、一般に、筐体３０２、ディスプレイ要素３０４、ユーザインターフェース機能３０６、ＡＣ電源プラグ３０８、１つ以上のスピーカ（図３では隠れて見えない）、１つ以上のローカルデバイスインターフェース３１０、および１つ以上のネットワークインターフェース３１２を含む。この例示的な実施形態では、病院モニタ３００は、導管３１４を介して患者に液体を送る内蔵注入ポンプも含む。
【００４２】
病院モニタ３００は、患者の部屋の中のカートまたは機器ラックなどの、適切な場所に配置された幾分固定的な装備品として使用されることが意図されている。つまり、病院モニタ３００は、ポータブル構成要素またはハンドヘルド構成要素であるように設計されていない。病院モニタ３００は、実質的に、臨床モニタ２００に関連して前述したとおりに動作するように適切に構成される。しかし、臨床モニタ２００とは異なり、病院モニタ３００は、注入ポンプ、およびこの注入ポンプの動作と関係する制御機能を含むことが可能である。さらに、病院モニタ３００は、ネットワーク通信モジュールとネットワークインターフェースとを使用することが可能であり、これらは協働して、病院ネットワークデバイスからのネットワーク通信を受信し、さらに／または病院ネットワークデバイスにネットワーク通信を送信する。本明細書で使用される「病院ネットワーク」とは、発信元構成要素と宛先構成要素との間のデータ通信をサポートするように構成されたハードウェア、ソフトウェア、ファームウェア、および／または処理ロジックを含め、任意の数の物理的構成要素または論理構成要素を指し、ここで、データ通信は、病院環境のために確保された、または病院環境において利用される１つ以上の通信プロトコルに従って実行される。
【００４３】
図４Ａは、本発明の例示的な実施形態に従って構成されたハンドヘルドモニタ／コントローラ４００の正面図である。ハンドヘルドモニタ／コントローラ４００は、臨床モニタ２００に類似し、両方のモニタは、いくつかの共有される特徴および機能を含む。簡明のため、そのような共通の特徴および機能を本明細書で冗長に説明することはしない。図１を参照すると、ハンドヘルドモニタ／コントローラ４００は、ローカル注入システム１０２内に（コマンド表示コントローラ１３８またはリモートコントロールデバイス１３４として）、さらに／またはネットワークデバイス１０４として（例えば、パーソナルデジタルアシスタント１２０として）配置されることが可能である。ハンドヘルドモニタ／コントローラ４００は、一般に、筐体４０２、ディスプレイ要素４０４、ユーザインターフェース機能４０６、１つ以上のスピーカ４０８、１つ以上のローカルデバイスインターフェース（図示せず）、および１つ以上のネットワークインターフェース（図示せず）を含む。
【００４４】
ハンドヘルドモニタ／コントローラ４００は、ユーザによって携帯されることが可能なポータブルデバイスおよびモバイルデバイスとして使用されることが意図されている。特定の実施形態において、ハンドヘルドモニタ／コントローラ４００は、患者の注入ポンプとの無線通信をサポートし、ハンドヘルドモニタ／コントローラ４００の遠隔測定範囲は、局所化される。ハンドヘルドモニタ／コントローラ４００は、実質的に、臨床モニタ２００に関連して前述したとおりに動作するように適切に構成される。例示的な実施形態は、無線ローカルデバイスインターフェースおよび無線ネットワークインターフェースを利用するものの、ハンドヘルドモニタ／コントローラ４００は、ローカル注入システム内の他のデバイス、および／またはローカル注入システムの外部のネットワークデバイスに対する直接の物理的接続に対処する有線インターフェースを含むことも可能である。
【００４５】
ハンドヘルドモニタ／コントローラ４００（および本明細書で説明されるその他のポータブルデバイス）の電力は、バッテリによって供給されることが可能である。バッテリは、使い捨てバッテリ、または充電可能なバッテリであることが可能である。バッテリが充電可能である場合、バッテリが、筐体４０２内に留まっている間に、デバイスを電気コンセント、ドッキングステーション、ポータブル充電器などに接続するためのハンドヘルドモニタ／コントローラ４００上のコネクタまたは他のインターフェースが、存在することが可能である。また、充電可能なバッテリは、外部充電のために筐体４０２から取り外し可能であってもよい。しかし、実際には、充電可能なバッテリを筐体４０２内に密閉して、耐水性もしくは防水性のより高いコンポーネントを作り出してもよい。さらなる実施形態において、ハンドヘルドモニタ／コントローラ４００は、複数のタイプのバッテリに対応するように適合されることが可能である。例えば、ハンドヘルドモニタ／コントローラ４００は、充電可能なバッテリ、および（バックアップの目的、または緊急時の目的で）ＡＡバッテリ（単三電池）、ＡＡＡバッテリ（単四電池）、またはコインバッテリなどの容易に入手可能なバッテリタイプに対応するように構成されることが可能である。
【００４６】
図４Ｂは、本発明の別の例示的な実施形態に従って構成されたハンドヘルドモニタ／コントローラ４１０の正面図である。ハンドヘルドモニタ／コントローラ４１０は、ハンドヘルドモニタ／コントローラ４００に類似し、両方のデバイスは、いくつかの共有される特徴および機能を含む。簡明のため、そのような共通の特徴および機能を本明細書で冗長に説明することはしない。
【００４７】
ハンドヘルドモニタ／コントローラ４１０は、好ましくは、モニタ／コントローラ４１０が無線ローカル通信および／または無線ネットワーク通信を扱うことを可能にする無線データ通信機能を含む。さらに、ハンドヘルドモニタ／コントローラ４１０は、ケーブルコネクタ、ジャック、プラグ、またはレセプタクルとして実現されることが可能な有線ネットワークインターフェースもしくはケーブル配線ネットワークインターフェース４１２を含むことが可能である。図４Ｂは、ハンドヘルドモニタ／コントローラ４１０のディスプレイ要素４１４上に表示される例示的な内容を示す。この内容は、ハンドヘルドモニタ／コントローラ４１０に関する１つの特定の「スクリーンショット」を表し、実際には、任意の数の異なる表示スクリーンが、デバイスの意図される機能および特徴に合うように生成されることが可能である。図４Ｂの例示的なスクリーンショットは、クロック表示、ＲＦクオリティインジケータ４１６、バッテリインジケータ４１８、注入ポンプの中に残っている液体の量を表す液体レベルインジケータ４２０、患者に関する現在のＢＧ値（この例では、「２４０」）、および推奨されるボーラス値（この例では、「４．３」ユニット）を含む。また、ハンドヘルドモニタ／コントローラ４１０は、ユーザに案内または指示を与える１つ以上のプロンプトを表示することもできる。この実施例では、ディスプレイ要素４１４は、「続けるなら「ＯＫ」を押してください」というプロンプト表示を含む。ユーザは、「ＯＫ」を押して、推奨されるボーラスを投与するように注入ポンプを制御する作動要求などの、他のオプションを表示することができる。
【００４８】
図５は、本発明の例示的な実施形態に従って構成された医療デバイスシステムモニタ５００の概略図である。モニタ５００は、モニタ５００の特定の構成に依存して、臨床モニタ、病院モニタ、またはハンドヘルドモニタ／コントローラとして実現されることが可能である。この実施例において、モニタ５００は、一般に、ローカルデバイスインターフェース５０２、ローカル通信モジュール５０４、ディスプレイ要素５０６、１つ以上のユーザインターフェース特徴５０８、ネットワーク通信モジュール５１０、ネットワークインターフェース５１２、処理アーキテクチャ５１４、および適切な量のメモリ５１６を含む。モニタ５００は、病院モニタとして実装される場合、注入ポンプ５１８、および注入ポンプ５１８の動作を制御するポンプコントローラ５２０も含むことが可能である（これらの要素は、これらの要素のオプションとしての性質を示すように破線内に示される）。モニタ５００の要素は、バス５２２、または任意の適切な相互接続アーキテクチャを介して互いに結合されることが可能である。
【００４９】
モニタ５００（および本明細書で開示される他のデバイス、要素、および構成要素）に関連して説明される様々な例示的なブロック、モジュール、回路、および処理ロジックは、ハードウェア、コンピュータソフトウェア、ファームウェア、または以上の任意の組合せで実施されることが可能であることが当業者には理解されよう。ハードウェア、ファームウェア、およびソフトウェアの互換性および適合性を明らかに示すのに、様々な例示的な構成要素、ブロック、モジュール、回路、および処理ステップが、機能の点で一般的に説明されることが可能である。そのような機能が、ハードウェアとして実施されるか、ファームウェアとして実施されるか、またはソフトウェアとして実施されるかは、その実施形態に課せられる特定の応用上の制約、および設計上の制約に依存する。本明細書で説明される概念に精通している人々は、それぞれの特定の応用先に適切な仕方で、そのような機能を実施することができるが、そのような実施上の決定が、本発明の範囲からの逸脱を生じさせると解釈されるべきではない。
【００５０】
図５を再び参照すると、ディスプレイ要素５０６およびユーザインターフェース特徴５０８が、臨床モニタ２００、病院モニタ３００、およびハンドヘルドモニタ／コントローラ４００に関連して前段で説明された。簡単に言うと、ディスプレイ要素５０６は、モニタ５００が、生理学的な患者データ、ローカルデバイスステータス情報、クロック情報、警報、警告、およびモニタ５００によって受信される、または処理される任意の情報／データを表示することを可能にするように適切に構成される。例えば、ディスプレイ要素５０６は、モニタ５００が、警告信号または警報信号を伝える着信する通信（注入システム内のローカルデバイスからの、または注入システムの外部のネットワークデバイスからの）を受信すると、警告ステータスまたは警報ステータスを示すように制御されることが可能である。ユーザインターフェース特徴５０８は、ユーザが、モニタ５００の動作を制御することを可能にする。１つの例示的な実施形態では、ユーザインターフェース特徴５０８は、ユーザが、ローカル注入システム内のさらなる１つ以上のデバイス、例えば、注入ポンプの動作を制御することができるようにする。さらに、モニタ５００は、ユーザインターフェース特徴５０８が、ローカル注入システムの外部の１つ以上のネットワークデバイスの動作を制御するように操作されることが可能であるように構成されることが可能である。
【００５１】
処理アーキテクチャ５１４は、汎用プロセッサ、内容をアドレス指定することが可能なメモリ、デジタルシグナルプロセッサ、特定用途向け集積回路（ＡＳＩＣ）、フィールドプログラマブルゲートアレイ、任意の適切なプログラマブルロジックデバイス、ディスクリートのゲートロジックまたはトランジスタロジック、ディスクリートのハードウェア構成要素、または本明細書で説明される機能を実行するように設計された任意の組合せを使用して実装される、または実行されることが可能である。プロセッサは、マイクロプロセッサ、コントローラ、マイクロコントローラ、または状態マシンとして実現されることが可能である。さらに、プロセッサは、コンピューティングデバイスの組合せ、例えば、デジタルシグナルプロセッサとマイクロプロセッサの組合せ、複数のマイクロプロセッサ、デジタルシグナルプロセッサコアと連携した１つ以上のマイクロプロセッサ、または他の任意のそのような構成として実施されてもよい。
【００５２】
実際には、処理アーキテクチャ５１４は、ローカル注入システム内の送信デバイスから受信されるローカル通信の中で伝送される着信する情報、データ、および内容を解釈し処理するように、適切に構成されればよい。図１を参照すると、送信デバイスは、別のモニタデバイスを含め、ローカル注入システム１０２内のデバイスのいずれであることも可能である。そのような着信する情報には、例えばＢＧレベル（較正された読み取り値、または生の測定された値）などの、ユーザの生理学的データ、送信するローカルデバイスのステータス情報（例えば、バッテリ寿命指示、電力オン／オフステータス、送信信号電力レベル、自己試験の結果を示す診断情報）、送信するローカルデバイスの動作と関係する警告信号（例えば、バッテリ電力低下警告、範囲外警告、較正リマインダ）、注入ポンプによってユーザに送られる液体の基礎レート、注入ポンプによってユーザに送られる液体のボーラス値に関するボーラス情報、患者のための助言情報（手動で、またはネットワーク接続を介して遠隔で補給品を発注するようにという通知、医師の予約をスケジュールするようにというリマインダ、介護者による分析のためのデータダウンロードをスケジュールする、または自動的に実行するリマインダ、定期的な診断を実行するようにという通知）が含まれるが、これらに限定されるものではない。
【００５３】
また、処理アーキテクチャ５１４は、ローカル注入システムの外部の発信元デバイスによって生成されたネットワーク通信の中で伝送される、着信する情報、データ、および内容を解釈し処理するように構成されてもよい。図１を参照すると、発信元デバイスは、ネットワーク化されたモニタデバイスを含め、任意のネットワークデバイス１０４であってよい。そのような着信するネットワーク情報には、例えば、注入システム内のローカルデバイスに関するプログラミングデータ、注入システム内の注入ポンプ、または別のローカルデバイスに関する作動命令、注入システム内のローカルデバイスに関するステータス要求、ユーザの生理学的データを求める要求、注入システム内のローカルデバイスに関する警告もしくは警報のイネーブル命令またはディセーブル命令（モニタ５００によって処理される、さらに／またはモニタ５００によって適切なローカルデバイスにルーティングされることが可能である）、患者のための助言情報（手動で、またはネットワーク接続を介して遠隔で補給品を発注するようにという通知、医師の予約をスケジュールするようにというリマインダ、介護者による分析のためのデータダウンロードをスケジュールする、または自動的に実行するリマインダ、定期的な診断を実行するようにという通知）が含まれるが、これに限定されるものではない。
【００５４】
メモリ５１６は、ＲＡＭメモリ、フラッシュメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の任意の形態の記憶媒体として実現されることが可能である。これに関して、メモリ５１６は、処理アーキテクチャ５１４が、メモリ５１６から情報を読み取ることができ、さらにメモリ５１６に情報を書き込むことができるように、処理アーキテクチャ５１４に結合されることが可能である。代替として、メモリ５１６は、処理アーキテクチャ５１４と一体であってもよい。例として、処理アーキテクチャ５１４およびメモリ５１６は、ＡＳＩＣ内に存在することが可能である。この実施例では、メモリ５１６は、ユーザのデバイスステータスデータ５２４および／または生理学的データ５２６を格納するのに利用されることが可能であり、ただし、そのようなデータは、ローカル通信を介して、ネットワーク通信を介して、または直接に（例えば、モニタ５００が、テストストリップから直接に、または直接ユーザ入力を介してＢＧデータを受信するように構成されている場合）モニタ５００に通信される。
【００５５】
モニタ５００は、ネットワーク接続を介してアクセス可能なリモートデータベースまたはリモートデータバンクと通信するように構成されることが可能である。例えば、図１を参照すると、システム１００内のネットワークデバイス１０４が、モニタ５００にデータを提供するネットワークデータベース１２６として実現されることが可能である。そのような実施形態において、モニタ５００は、必要に応じて、リモートデータベースからデータをダウンロードし、必要な場合、そのデータをメモリ５１６の中に格納する、またはそれ以外で、ダウンロードされたデータを適切な仕方で処理することができる。
【００５６】
モニタ５００のある実施形態は、任意の数のローカル通信モジュール５０４、および任意の数のローカルデバイスインターフェース５０２を使用することができる。簡明のため、本明細書で説明される実施例は、１つのローカル通信モジュール５０４、および１つのローカルデバイスインターフェース５０２を使用する。ローカル通信モジュール５０４およびローカルデバイスインターフェース５０２は、モニタ５００と、ローカル注入システム内のデバイス（例えば、図１に示される注入システム内のデバイスのいずれか）との間のローカル通信をサポートするように適切に構成される。特定の実施態様では、ローカル通信モジュール５０４およびローカルデバイスインターフェース５０２は、モニタ５００から１つ以上のローカルデバイスへの単方向通信、１つ以上のローカルデバイスからモニタ５００への単方向通信、またはモニタ５００と１つ以上のローカルデバイスとの間の双方向通信をサポートするように構成してもよい。このため、ローカルデバイスインターフェース５０２は、ローカル注入システム内の送信デバイスからローカル通信を受信し、さらに／またはローカル注入システム内の受信デバイスにローカル通信を送信するように構成されることが可能である。さらに、特定の実施態様に依存して、ローカル通信モジュール５０４およびローカルデバイスインターフェース５０２は、無線データ通信をサポートするように、有線／ケーブル配線データ通信をサポートするように、あるいはその両方をサポートするように構成されることが可能である。
【００５７】
ローカル通信の無線伝送のため、ローカル通信モジュール５０４およびローカルデバイスインターフェース５０２は、モニタ５００と通信するローカルデバイスによってもサポートされる１つ以上の無線データ通信プロトコルをサポートする。例えば、ＲＦ、ＩｒＤＡ（赤外線）、Ｂｌｕｅｔｏｏｔｈ、ＺｉｇＢｅｅ（およびＩＥＥＥ８０２．１５プロトコルのその他の変種）、ＩＥＥＥ８０２．１１（任意の変種）、ＩＥＥＥ８０２．１６（ＷｉＭＡＸ、または他の任意の変種）、直接シーケンス拡散スペクトル、周波数ホッピング拡散スペクトル、セルラー／無線／コードレス遠隔通信プロトコル、無線ホームネットワーク通信プロトコル、ページングネットワークプロトコル、磁気誘導、衛星データ通信プロトコル、ＷＭＴＳ帯域において動作するものなどの無線病院ネットワークプロトコルもしくは医療施設ネットワークプロトコル、ＧＰＲＳ、および無線ＵＳＢの変種などの独自の無線データ通信プロトコルを含む、任意の数の適切な無線データ通信プロトコル、無線データ通信技術、または無線データ通信方法が、モニタ５００によってサポートされることが可能である。ある実施形態では、無線ローカルデバイスインターフェース５０２は、ＲＦフロントエンド、適切に構成された無線モジュール（スタンドアロンモジュールであることも、デバイスの他の機能、またはすべての機能と一体化されることも可能である）、無線送信機、無線受信機、無線トランシーバ、赤外線センサ、電磁トランスデューサなどの、ハードウェア、ソフトウェア、および／またはファームウェアを含むこと、またはそのようなハードウェア、ソフトウェア、および／またはファームウェアとして実現されることが可能である。
【００５８】
ケーブル、有線接続、または他の物理リンクを介するローカル通信の伝送のため、ローカル通信モジュール５０４およびローカルデバイスインターフェース５０２は、モニタ５００と通信するローカルデバイスによってもサポートされる１つ以上の有線／ケーブル配線データ通信プロトコルをサポートする。例えば、イーサネット（商標）、ホームネットワーク通信プロトコル、ＵＳＢ、ＩＥＥＥ１３９４（Ｆｉｒｅｗｉｒｅ）、病院ネットワーク通信プロトコル、および独自のデータ通信プロトコルを含む、任意の数の適切なデータ通信プロトコル、データ通信技術、またはデータ通信方法が、モニタ５００によってサポートされることが可能であるが、これに限定されるものではない。ある実施形態では、有線／ケーブル配線ローカルデバイスインターフェース５０２は、適切に構成され、フォーマットされたポート、コネクタ、ジャック、プラグ、レセプタクル、ソケット、アダプタなどの、ハードウェア、ソフトウェア、および／またはファームウェアを含むこと、またはそのようなハードウェア、ソフトウェア、および／またはファームウェアとして実現されることが可能である。
【００５９】
モニタ５００のある実施形態は、任意の数の通信モジュール５１０、および任意の数のネットワークインターフェース５１２を使用することができる。簡明のため、以下に説明される実施例では、１つのネットワーク通信モジュール５１０、および１つのネットワークインターフェース５１２を使用する。ネットワーク通信モジュール５１０およびネットワークインターフェース５１２は、モニタ５００と、ローカル注入システムの外部のネットワークデバイス（例えば、図１に示される１つ以上のネットワークデバイス１０４）との間のネットワーク通信をサポートするように適切に構成される。特定の実施形態に依存して、ネットワーク通信モジュール５１０およびネットワークインターフェース５１２は、モニタ５００から１つ以上のネットワークデバイスへの単方向通信、１つ以上のネットワークデバイスからモニタ５００への単方向通信、またはモニタ５００と１つ以上のネットワークデバイスとの間の双方向通信をサポートするように構成されることが可能である。このため、ネットワークデバイスインターフェース５１２は、発信元ネットワークデバイスからの着信するネットワーク通信を受信し、さらに／または受信するネットワークデバイスへの発信されるネットワーク通信の伝送を可能にするように構成されることが可能である。さらに、特定の実施形態では、ネットワーク通信モジュール５１０およびネットワークインターフェース５１２は、無線データ通信をサポートするように、有線／ケーブル配線データ通信をサポートするように、あるいはその両方をサポートするように構成されることが可能である。
【００６０】
ネットワーク通信の無線伝送のために、ネットワーク通信モジュール５１０およびネットワークインターフェース５１２は、モニタ５００と通信するネットワークデバイスによってもサポートされる１つ以上の無線データ通信プロトコルをサポートする。例えば、前段でリストアップされた無線プロトコルを含む、任意の数の適切な無線データ通信プロトコル、無線データ通信技術、または無線データ通信方法が、モニタ５００によってサポートされることが可能であるが、これに限定されるものではない。ある実施形態では、無線ネットワークインターフェース５１２は、無線ローカルデバイスインターフェース５０２に関して前述したとおり、ハードウェア、ソフトウェア、および／またはファームウェアを含む、またはハードウェア、ソフトウェア、および／またはファームウェアとして実現されることが可能である。
【００６１】
ケーブル、有線接続、または他の物理リンクを介するネットワーク通信の伝送のため、ネットワーク通信モジュール５１０およびネットワークインターフェース５１２は、モニタ５００と通信するネットワークデバイスにもサポートされる１つ以上の有線／ケーブル配線データ通信プロトコルをサポートする。例えば、前段でリストアップされる有線プロトコルまたはケーブル配線ベースのプロトコルを含む、任意の数の適切なデータ通信プロトコル、データ通信技術、またはデータ通信方法が、モニタ５００によってサポートされることが可能であるが、これに限定されるものではない。ある実施形態では、有線／ケーブル配線ネットワークインターフェース５１２は、有線／ケーブル配線ローカルデバイスインターフェース５０２に関して前述したとおり、ハードウェア、ソフトウェア、および／またはファームウェアを含む、またはハードウェア、ソフトウェア、および／またはファームウェアとして実現されることが可能である。
【００６２】
図６は、モニタ５００で使用するのに適した汎用ネットワークインターフェース６００の概略図である。説明を容易にするため、ネットワークインターフェース６００は、いくつかの無線データ通信態様および有線／ケーブル配線データ通信態様を含む一般的なインターフェースとして表される。ネットワークインターフェース６００は、図６に示されるとおりの複数のインターフェースを含む必要はなく、実際、ある実施形態は、１つの特定のタイプのインターフェースだけしか利用しないことが可能である。ネットワークインターフェース６００には、一般に、イーサネットインターフェース６０２、８０２．１１インターフェース６０４、Ｂｌｕｅｔｏｏｔｈ（商標）インターフェース６０６、ページングネットワークインターフェース６０８、セルラー遠隔通信ネットワークインターフェース６１０、病院ネットワークインターフェース６１２、コードレス遠隔通信ネットワークインターフェース６１４、ホームネットワークインターフェース６１６、衛星ネットワークインターフェース６１８、およびその他のネットワークインターフェース６２０が含まれる。
【００６３】
イーサネットインターフェース６０２は、ネットワーク通信モジュール５１０と協働して、１つ以上のネットワークデバイスとのイーサネット準拠のネットワークデータ通信に対応するように適切に構成されたハードウェア、ソフトウェア、および／またはファームウェアを含む、またはそのようなハードウェア、ソフトウェア、および／またはファームウェアとして実現されることが可能である。例えば、イーサネットインターフェース６０２には、Ｔ−５６８Ａイーサネットコネクタ、Ｔ−５６８Ｂイーサネットコネクタ、ＲＪ−４５コネクタ、またはイーサネットケーブルに適合する任意のコネクタが含まれることが可能である。
【００６４】
８０２．１１インターフェース６０４は、ネットワーク通信モジュール５１０と協働して、１つ以上のネットワークデバイスとの８０２．１１準拠のネットワークデータ通信に対応するように適切に構成されたハードウェア、ソフトウェア、および／またはファームウェアを含む、またはそのようなハードウェア、ソフトウェア、および／またはファームウェアとして実現されることが可能である。例えば、８０２．１１インターフェース６０４には、適切な無線モジュール、８０２．１１トランシーバカード、ＲＦフロントエンド、ＲＦアンテナ、および／または８０２．１１アクセスポイント機能が含まれることが可能である。
【００６５】
Ｂｌｕｅｔｏｏｔｈインターフェース６０６は、ネットワーク通信モジュール５１０と協働して、１つ以上のネットワークデバイスとのＢｌｕｅｔｏｏｔｈ準拠のネットワークデータ通信をサポートするように適切に構成されたハードウェア、ソフトウェア、および／またはファームウェアを含む、またはそのようなハードウェア、ソフトウェア、および／またはファームウェアとして実現されることが可能である。例えば、Ｂｌｕｅｔｏｏｔｈインターフェース６０６には、適切な無線モジュール、Ｂｌｕｅｔｏｏｔｈトランシーバ、ＲＦフロントエンド、および／またはＲＦアンテナが含まれることが可能である。
【００６６】
ページングネットワークインターフェース６０８は、ネットワーク通信モジュール５１０と協働して、ページングネットワークプロトコルに準拠するネットワーク通信をサポートするように適切に構成されたハードウェア、ソフトウェア、および／またはファームウェアを含む、またはそのようなハードウェア、ソフトウェア、および／またはファームウェアとして実現されることが可能である。例えば、ページングネットワークインターフェース６０８には、適切な無線モジュール、トランシーバカード、ＲＦフロントエンド、および／またはＲＦアンテナが含まれることが可能である。
【００６７】
セルラー遠隔通信ネットワークインターフェース６１０は、ネットワーク通信モジュール５１０と協働して、セルラー遠隔通信プロトコル（例えば、ＣＤＭＡ、ＧＳＭなど）に準拠するネットワーク通信に対応するように適切に構成されたハードウェア、ソフトウェア、および／またはファームウェアを含む、またはそのようなハードウェア、ソフトウェア、および／またはファームウェアとして実現されることが可能である。例えば、セルラー遠隔通信ネットワークインターフェース６１０には、適切な無線モジュール、トランシーバカード、ＲＦフロントエンド、および／またはＲＦアンテナが含まれることが可能である。
【００６８】
病院ネットワークインターフェース６１２は、ネットワーク通信モジュール５１０と協働して、病院ネットワークプロトコルに準拠するネットワーク通信をサポートするように適切に構成されたハードウェア、ソフトウェア、および／またはファームウェアを含む、またはそのようなハードウェア、ソフトウェア、および／またはファームウェアとして実現されることが可能である。実施形態において、病院ネットワークプロトコルは、無線データ通信プロトコルであっても、有線／ケーブル配線データ通信プロトコルであってもよい。これに関して、無線病院ネットワークインターフェース６１２には、適切な無線モジュール、トランシーバカード、ＲＦフロントエンド、ＲＦアンテナ、赤外線送信機、赤外線センサ、磁気誘導トランスデューサなどが含まれることが可能である。特定の配置に依存して、無線病院ネットワークインターフェース６１２は、本明細書で説明される、その他の無線／コードレスデータ通信プロトコルのいずれに準拠することも可能である。有線／ケーブル配線病院ネットワークインターフェース６１２には、適切に構成されたコネクタ、ソケット、ジャック、プラグ、またはアダプタが含まれることが可能である。さらに、特定の応用先に応じて、有線／ケーブル配線病院ネットワークインターフェース６１２は、本明細書で説明される、その他の有線／ケーブル配線データ通信プロトコルのいずれに準拠することも可能である。
【００６９】
コードレス遠隔通信ネットワークインターフェース６１４は、ネットワーク通信モジュール５１０と協働して、コードレス遠隔通信プロトコルに準拠するネットワーク通信をサポートするように適切に構成されたハードウェア、ソフトウェア、および／またはファームウェアを含む、またはそのようなハードウェア、ソフトウェア、および／またはファームウェアとして実現されることが可能である。そのようなプロトコルは、一般に、家庭のコードレス電話システムにおいて使用される。実際には、コードレス遠隔通信ネットワークインターフェース６１４には、適切な無線モジュール、コードレス電話基地局、トランシーバカード、ＲＦフロントエンド、および／またはＲＦアンテナが含まれることが可能である。
【００７０】
ホームネットワークインターフェース６１６は、ネットワーク通信モジュール５１０と協働して、ホームネットワークプロトコルに準拠するネットワーク通信をサポートするように適切に構成されたハードウェア、ソフトウェア、および／またはファームウェアを含む、またはそのようなハードウェア、ソフトウェア、および／またはファームウェアとして実現されることが可能である。そのようなホームネットワークプロトコルは、ホーム制御システム、既存の電話配線、または既存のＡＣ電力線を活用するホームコンピューティングネットワーク、ホームセキュリティシステムもしくはホーム警報システム、ホームエンターテイメントシステムなどに関連して利用されることが可能である。実施形態において、ホームネットワークプロトコルは、無線データ通信プロトコルであっても、有線／ケーブル配線データ通信プロトコルであってもよい。これに関して、無線ホームネットワークインターフェース６１６には、適切な無線モジュール、トランシーバ基地局、トランシーバカード、ＲＦフロントエンド、ＲＦアンテナ、赤外線送信機、赤外線センサ、磁気誘導トランスデューサなどが含まれることが可能である。特定の配置に依存して、無線ホームネットワークインターフェース６１６は、本明細書で説明される、その他の無線／コードレスデータ通信プロトコルのいずれに準拠することも可能である。有線／ケーブル配線ホームネットワークインターフェース６１６には、適切に構成されたコネクタ、ソケット、ジャック、プラグ、またはアダプタが含まれることが可能である。さらに、特定の応用先に応じて、有線／ケーブル配線ネットワークインターフェース６１６は、本明細書で説明される、その他の有線／ケーブル配線データ通信プロトコルのいずれに準拠することも可能である。
【００７１】
衛星ネットワークインターフェース６１８は、ネットワーク通信モジュール５１０と協働して衛星データ通信プロトコルに準拠するネットワーク通信に対応するように適切に構成されたハードウェア、ソフトウェア、および／またはファームウェアを含む、またはそのようなハードウェア、ソフトウェア、および／またはファームウェアとして実現されることが可能である。例えば、衛星ネットワークインターフェース６１８には、適切な無線モジュール、トランシーバカード、ＲＦフロントエンド、および／またはＲＦアンテナが含まれることが可能である。代替として（またはさらに）、衛星ネットワークインターフェース６１８には、別個の衛星ネットワーク機器、例えば、サテライトディッシュ（衛星アンテナ）または衛星トランシーバモジュールに対する有線／ケーブル配線接続を円滑にする、適切に構成されたコネクタ、ソケット、ジャック、プラグ、またはアダプタが含まれることが可能である。
【００７２】
実際には、ネットワークインターフェース６００は、前述した特定のタイプ以外の任意の数のネットワークインターフェース６２０を利用することができる。他のそのようなネットワークインターフェース６２０は、一般に知られているか、独自であるかにかかわらず、既存のデータ通信プロトコルに従ってネットワーク通信をサポートするように適切に構成されることが可能である。さらに、他のネットワークインターフェース６２０は、ネットワークインターフェース６００が、将来に開発される可能性がある無線データ通信プロトコルまたは有線データ通信プロトコルをサポートすることを可能にする。
【００７３】
図７は、モニタ５００で使用するのに適したネットワーク通信モジュール７００の概略図である。説明を容易にするため、ネットワーク通信モジュール７００は、様々なタイプのネットワーク通信を扱うための処理ロジックを含む一般的なモジュールとして表される。実際には、ネットワーク通信モジュール７００は、図７に示されるような様々なモードのネットワーク通信をサポートする必要はなく、実際、ある実施形態は、１つの特定のネットワーク通信フォーマットもしくはネットワーク通信タイプだけしか処理しないようにしてもよい。ネットワーク通信モジュール７００には、一般に、電子メール生成ロジック７０２、ポケットベルメッセージ生成ロジック７０４、テキストメッセージ生成ロジック７０６、ボイスメール生成ロジック７０８、電話ダイヤル呼び出しロジック７１０、警告／警報生成ロジック７１２、ウェブブラウザ／サーバ７１４、オーディオ信号／ファイル生成ロジック７１６、ビデオ信号／ファイル生成ロジック７１８、制御信号生成ロジック７２０、および他のネットワーク通信生成ロジック７２２が含まれる。
【００７４】
電子メール生成ロジック７０２は、ネットワーク通信を電子メールとして生成するように適切に構成されたハードウェア、ソフトウェア、および／またはファームウェアを含む、またはそのようなハードウェア、ソフトウェア、および／またはファームウェアとして実現されることが可能である。例えば、電子メール生成ロジック７０２は、宛先ネットワークデバイスを宛先とする通知、警告、警報、ステータスレポート、生理学的データ、または他の情報を伝える自動的電子メール、またはユーザによって作成された電子メールを生成することができる。実施形態において、電子メール生成ロジック７０２は、ウェブベースの電子メールシステムを含め、任意の適切な電子メールシステムまたは電子メール技術に適合することが可能である。
【００７５】
ポケットベルメッセージ生成ロジック７０４は、ネットワーク通信をポケットベルメッセージとして生成するように適切に構成されたハードウェア、ソフトウェア、および／またはファームウェアを含む、またはそのようなハードウェア、ソフトウェア、および／またはファームウェアとして実現されることが可能である。例えば、ポケットベルメッセージ生成ロジック７０４は、ポケットベルデバイス、または任意の適合する宛先ネットワークデバイスを宛先とする通知、警告、警報、ステータスレポート、生理学的データ、または他の情報を伝える自動的ポケットベルメッセージ、またはユーザによって作成されたポケットベルメッセージを生成することができる。実施形態において、ポケットベルメッセージ生成ロジック７０４は、ウェブベースのページングシステムを含め、任意の適切なポケットベルシステムまたはポケットベル技術に適合することが可能である。
【００７６】
テキストメッセージ生成ロジック７０６は、ネットワーク通信をテキストメッセージとして生成するように適切に構成されたハードウェア、ソフトウェア、および／またはファームウェアを含む、またはそのようなハードウェア、ソフトウェア、および／またはファームウェアとして実現されることが可能である。そのようなテキストメッセージは、既存の電話網、既存のポケットベル網、インターネット、ローカルエリアネットワーク、病院ネットワーク、ホームネットワークなどを介して伝送されることが可能である。例えば、テキストメッセージ生成ロジック７０６は、任意の適合する宛先ネットワークデバイスを宛先とする通知、警告、警報、ステータスレポート、生理学的データ、または他の情報を伝える自動的テキストメッセージ、またはユーザによって作成されたテキストメッセージを生成することができる。実施形態において、テキストメッセージ生成ロジック７０６は、任意の適切なテキストメッセージングアプリケーションまたはテキストメッセージング技術に適合することが可能である。
【００７７】
ボイスメール生成ロジック７０８は、ネットワーク通信をボイスメールメッセージとして生成するように適切に構成されたハードウェア、ソフトウェア、および／またはファームウェアを含む、またはそのようなハードウェア、ソフトウェア、および／またはファームウェアとして実現されることが可能である。例えば、ボイスメールメッセージ生成ロジック７０８は、任意の適合する宛先ネットワークデバイスを宛先とする通知、警告、警報、ステータスレポート、生理学的データ、または他の情報を伝える自動的ボイスメールメッセージ、またはユーザによって作成されたボイスメールメッセージを生成することができる。実施形態において、そのようなボイスメールメッセージは、電子添付ファイルとして伝送するのに適したオーディオファイルとして生成されることが可能である。受信すると、宛先ネットワークデバイスは、適切な再生機構、マルチメディアアプリケーションなどを使用して、このボイスメールメッセージを再生することができる。実施形態において、ボイスメール生成ロジック７０８は、任意の適切なボイスメッセージング、電話システム、またはマルチメディアアプリケーションに適合することが可能である。
【００７８】
電話ダイヤル呼び出しロジック７１０は、ネットワーク通信を発信される電話コールとして生成するように適切に構成されたハードウェア、ソフトウェア、および／またはファームウェアを含む、またはそのようなハードウェア、ソフトウェア、および／またはファームウェアとして実現されることが可能である。例えば、電話ダイヤル呼び出しロジック７１０は、必要に応じて、発信電話番号をダイヤル呼び出しして（自動的に、またはユーザ対話に応答して）、任意の適切な宛先ネットワークデバイスを宛先とする通知、警告、警報、ステータスレポート、生理学的データ、または他の情報を伝送するように構成されることが可能である。また、電話ダイヤル呼び出しロジック７１０は、ネットワーク通信モジュール７００の、その他の論理構成要素の１つ以上、例えば、ボイスメール生成ロジック７０８と協働して、いくつかのネットワーク通信の伝送を円滑にすることもできる。実施形態において、電話ダイヤル呼び出しロジック７１０は、任意の適切な電話システムまたは電話アプリケーションに適合することが可能である。
【００７９】
警告／警報生成ロジック７１２は、ネットワークデバイスに配信されることが意図される警告および／または警報を生成するように適切に構成されたハードウェア、ソフトウェア、および／またはファームウェアを含む、またはそのようなハードウェア、ソフトウェア、および／またはファームウェアとして実現されることが可能である。例えば、警告／警報生成ロジック７１２は、以下のいずれかを示す自動的な警告もしくは警報、またはユーザによって作成された警告もしくは警報を生成することができるが、これらに限定されるものではない。すなわち、ローカル注入システム内のデバイスのバッテリステータス、患者の生理学的特性が所定の閾値を超えた場合、ローカル注入システム内の遠隔測定されるデバイスがモニタの範囲から外れている場合、ローカル注入システム内の機器に関するスケジュールされた較正、または注入システムの運用と関係する任意のスケジュールされたイベント、である。実施形態において、警告／警報生成ロジック７１２は、ネットワーク通信モジュール７００のその他の論理構成要素、例えば、テキストメッセージ生成ロジック７０６と協働して、警告および警報のフォーマットおよびネットワーク伝送を円滑にすることができる。受信すると、宛先ネットワークデバイスは、適切な再生機構、マルチメディアアプリケーション、発光要素、スピーカなどを使用して、警告／警報を生成することができる。
【００８０】
ウェブブラウザ／サーバ７１４は、ネットワーク通信をマークアップ言語ドキュメント、例えば、ＨＴＭＬドキュメントとして生成するように構成されたソフトウェアアプリケーションを表す。さらに、ウェブブラウザ／サーバ７１４は、モニタデバイスが、インターネットを介してウェブページにアクセスすることを可能にする従来のウェブブラウズ能力を含むことが可能である。これに関して、ウェブブラウザ／サーバ７１４は、ネットワーク通信モジュール７００のその他の論理構成要素、例えば、電子メール生成ロジック７０２またはテキストメッセージ生成ロジック７０６と協働して、いくつかのネットワーク通信の送受信を円滑にすることができる。ウェブブラウザアプリケーションおよびウェブサーバアプリケーションは、周知であり、したがって、本明細書で詳細に説明することはしない。
【００８１】
オーディオ信号／ファイル生成ロジック７１６は、ネットワーク通信をオーディオ信号および／またはオーディオファイルとして生成するように適切に構成されたハードウェア、ソフトウェア、および／またはファームウェアを含む、またはそのようなハードウェア、ソフトウェア、および／またはファームウェアとして実現されることが可能である。オーディオ信号またはオーディオファイルは、モニタデバイスに（またはオーディオ信号またはオーディオファイルを作成するデバイス）にあらかじめプログラミングされることが可能である。代替として、オーディオ信号またはオーディオファイルは、モニタデバイスのユーザによって（またはモニタデバイスと通信するデバイスのユーザによって）作成されてもよい。例えば、オーディオ信号／ファイル生成ロジック７１６は、任意の適合する宛先ネットワークデバイスを宛先とする通知、警告、警報、ステータスレポート、生理学的データ、または他の情報を伝える自動的なオーディオ信号もしくはオーディオファイル、またはユーザによって作成されたオーディオ信号もしくはオーディオファイルを生成することができる。オーディオベースの警告／警報は、モニタデバイスによって、またはモニタデバイスと通信するデバイスによって自動的に開始されることが可能である。代替として、オーディオベースの警告／警報は、モニタデバイスにおける、またはモニタデバイスと通信するデバイスにおけるユーザ、患者、または介護者によって開始されてもよい。受信すると、宛先ネットワークデバイスは、適切な再生機構、マルチメディアアプリケーションなどを使用して、このオーディオ信号またはオーディオファイルを再生することができる。
【００８２】
本明細書で使用されるオーディオ信号とは、例えば、ストリーミングオーディオ信号、ブロードキャスト無線信号、または宛先ネットワークデバイスにおいてオーディオの生成を開始する制御信号であり、オーディオファイルは、宛先ネットワークデバイスによって受信され、解釈されるファイルを表す（宛先ネットワークデバイスは、その後、このオーディオファイルを実行してオーディオを生成する）。例えば、オーディオ信号／ファイル生成ロジック７１６は、ＭＰ３オーディオファイル、ＷＭＡオーディオファイルなどを生成するように構成されることが可能である。これに関して、オーディオ信号／ファイル生成ロジック７１６は、ネットワーク通信モジュール７００の、その他の論理構成要素の１つ以上、例えば、ボイスメール生成ロジック７０８または警告／警報生成ロジック７１２と協働して、いくつかのネットワーク通信の送受信を円滑にすることができる。
【００８３】
ビデオ信号／ファイル生成ロジック７１８は、ネットワーク通信をビデオ信号および／またはビデオファイルとして生成するように適切に構成されたハードウェア、ソフトウェア、および／またはファームウェアを含む、またはそのようなハードウェア、ソフトウェア、および／またはファームウェアとして実現されることが可能である。ビデオ信号またはビデオファイルは、モニタデバイスに（またはオーディオ信号またはオーディオファイルを作成するデバイス）にあらかじめプログラミングされることが可能である。代替として、ビデオ信号またはビデオファイルは、モニタデバイスのユーザによって（またはモニタデバイスと通信するデバイスのユーザによって）作成されてもよい。例えば、ビデオ信号／ファイル生成ロジック７１８は、任意の適合する宛先ネットワークデバイスを宛先とする通知、警告、警報、ステータスレポート、生理学的データ、または他の情報を伝える自動的なビデオ信号もしくはビデオファイル、またはユーザによって作成されたビデオ信号もしくはビデオファイルを生成することができる。ビデオベースの警告／警報は、モニタデバイスによって、またはモニタデバイスと通信するデバイスによって自動的に開始されることが可能である。代替として、ビデオベースの警告／警報は、モニタデバイスにおける、またはモニタデバイスと通信するデバイスにおけるユーザ、患者、または介護者によって開始されてもよい。受信すると、宛先ネットワークデバイスは、適切な再生機構、マルチメディアアプリケーションなどを使用して、このビデオ信号またはビデオファイルを再生することができる。
【００８４】
本明細書で使用されるビデオ信号とは、例えばストリーミングビデオ信号、ブロードキャストビデオ信号、または宛先ネットワークデバイスにおいてビデオの生成を開始する制御信号であることが可能であり、ビデオファイルは、宛先ネットワークデバイスによって受信され、解釈されるファイルを表す（宛先ネットワークデバイスは、その後、このビデオファイルを実行してビデオを生成する）。例えば、ビデオ信号／ファイル生成ロジック７１８は、ＭＰＥＧビデオファイル、ＪＰＧイメージファイルなどを生成するように構成されることが可能である。これに関して、ビデオ信号／ファイル生成ロジック７１８は、ネットワーク通信モジュール７００の、その他の論理構成要素の１つ以上、例えば、警告／警報生成ロジック７１２と協働して、いくつかのネットワーク通信の送受信を円滑にすることができる。
【００８５】
制御信号生成ロジック７２０は、ネットワーク通信を、受信するネットワークデバイスに関する制御信号として生成するように適切に構成されたハードウェア、ソフトウェア、および／またはファームウェアを含む、またはそのようなハードウェア、ソフトウェア、および／またはファームウェアとして実現されることが可能である。例えば、制御信号生成ロジック７２０は、通知、警告、警報、表示の生成を開始する、またはそれ以外で、任意の適合する宛先ネットワークデバイスの動作を制御する自動的制御信号、またはユーザによって作成された制御信号を生成することができる。そのような制御信号を受信すると、宛先ネットワークデバイスは、適切な仕方で、つまり、ディスプレイを作動させる、振動要素を作動させる、発光要素を作動させる、オーディオ応答もしくはビデオ応答を生成するなどして、応答する。実施形態において、制御信号生成ロジック７２０は、ネットワーク通信モジュール７００のその他の論理構成要素の１つ以上、例えば、警告／警報生成ロジック７１２と協働して、制御信号のフォーマット（書式設定）およびネットワーク伝送を円滑にすることができる。
【００８６】
実際には、ネットワーク通信モジュール７００は、前述した特定のタイプの代わりに、またはそのようなタイプに加えて、他のネットワーク通信生成ロジック７２２を利用してもよい。他のそのような論理構成要素は、一般に知られているか、独自であるかにかかわらず、様々な既存のフォーマットでネットワーク通信を生成するように適切に構成されることが可能である。さらに、他のそのような論理構成要素は、ネットワーク通信モジュール７００が、将来に開発される可能性があるさらなるフォーマットをサポートすることを可能にする。
【００８７】
図８は、本発明の例示的な実施形態に従って構成されたネットワークベースの医療デバイスシステム８００の概略図である。システム８００は、本明細書で説明されるデバイス、技術、および方法のいくつかを利用することが可能なシステムの１つの単純な実施形態を表す。膨大な数の代替の構成が、本発明の範囲内で構築され、動作させられることが可能である。例えば、システム８００は、以下では注入ポンプに関連して説明されるものの、注入ポンプは、本発明の実施形態のための要件ではない。
【００８８】
ネットワークベースの注入システム８００は、一般に、注入ポンプ８０２、モニタデバイス８０４（またはローカル注入システム内にあると定義される任意の適切なローカルデバイス）、およびネットワークデバイス８０６を含む。この例示的な実施形態において、モニタデバイス８０４およびネットワークデバイス８０６は、データ通信ネットワーク８０８において確立された任意の数のネットワーク通信リンクを介して互いに通信する。さらに、要件ではないものの、図８は、モニタデバイス８０４とネットワークデバイス８０６との間の双方向通信を示す。ネットワークデバイス８０６は、例えば、ネットワークベースのモニタ、ネットワーク化されたコンピュータ、セルラー電話機もしくは他の移動コンピューティングデバイス、図１に関連して説明される任意のネットワークデバイス１０４、または他の箇所で説明される任意のネットワークベースのデバイスであることが可能である。データ通信ネットワーク８０８は、例えば、インターネット、セルラー遠隔通信ネットワーク、ページングシステムネットワーク、ローカルエリアネットワークもしくはワイドエリアネットワーク、図１に関連して説明される任意の無線ネットワークもしくは有線ネットワーク、または他の箇所で説明される任意のネットワークである（またはそのようなネットワークを含む）ことが可能である。
【００８９】
図８に関連して詳細に説明されるとおり、モニタ８０４は、ローカルデバイスインターフェース８１０、ネットワークインターフェース８１２、および１つ以上の適切な通信モジュール８１４（例えば、ローカル通信モジュールおよび／またはネットワーク通信モジュール）を含むことが可能である。ネットワークデバイス８０６は、ネットワークインターフェース８１２との互換性のために構成されたネットワークインターフェース８１６、１つ以上の適切に構成された通信モジュール８１８、ディスプレイ要素８２０、およびユーザインターフェース機能８２２を含むことが可能である。ネットワークインターフェース８１６は、ネットワークインターフェース５１２に関連して前述し、さらにネットワークインターフェース６００に関連して前述したとおり構成されることが可能である。通信モジュール８１８は、ネットワーク通信モジュール５１０に関連して前述し、さらにネットワーク通信モジュール７００に関連して前述したとおり構成されることが可能である。通信モジュール８１８は、ネットワークデバイス８０６が、モニタデバイス８０４から受信されるネットワーク通信を受信し、処理し、解釈することを可能にするように構成される。さらに、通信モジュール８１８は、ネットワークデバイス８０６が、モニタデバイス８０４を宛先とする送出するネットワーク通信を処理し、生成し、送信することを可能にするように構成される。ユーザインターフェース機能８２２およびディスプレイ要素８２０は、ネットワークデバイス８０６のユーザが、注入ポンプ８０２もしくはモニタデバイス８０４において表示されることが可能なデータを遠隔で見ること、モニタデバイス８０４もしくは注入ポンプ８０２を遠隔制御すること、および／またはモニタデバイス８０４もしくは注入ポンプ８０２の動作パラメータを遠隔でプログラミングする、もしくは変更することができるようにする。
【００９０】
ネットワークベースの注入システム８００の一部の実施形態において、注入ポンプ８０２とモニタデバイス８０４は、第１のデータ通信プロトコルを使用して通信するのに対して、モニタデバイス８０４とネットワークデバイス８０６は、第２のデータ通信プロトコル（またはプロトコルの組合せ）を使用して通信する。注入ポンプ８０２とモニタデバイス８０４との間のローカル通信は、無線であっても、有線であってもよい１つ以上のローカル通信リンク８２４を介して伝送される。モニタデバイス８０４とネットワークデバイス８０６との間のネットワーク通信は、無線であっても、有線であってもよい１つ以上のネットワーク通信リンク８２６を介して伝送される。例えば、注入ポンプ８０２は、ローカル通信（ポンプステータス情報などの）をモニタデバイス８０４に送信することができ、ここで、ローカル通信は、Ｂｌｕｅｔｏｏｔｈデータ通信プロトコルに従って伝送される。さらに、注入ポンプ８０２は、同一のＢｌｕｅｔｏｏｔｈプロトコルを使用してモニタデバイス８０４から着信するデータを受信することができる。これに対して、モニタデバイス８０４は、ネットワーク通信（ポンプステータス情報、警告、または患者データなどの）をネットワークデバイス８０６に送信することができ、ここで、ネットワーク通信は、ＣＤＭＡなどのセルラー遠隔通信プロトコルに従って送信される。同様に、モニタデバイス８０４は、同一のＣＤＭＡプロトコルを使用してネットワークデバイス８０６から着信するデータを受信することができる。
【００９１】
図９は、例示的なネットワークベースの医療デバイスシステム監視プロセス９００を示す流れ図である。プロセス９００に関連して実行される様々なタスクは、ソフトウェアによって、ハードウェアによって、ファームウェアによって、あるいは任意の組合せによって実行されることが可能である。例示の目的で、プロセス９００の以下の説明は、図１〜図８に関連して前述した要素を参照する可能性がある。実施形態において、プロセス９００の諸部分が、説明されるシステムの様々な要素、例えば、ネットワークデバイス、または機能要素、または動作構成要素によって実行されることが可能である。プロセス９００は、任意の数のさらなるタスク、または代替のタスクを含むことが可能であり、図９に示されるタスクは、例示される順序で実行されなくてもよく、プロセス９００は、本明細書で詳細に説明されないさらなる機能を有する、より包括的な手続きまたはプロセスに組み込まれてもよいことを理解されたい。
【００９２】
監視プロセス９００は、ユーザの身体への液体の注入を制御する注入ポンプを有するローカル注入システムの外部にあるネットワークデバイスによって実行されることが可能である。プロセス９００は、例えば、ネットワークデバイスが、ローカル注入ポンプに関連するポンプデータを伝えるネットワーク通信を受信すると（タスク９０２）開始される。ネットワーク通信は、臨床モニタデバイス、病院モニタデバイス、生理学的特性メータ、リモートコントローラ、ハンドヘルドモニタ／コントローラ、注入ポンプ自体などの、ローカル注入システム内の任意の送信デバイスによって生成される（またはそのようなデバイスを発信元とする）ことが可能である。ポンプデータには、例えばユーザ／患者の生理学的データ、警報、警告、グラフまたはチャートデータ、注入ポンプによって送られる液体の基礎レート、注入ポンプによって送られる液体のボーラスに関するボーラス情報、または任意の適切にフォーマットされたテキスト情報、オーディオ情報、または視覚的情報を含め、注入ポンプおよび／または送信デバイスの動作、制御、プログラミング、またはステータスと関係する任意の情報またはコンテンツが含まれるが、これらに限定されるものではない。図５および図６に関連して前述したとおり、ネットワークデバイスは、例えば、イーサネットプロトコル、ＩＥＥＥ８０２．１１プロトコル（任意の変種）、Ｂｌｕｅｔｏｏｔｈプロトコル、ページングネットワークプロトコル、セルラー遠隔通信プロトコル（例えば、ＣＤＭＡまたはＧＳＭ）、コードレス遠隔通信プロトコル、ホームネットワークデータ通信プロトコル、衛星データ通信プロトコル、病院ネットワークプロトコル、あるいはネットワークデバイスが、無線通信リンク、ケーブル配線通信リンク、および／または有線通信リンクを介してネットワーク通信を受信することを可能にする任意の適切な無線データ通信プロトコルまたは有線／ケーブル配線データ通信プロトコルを含む、１つ以上の適切なデータ通信プロトコルに準拠してネットワーク通信を受信することができる。
【００９３】
実際には、ネットワークデバイスは、受信されたネットワーク通信を処理して、ネットワーク通信からポンプデータを抽出する（タスク９０４）。タスク９０４は、ネットワークデバイスに存在する適切に構成された通信モジュール、および／または適切に構成された処理アーキテクチャによって実行されることが可能である。そのような処理に応答して、ネットワークデバイスは、ネットワークデバイスにおける表示、再生、ブロードキャスト、またはレンダリングのためにポンプデータの表示を生成することができる（タスク９０６）。タスク９０６に関連して、ネットワークデバイスは、受信された生理学的データの表示を生成する、ローカルデバイスステータス情報の表示を生成する、警告または警報の表示を生成する、輸液の基礎レートの表示を生成する、ボーラス情報の表示を生成するなどのことを行うことができる。実施形態において、ネットワークデバイスは、例えばに、可聴の警報、警告、記録、または可聴信号などの、ポンプデータの可聴の表現を生成すること、グラフまたはテキスト表示などの、ポンプデータの視覚的表現を生成すること、ネットワークデバイスの発光要素、例えば、インジケータライトまたは明滅するディスプレイスクリーンを作動させること、またはネットワークデバイスの振動要素を作動させることを含め、任意の適切な仕方でポンプデータの表示を生成することができる。
【００９４】
監視プロセス９００は、ネットワークデバイスが、ローカル注入システム内のデバイスにネットワーク通信を送り返すことができるものと想定する。これに関して、プロセス９００は、注入システム内のローカルデバイスに対応する１つ以上のデータ通信プロトコルを選択する、または決定することができる（タスク９０８）。タスク９０８は、ネットワークデバイスが、ローカルデバイスに適合する通信のために適切なプロトコルを利用することを確実にするように実行されることが可能である。また、ネットワークデバイスは、注入ポンプ、または注入システム内の別のローカルデバイスを宛先とする命令またはプログラミングパラメータを獲得する、または生成することもできる。そのような命令またはプログラミングパラメータは、ネットワークデバイスによって生成される、またはネットワークデバイスの操作者から獲得されることが可能である。ネットワークデバイスは、命令またはプログラミングパラメータを伝える適切に構成された制御通信を生成するように構成されることが可能である（タスク９１０）。特定のシステム配置、および特定の動作条件に依存して、例示的な制御通信には、例えば、以下が含まれることが可能である。すなわち、警告ディセーブル命令、注入ポンプまたは任意のローカルデバイスに関する作動命令、注入ポンプまたは任意のローカルデバイスに関するプログラミングパラメータ、またはソフトウェアプログラム（メインアプリケーションコード、またはモータ制御などの補助的機能コード、ＲＦ遠隔測定コードなど）のアップロードである。最終的に、ネットワークデバイスは、適切なフォーマットで、ローカルデバイスとの通信セッションのために利用される特定のデータ通信プロトコルに準拠して、制御通信を送信することができる（タスク９１２）。受信すると、受信するローカルデバイスは、この制御通信を適切な仕方で処理することができる。
【００９５】
本発明の代替の実施形態において、監視プロセス９００は、注入ポンプを含まない医療デバイスシステムに関連して使用されるように変形されることが可能である。例えば、プロセス９００のタスクは、例えば患者データ、モニタデータ、またはローカルシステム内のデバイスなどを発信元とする他の医療デバイス情報を伝えるネットワーク通信を受信して、処理する同等の仕方で実行されることが可能であり、そのようなデータは、ポンプデータを含まなくてもよい。
【００９６】
図１０は、例示的なネットワークベースの医療デバイスシステム通信プロセス１０００を表す流れ図である。プロセス１０００に関連して実行される様々なタスクは、ソフトウェアによって、ハードウェアによって、ファームウェアによって、あるいはソフトウェアとハードウェアとファームウェアの任意の組合せによって実行されることが可能である。例示の目的で、プロセス１０００の以下の説明は、図１〜図８に関連して前述した要素を参照する場合もある。実施形態において、プロセス１０００の諸部分は、説明されるシステムの様々な要素、例えば、注入システム内のローカルデバイス、あるいは機能要素または動作構成要素によって実行されることが可能である。プロセス１０００は、任意の数のさらなるタスク、または代替のタスクを含むことが可能であり、図１０に示されるタスクは、例示される順序で実行されなくてもよく、プロセス１０００は、本明細書で詳細に説明されないさらなる機能を有する、より包括的な手続きまたはプロセスに組み込まれてもよいことを理解されたい。
【００９７】
ネットワーク通信プロセス１０００は、ローカル医療デバイスシステム内、例えば、ユーザの身体への液体の注入を制御する注入ポンプを有するローカル注入システム内に存在する送信デバイスによって実行されることが可能である。例えば、送信デバイスは、臨床モニタデバイス、病院モニタデバイス、生理学的特性メータ、生理学的特性センサ送信機、リモートコントローラ、ハンドヘルドモニタ／コントローラ、注入ポンプ自体などの、ローカル注入システム内の任意のローカルデバイスであることが可能である。プロセス１０００は、例えば、送信デバイスが、注入ポンプの動作と関係する通知（タスク１００２）または別のローカルデバイスの動作と関係する通知（タスク１００２）を獲得する（内部で、別のデバイスから、またはユーザから）、または生成すると、始まる。本明細書で使用される通知とは、例えば、別のデバイスに転送されることが意図され、あるいは送信デバイスによる応答を呼び出すプロンプトまたはトリガとして利用される任意の信号、警告、警報、コンテンツ、データ、または情報である。
【００９８】
ネットワーク通信プロセス１０００は、外部の受信デバイス（この実施例ではネットワークデバイスであり、これは通知先として意図された受信側である）を選択する、または決定することができる（タスク１００４）。さらに、プロセス１０００は、意図された外部の受信デバイスに対応する１つ以上のデータ通信プロトコルを選択する、または決定することができる（タスク１００６）。タスク１００６は、ローカルの送信デバイスが、ネットワークデバイスに適合する通信のために適切なプロトコルを利用することを確実にするように実行されることが可能である。図５および図６に関連して前述したとおり、ローカルデバイスは、以下に示す１つ以上の適切なデータ通信プロトコルに準拠してネットワーク通信を送信することができる。すなわち、イーサネットプロトコル、ＩＥＥＥ８０２．１１プロトコル（任意の変種）、Ｂｌｕｅｔｏｏｔｈプロトコル、ページングネットワークプロトコル、セルラー遠隔通信プロトコル（例えば、ＣＤＭＡまたはＧＳＭ）、コードレス遠隔通信プロトコル、ホームネットワークデータ通信プロトコル、衛星データ通信プロトコル、病院ネットワークプロトコル、あるいは、任意の適切な無線データ通信プロトコルまたは有線／ケーブル配線データ通信プロトコルであってローカルデバイスが無線通信リンク、ケーブル配線通信リンク、および／または有線通信リンクを介してネットワーク通信を送信することを可能にするもの、である。ただし、これらに限定されるものではない。
【００９９】
ローカルの送信デバイスは、通知を伝えるネットワーク通信を生成することができ（タスク１００８）、このネットワーク通信は、選択されたデータ通信プロトコルに適合する。実施形態によれば、ネットワーク通信は、注入ポンプおよび／または送信デバイスの動作、制御、プログラミング、またはステータスと関係する任意の情報または内容を含むことが可能であり、このような情報または内容には、例えば、ユーザ／患者の生理学的データ、警報、警告、グラフまたはチャートデータ、注入ポンプによって送られる液体の基礎レート、注入ポンプによって送られる液体のボーラスに関するボーラス情報、または任意の適切にフォーマットされたテキスト情報、オーディオ情報、または視覚的情報が含まれるが、これらに限定されるものではない。図７に関連して前述したとおり、ネットワーク通信は、様々なメッセージタイプ、ファイルタイプ、または信号タイプとしてフォーマットされる（またはそのようなタイプを含む）ことが可能であり、これらタイプには、例えば電子メールメッセージ、ポケットベルメッセージ、テキストメッセージ、ボイスメールメッセージ、受信するネットワークデバイスへの発信される電話コール、ウェブページなどのマークアップ言語ドキュメント、オーディオ信号、オーディオファイル、ビデオ信号、またはビデオファイルが含まれるが、これらに限定されるものではない。
【０１００】
最終的に、ローカルの送信デバイスは、ネットワーク通信を外部の受信デバイスに送信する（タスク１０１０）。ローカルデバイスは、タスク１００６中に選択されたネットワークデータ通信プロトコルに従ってネットワーク通信を送信する。１つの実施例において、ネットワーク通信は、送信される電話コールの中で伝送され、ローカルの送信デバイスは、宛先ネットワークデバイスに発信される電話コールを開始することによって、ネットワーク通信を送信する。他の例示的な実施形態において、タスク１０１０は、指定されたタイプおよびフォーマットを有するメッセージ、ファイル、および／または信号の伝送を表す。ネットワーク通信を受信すると、宛先ネットワークデバイスは、適切な仕方で、この通知を処理することができる。
【０１０１】
本発明の代替の実施形態において、プロセス１０００は、注入ポンプを含まない医療デバイスシステムに関連して使用されるように変形されることが可能である。例えば、プロセス１０００のタスクは、患者データ、モニタデータ、またはローカルシステム内のデバイスを発信元とすることが可能な他の医療デバイス情報を伝えるネットワーク通信を処理して、送信するのと同等の仕方で実行されることが可能であり、そのような情報は、ポンプデータを含まなくてもよい。
【０１０２】
図１１は、例示的なネットワークベースの注入ポンプ監視／制御プロセス１１００を示す流れ図である。プロセス１１００は、ネットワークベースの注入ポンプシステムを動作させるための１つの例示的な技術を表す。システムは、任意の数の代替の技術および方法をサポートすることができる可能性があり、プロセス１１００の以下の説明は、本発明の範囲または応用を限定することはまったく意図していない。プロセス１１００に関連して実行される様々なタスクは、ソフトウェアによって、ハードウェアによって、ファームウェアによって、あるいは任意の組合せによって実行されることが可能である。例示の目的で、プロセス１１００の以下の説明は、図１〜図８に関連して前述した要素を参照する場合がある。実施形態において、プロセス１１００の諸部分は、説明されるシステムの様々な要素、例えば、ローカルデバイス、注入ポンプ、ネットワークデバイス、あるいはどんな機能要素または動作コンポーネントによって実行されてもよい。プロセス１１００は、任意の数のさらなるタスク、または代替のタスクを含むことが可能であり、図１１に示されるタスクは、例示される順序で実行されなくてもよく、プロセス１１００は、本明細書で詳細に説明されないさらなる機能を有する、より包括的な手続きまたはプロセスに組み込まれてもよいことを理解されたい。
【０１０３】
注入ポンプ監視／制御プロセス１１００は、注入ポンプの通常のローカル動作に関連して実行される（タスク１１０２）。プロセス１１００は、好ましくは、前段で詳細に説明されるとおり、ローカル注入システム内でポンプデータの通信をサポートする（タスク１１０４）。特に、タスク１１０４は、例えば、ローカル注入システム内の注入ポンプからモニタデバイスへのポンプデータの伝送、注入ポンプ以外のローカルデバイス間のポンプデータの伝送などに相当する。この実施例では、ローカルモニタデバイスが、ポンプデータを伝えるローカル通信を受信する（タスク１１０６）。ローカルモニタデバイスは、前述したとおり、臨床モニタ、病院モニタ、ハンドヘルドモニタ／コントローラ、または任意の適切に構成されたローカルデバイスであってもよい。必要な場合、ローカルモニタデバイスは、受信されたポンプデータを処理して（タスク１１０８）、どのように応答するのが最善であるかを決定する。
【０１０４】
この実施例では、ローカルモニタデバイスは、受信されたポンプデータに応答して、ネットワーク通信を生成し、送信する（タスク１１１０）。ネットワーク通信は、ローカル注入システムの外部にある任意の適合するネットワークデバイスを宛先とすることが可能である。前述したとおり、ネットワーク通信は、好ましくは、宛先ネットワークデバイスによってもサポートされる選択されたネットワークデータ通信プロトコルに従って生成される。注入ポンプ監視／制御プロセス１１００は、外部ネットワークデバイスが、適切な仕方でネットワーク通信を受信して、処理する（タスク１１１２）ものと想定する。例えば、ネットワークデバイスは、注入ポンプを発信元とする警告または警報を生成することができる。
【０１０５】
ネットワーク通信（例えば、この実施例では、警報）に応答して、ネットワークデバイスは、リモートユーザ入力を獲得することができる（タスク１１１４）。これに関して、リモートユーザ入力は、例えば、ネットワークデバイスに配置されたユーザインターフェース機能の操作に相当する。例えば、ネットワークデバイスのユーザは、ネットワークデバイス上の「ＤＩＳＡＢＬＥ」ボタンを入れることによって、警報をディセーブルにすることを選択することができる。別の例として、ネットワークデバイスのユーザは、ネットワークデバイス上の「ＡＣＴＩＶＡＴＥ」ボタンを入れることによって、ボーラスを遠隔で投与することを選択することができる。リモートユーザ入力に応答して、ネットワークデバイスは、ローカル注入システム内のターゲットデバイスを宛先とする適切に構成されたネットワーク制御通信を生成して、送信することができる（タスク１１１６）。この制御通信は、ターゲットデバイスによってもサポートされるある特定のデータ通信プロトコルに準拠するようにフォーマットされる。ターゲットデバイスは、タスク１１０６の間に受信されるローカル通信を送信した（またはそのような通信の発信元であった）のと同一のローカルデバイスであってよいが、そうである必要は必ずしもない。
【０１０６】
注入ポンプ監視／制御プロセス１１００は、宛先のターゲットデバイスが、適切な仕方でネットワーク制御通信を受信して、処理する（タスク１１１８）ものと想定する。一般に、ターゲットデバイスは、受信された制御通信を処理して、どのように応答するのが最善であるかを決定する。ターゲットデバイスが、注入ポンプである場合、プロセス１１００は、タスク１１２４に進むことが可能である。そうではない場合、プロセス１１００は、タスク１１２２に進むことが可能である。タスク１１２２中、ターゲットデバイスは、注入ポンプを宛先とするローカル制御通信を生成して、送信することができる。ターゲットデバイスは、ローカル注入システム内でサポートされるデータ通信プロトコルに従ってローカル制御通信を生成して、送信する。例として、タスク１１２２は、ターゲットデバイスが、注入デバイスとローカルで通信するローカルモニタデバイスである場合、実行されることが可能である。最終的に、注入ポンプは、適切な仕方でネットワーク制御通信またはローカル制御通信を受信して、処理する（タスク１１２４）。これに関して、タスク１１２４は、タスク１１１４中にネットワークデバイスにおいて獲得されたリモートユーザ入力に応答して実行される。実施形態において、ローカル注入ポンプは、適切な仕方で、この制御通信に応答する（タスク１１２６）。例えば、注入ポンプは、例えば、以下の仕方で反応することが可能である。すなわち、警報または警告をディセーブルにする、注入ポンプのソフトウェアまたはファームウェアを更新する、注入ポンプの基礎レートを変更する、ポンプを作動させて、ボーラスを投与する、ローカル警告／警報を生成する、較正ルーチンを実行するなどである。
【０１０７】
この例示的な実施形態では、注入ポンプ監視／制御プロセス１１００は、注入ポンプの継続的な、または定期的な監視および制御を可能にする。したがって、図１１は、プロセス１１００をループとして表し、ここで、タスク１１２６は、注入ポンプの継続したローカル動作の目的で、タスク１１０２に戻る。
【０１０８】
図１２〜図１７は、本発明の例示的な実施形態に従って構成されたモニタデバイス、コントローラデバイス、ネットワークデバイス、ディスプレイデバイス、および／またはその他の注入システムデバイスによって生成されることが可能なスクリーンショットである。例えば、これらのスクリーンショットのコンテンツは、臨床モニタ２００（図２参照）によって、病院モニタ３００（図３参照）によって、ハンドヘルドモニタ／コントローラ４００および４１０（図４参照）によって、ローカル注入システム１０２内のローカルデバイスのいずれか（図１参照）によって、さらに／またはネットワークベースの注入システム１００によって利用されるネットワークデバイス１０４のいずれか（図１参照）によって、表示されることが可能である。
【０１０９】
図１２は、ハンドヘルドモニタ、パーソナルデジタルアシスタント、無線電話機、キーホルダリモートコントロールなどの、比較的小さいデバイスで使用するのに適したスクリーンショットである。このスクリーンショットは、クロック表示、ＲＦ品質標識１２０２、バッテリ標識１２０４、注入ポンプの中に残っている液体の量を表す液体レベル標識１２０６、および推奨されるボーラス（この例では、４．３ユニット）を含む。また、このスクリーンショットは、「続けるには「ＯＫ」を押してください」というプロンプトも含む。ユーザは、「ＯＫ」を押して、推奨されるボーラスを投与するように注入ポンプを制御する作動要求などの、他のオプションを表示することができる。
【０１１０】
図１３は、比較的小さいデバイスで使用するのに適した別のスクリーンショットである。このスクリーンショットは、適切に生成された警告または警報が付随することが可能な注意表示を含む。この場合、注意は、バッテリ電力低下状態、およびバッテリを交換するようにというリマインダを示すテキストを含む。本発明の例示的な実施形態では、そのような注意は、この注意を実際に表示するデバイス内のバッテリに関連するものであってもよいし、あるいはこの注意を実際に表示するデバイスによって監視されるリモートデバイス内のバッテリに関連するものであってもよい。これに関して、このスクリーンショットは、ネットワークモニタデバイスにおいて表示されることが可能であり、ここで、バッテリ電力低下注意は、ローカル注入ポンプデバイス内のバッテリ電力が低いことを示す。
【０１１１】
図１４は、リモートコントロール、腕時計サイズのモニタ、ポータブル表示専用デバイスなどの小さいフォームファクタのデバイスで使用するのに適したスクリーンショットである。このスクリーンショットは、読み易さのためにそれ相応な大きさであるクロック表示を含む。また、このスクリーンショットは、適切に生成された警告または警報が付随することが可能である注意表示も含む。この場合、注意は、監視される注入ポンプに関するインスリン貯蔵量低下条件を示すテキストを含む。例示的な実施形態では、このスクリーンショットは、注入ポンプ自体の上で、ローカル注入システム内のリモートデバイス上で、さらに／またはネットワークベースの監視デバイス上で表示されることが可能である。
【０１１２】
図１５〜図１７は、パーソナルデジタルアシスタント、無線電話機、またはポケットベルデバイスなどの、比較的小さいデバイスで使用するのに適した様々なスクリーンショットである。図１５の例示的なスクリーンショットは、グラフフォーマットでレンダリングされた、患者に関する履歴ＢＧデータ、およびクロック表示を含む。図１６のスクリーンショットは、インスリンポンプのインスリン貯蔵量の低レベルと関係する注意、ならびにクロック表示を含む。図１７のスクリーンショットは、デバイスに関する「メインメニュー」表示を表し、ここで、このメニューは、ユーザのためのいくつかのオプションを含む。例えば、デバイスは、例えば、「ボーラス設定」アイコン、「ボーラスウィザード」アイコン、「手動ボーラス」アイコン、および「ボーラス履歴」アイコンを含む、選択可能なメニューアイコンを表示してもよい。所与のアイコンの選択により、デバイスが、選択された特徴または機能と関係するさらなる情報またはオプションを提供する新たな表示スクリーンを生成させられるようにしてもよい。例えば、「ボーラス設定」アイコンは、ユーザが、使用中に作動させられることが可能なデバイスをある特定のボーラス値または複数のボーラス値に関してプログラミングすることを可能にし、デフォルトの値は、ユーザによって通常、消費される様々な食事炭水化物値に対応するように割り当てられることが可能であり、「ボーラスウィザード」アイコンは、ユーザが、その患者の現在の状態に適切であるインスリンのボーラスを計算することを可能にする機能を起動し、「手動ボーラス」アイコンは、ユーザが、デフォルトのボーラス値を逸脱することができるようにし、「ボーラス履歴」アイコンは、注入ポンプによる過去のボーラス供給の表示（グラフ、チャート、またはレポートなどの）を起動する。
【０１１３】
この場合、特定の表示フォーマット、スクリーンショット内容、表示メニューツリー、およびその他の表示特性および表示機能は、特定のデバイス構成（コンフィギュレーション）、デバイスが、ネットワークデバイスであるか、または注入システム内のローカルデバイスであるか、および／またはデバイスが、無線デバイスであるかどうかに応じて異なっていてもよい。様々な図に示される例示的なスクリーンショットは、本発明の任意の実施形態の範囲または応用を限定する、または制限することを意図するものではない。
【０１１４】
ネットワークベースの注入システム１００（図１参照）に関連して前述したとおり、データ通信変換（中継）デバイス１１３は、無線ローカルデバイスと、パーソナルコンピュータ、ネットワーク化された病院コンピュータ、介護者オフィスコンピュータなどのネットワークデバイス１０４との間の通信を円滑にするように利用されることが可能である。図１８は、本発明の１つの可能な実施形態に従って構成されたデータ通信変換デバイス１３００の斜視図である。この実施形態では、変換デバイス１３００は、無線ブリッジ機能およびメモリ記憶機能を提供する比較的小さいポータブルのデバイスである。変換デバイス１３００は、患者または介護者によって容易に携帯されることが可能であるように、便利なサイズであることが可能である。いくつかの実施形態では、変換デバイス１３００は、ポケットの中で携帯されるほど十分に小さい。
【０１１５】
変換デバイス１３００は、以下により詳細に説明されるいくつかの機能構成要素を密閉する筐体１３０２を含む。この例示的な実施形態は、変換デバイス１３００のためのネットワークインターフェースポートの役割をする「ＵＳＢ」（ユニバーサルシリアルバス）コネクタ１３０４を含む。ネットワークインターフェースポートは、代替として、ＩＥＥＥ１３９４ポート、シリアルポート、パラレルポートなどであってもよい。ＵＳＢコネクタ１３０４は、知られているＵＳＢ規格に物理的および電気的に準拠するように構成され、そのような規格を本明細書で詳細に説明することはしない。代替の実施形態は、様々なネットワークインターフェース構成を利用することが可能であり、したがって、様々なネットワークインターフェースコネクタ、ネットワークインターフェースポート、ネットワークインターフェースカプラなどを利用することが可能である。ＵＳＢコネクタ１３０４は、そのようなネットワークインターフェースの１つの適切な実施形態に過ぎず、本発明の実施形態は、ＵＳＢ利用に限定されない。
【０１１６】
また、変換デバイス１３００は、変換デバイス１３００が、ネットワークデバイスに接続されていない場合に、ＵＳＢコネクタ１３０４を保護する着脱可能なカバー１３０６を含んでいてもよい。カバー１３０６は、ユーザが、手でカバー１３０６を取り外すこと、および元に戻すことができるような仕方で、ＵＳＢコネクタ１３０４上および／または筐体１３０２上にはまるように設計されていてもよい。
【０１１７】
図１９は、変換（中継）デバイス１３００の１つの例示的な実施形態の概略図である。この実施例では、変換デバイス１３００は、一般に、筐体１３０２、ネットワークインターフェースポート（例えば、ＵＳＢコネクタ１３０４）、無線通信モジュール１３０８、メモリ要素１３１０、処理アーキテクチャ１３１２、データフォーマットトランスレータ１３１４、およびネットワークインターフェース１３１６（例えば、ＵＳＢインターフェース）を含む。変換デバイス１３００の要素は、バス１３１８、または任意の適切な相互接続アーキテクチャを介して、互いに結合されることが可能である。例示的な実施形態では、筐体１３０２は、無線通信モジュール１３０８、メモリ要素１３１０、処理アーキテクチャ１３１２、およびデータフォーマットトランスレータ１３１４を密閉する。特定の実施形態では、筐体１３０２は、ネットワークインターフェース１３１６の少なくとも一部分を密閉することも可能である。
【０１１８】
処理アーキテクチャ１３１２は、汎用プロセッサ、コンテンツアドレス可能なメモリ、デジタルシグナルプロセッサ、特定用途向け集積回路、フィールドプログラマブルゲートアレイ、任意の適切なプログラマブルロジックデバイス、ディスクリートのゲートロジックまたはトランジスタロジック、ディスクリートのハードウェア構成要素、または本明細書で説明される機能を実行するように設計された任意の組合せを使用して実施される、または実行されることが可能である。プロセッサは、マイクロプロセッサ、コントローラ、マイクロコントローラ、または状態マシンとして実現されることが可能である。さらに、プロセッサは、コンピューティングデバイスの組合せ、例えば、デジタルシグナルプロセッサとマイクロプロセッサの組合せ、複数のマイクロプロセッサ、デジタルシグナルプロセッサコアと連携した１つ以上のマイクロプロセッサ、または他の任意のそのような構成として実施されてもよい。変換デバイス１３００の例示的な実施形態では、データフォーマットトランスレータ１３１４は、処理アーキテクチャ１３１２内で実施されてもよい（ただし図１９は、これら２つを別々の論理要素として表す）。
【０１１９】
実際には、処理アーキテクチャ１３１２は、変換デバイス１３００の様々なタスク、機能、および動作をサポートするように構成される。例えば、処理アーキテクチャ１３１２は、ローカル注入システム内の送信デバイスから受信されるローカル通信の中で伝送される着信する情報、データ、およびコンテンツを解釈し、処理するように適切に構成されることが可能である。同様に、処理アーキテクチャ１３１２は、ローカル注入システムの外部のネットワークデバイスから受信されるネットワーク通信の中で伝送される着信情報、着信データ、および着信コンテンツを解釈し、処理するように適切に構成されることが可能である。また、処理アーキテクチャ１３１２は、メモリ要素１３１０の中のデータの格納および取り出しを管理するように構成されることも可能である。さらに、処理アーキテクチャ１３１２は、ネットワークインターフェース１３１６を介してネットワークデバイスから受信される命令に応答して、さらに／または無線通信モジュール１３０８を介してローカルデバイスから受信される命令に応答して、データを処理するように構成されることが可能である。
【０１２０】
１つの実施形態では、メモリ要素１３１０は、記憶能力を維持するのにバックアップバッテリを利用する電源付きメモリ構成であることが可能である。例示的な実施形態では、メモリ要素１３１０は、適切な量の記憶容量を有する不揮発性フラッシュメモリとして実現される。フラッシュメモリ、フラッシュメモリの選択回路、およびフラッシュメモリのプログラム／消去制御回路の設計および構成は、一般に知られており、メモリ要素１３１０のそのような従来の態様を本明細書で詳細に説明することはしない。代替の実施形態では、メモリ要素１３１０は、ＥＥＰＲＯＭメモリ、ランダムアクセスメモリ、レジスタ、小規模ハードディスク、着脱可能な媒体などを利用することができる。これに関して、メモリ要素１３１０は、処理アーキテクチャ１３１２が、メモリ要素１３１０から情報を読み取り、メモリ要素１３１０に情報を書き込むことができるように、処理アーキテクチャ１３１２に結合されることが可能である。代替として、メモリ要素１３１０および処理アーキテクチャ１３１２は、統合されたユニットとして実現されることも可能である。例として、処理アーキテクチャ１３１２およびメモリ要素１３１０は、ＡＳＩＣ内に存在することが可能である。後段でより詳細に説明されるとおり、メモリ要素１３１０は、注入システム内のローカルデバイスから受信される無線信号の中で伝送されるデータを格納するのに利用されることが可能である。さらに、メモリ要素１３１０は、注入システムの外部のネットワークデバイスから受信されるネットワーク通信信号の中で伝送されるデータを格納するのに利用されることが可能である。そのようなデータには、ローカルデバイスステータスデータ、ユーザの生理学的データ、センサデータ、警告／警報、ネットワークデバイスからの制御データ、変換デバイス１３００に関する動作命令、本明細書で説明されるローカルデータタイプまたはローカルデータコンテンツのいずれか、および／または本明細書で説明されるネットワークデータタイプまたはネットワークデータコンテンツのいずれかが含まれることが可能である。
【０１２１】
無線通信モジュール１３０８は、注入システム内のデバイス、例えば、注入システム１００の前段の説明で述べられるローカルデバイスのいずれか（図１参照）との無線データ通信をサポートするように適切に構成される。例えば、ローカルデバイスは、注入ポンプ、または注入ポンプに関するモニタデバイスであることが可能である。特定の実施態様に依存して、無線通信モジュール１３０８は、ローカルデバイスからの単方向通信、または変換デバイス１３００とローカルデバイスとの間の双方向通信をサポートするように構成されることが可能である。このため、無線通信モジュール１３０８は、ローカル注入システム内の送信デバイスからローカル通信信号を受信し、さらに／またはローカル注入システム内の受信デバイスにローカル通信信号を送信するように構成されることが可能である。
【０１２２】
無線通信モジュール１３０８は、１つ以上の無線データ通信プロトコル、および１つ以上の無線データ伝送スキームをサポートする無線モジュールを含むこと、またはそのような無線モジュールとして実現されることが可能である。ある実施形態では、無線通信モジュール１３０８は、ＲＦフロントエンド、適切に構成された無線モジュール（スタンドアロンモジュールであることも、変換デバイス１３００の他の機能、またはすべての機能と一体化されることも可能である）、無線送信機、無線受信機、無線トランシーバ、赤外線センサ、電磁トランスデューサなどの、ハードウェア、ソフトウェア、および／またはファームウェアを含むこと、またはそのようなハードウェア、ソフトウェア、および／またはファームウェアとして実現されることが可能である。この実施例では、変換デバイス１３００は、無線通信モジュール１３０８に結合されたアンテナ１３１８を含む。筐体１３０２の内部または外部に（あるいは一部は、筐体１３０２の内部に、また一部は、筐体１３０２の外部に）配置されることが可能なアンテナ１３１８は、無線通信モジュール１３０８の特定の設計に従って適切に構成される。
【０１２３】
ローカル通信の無線伝送のために、無線通信モジュール１３０８は、変換デバイス１３００と通信するローカルデバイスによってもサポートされる１つ以上の無線データ通信プロトコルをサポートする。例えば、ＲＦ、ＩｒＤＡ（赤外線）、Ｂｌｕｅｔｏｏｔｈ、ＺｉｇＢｅｅ（およびＩＥＥＥ８０２．１５プロトコルのその他の変種）、ＩＥＥＥ８０２．１１（任意の変種）、ＩＥＥＥ８０２．１６（ＷｉＭＡＸ、または他の任意の変種）、直接シーケンス拡散スペクトル、周波数ホッピング拡散スペクトル、セルラー／無線／コードレス遠隔通信プロトコル、無線ホームネットワーク通信プロトコル、ページングネットワークプロトコル、磁気誘導、衛星データ通信プロトコル、無線病院ネットワークプロトコルもしくは医療施設ネットワークプロトコル（ＷＭＴＳ帯域において動作するものなど）、ＧＰＲＳ、および無線ＵＳＢの変種などの独自の無線データ通信プロトコルを含む、任意の数の適切な無線データ通信プロトコル、無線データ通信技術、または無線データ通信方法が、通信モジュール１３０８および変換デバイス１３００によってサポートされることが可能である。
【０１２４】
ネットワークインターフェース１３１６は、一般に、変換デバイス１３００と、１つ以上のネットワークデバイスとの間のネットワーク通信の伝送をサポートするように構成される。ネットワークインターフェース１３１６は、インターフェースロジック１３２０およびネットワークインターフェースポート１３０４を含むことが可能である。インターフェースロジック１３２０は、処理アーキテクチャ１３１２内で実施されてもよい（ただし、図１９は、これら２つを別々の論理要素として表すもの）。この例示的な実施形態では、ネットワークインターフェース１３１６は、ＵＳＢインターフェースであり、インターフェースロジック１３２０は、ＵＳＢ規格およびＵＳＢ要件に準拠し、ネットワークインターフェースポート１３０４は、ＵＳＢポートまたはＵＳＢコネクタである。しかし、前述したとおり、代替の実施形態は、様々なネットワークインターフェース構成（例えば、ＩＥＥＥ１３９４）を利用することができ、したがって、様々なネットワークインターフェースコネクタ、ネットワークインターフェースポート、ネットワークインターフェースカプラなどを利用することができる。
【０１２５】
ネットワークインターフェース１３１６は、注入システムの外部のデバイス、例えば、注入システム１００の前段の説明で述べられるローカルデバイスのいずれか（図１参照）とのデータ通信をサポートするように適切に構成される。例えば、ネットワークデバイスは、変換デバイス１３００との通信を管理するように操作されることが可能である、適切なホストアプリケーションを有するパーソナルコンピュータであることが可能である。パーソナルコンピュータは、患者によって所有される、介護者施設内に配置される、病院内に配置される、デバイス製造業者施設内に配置される、または別の場所に配置されることが可能である。例示的な実施形態では、ホストアプリケーションは、監視、診断サービス、患者データ分析、医療デバイスプログラミング、および／またはローカル注入システム内の１つ以上のデバイスに関連する他の機能を提供するように設計されたソフトウェアとして実現されることが可能である。特定の実施形態に依存して、ネットワークインターフェース１３１６は、変換デバイス１３００からの単方向通信、または変換デバイス１３００とネットワークデバイスとの間の双方向通信をサポートするように構成されることが可能である。このため、ネットワークインターフェース１３１６は、送信するネットワークデバイスからネットワーク通信信号を受信し、さらに／または受信するネットワークデバイスにネットワーク通信信号を送信するように構成されることが可能である。
【０１２６】
ケーブル、有線接続、直接接続、またはその他の物理リンクを介するネットワーク通信信号の伝送のために、ネットワークインターフェース１３１６は、変換デバイス１３００と通信するネットワークデバイスによってもサポートされる１つ以上の有線／ケーブル配線データ通信プロトコルをサポートする。例えば、イーサネット、ホームネットワーク通信プロトコル、ＵＳＢ、ＩＥＥＥ１３９４（Ｆｉｒｅｗｉｒｅ）、病院ネットワーク通信プロトコル、および独自のデータ通信プロトコルを含む、任意の数の適切なデータ通信プロトコル、データ通信技術、またはデータ通信方法が、ネットワークインターフェース１３１６および変換デバイス１３００によってサポートされることが可能である。
【０１２７】
ネットワーク通信信号の無線伝送のために、ネットワークインターフェース１３１６は、変換デバイス１３００と通信するネットワークデバイスによってもサポートされる１つ以上の無線データ通信プロトコルをサポートする。例えば、ＲＦ、ＩｒＤＡ（赤外線）、Ｂｌｕｅｔｏｏｔｈ、ＺｉｇＢｅｅ（およびＩＥＥＥ８０２．１５プロトコルのその他の変種）、ＩＥＥＥ８０２．１１（任意の変種）、ＩＥＥＥ８０２．１６（ＷｉＭＡＸ、または他の任意の変種）、直接シーケンス拡散スペクトル、周波数ホッピング拡散スペクトル、セルラー／無線／コードレス遠隔通信プロトコル、無線ホームネットワーク通信プロトコル、ページングネットワークプロトコル、磁気誘導、衛星データ通信プロトコル、ＷＭＴＳ帯域において動作するものなどの無線病院ネットワークプロトコルもしくは医療施設ネットワークプロトコル、ＧＰＲＳ、および無線ＵＳＢの変種などの独自の無線データ通信プロトコルを含む（ただしこれらに限定されるものではない）、任意の数の適切な無線データ通信プロトコル、無線データ通信技術、または無線データ通信方法が、ネットワークインターフェース３１６および変換デバイス１３００によってサポートされることが可能である。
【０１２８】
無線データ伝送に関連して、変換デバイス１３００は、動的周波数ホッピングを実行して、デバイス１３００の動作を最適化し、バッテリ電源の無線デバイスに関するバッテリ寿命を保存し、さらに／またはデバイス１３００が通信する相手のデバイスの複雑さに柔軟性をもたらすように構成されることが可能である。例えば、無線通信モジュール１３０８は、５チャネル（低出力）デバイスおよび５０チャネル（高出力）デバイスに動的に対応するように設計されることが可能である。このような状況において、変換デバイス１３００は、高品質の無線リンクが確立された場合に、低電力モードを利用して、バッテリ電力を節約することができる。他方、変換デバイス１３００は、パケット損失の増加、衝突の増加、または全体的に劣悪なサービス品質に応じて、高電力モードに切り替わることが可能である。
【０１２９】
無線データ伝送に関連して、変換デバイス１３００は、指定された伝送周期性を有する同期リンクに関する再試行周期性をサポートするように構成されることも可能である。例えば、通常の動作中、同期無線リンクは、１分当たり１つのパケットを通信することができる。変換デバイス１３００は、逸せられたパケットに応じて、再試行手続きを開始するように構成されることが可能である。これに関して、変換デバイス１３００は、通常の動作モードと比べて、より高いレートで行われる再試行伝送（すなわち、逸せられたパケットの再送）をサポートすることができる。例えば、再試行パケット伝送は、１分に１回ではなく、２０秒毎に行われることが可能である。実際には、変換デバイス１３００および無線デバイスは、再試行パケットに対処するように周波数ホッピングスキームを適合させ、その後、通常の周波数ホッピングスキームを再開することができる。
【０１３０】
ソフトウェアによって、ハードウェアによって、ファームウェアによって、あるいはソフトウェアとハードウェアとファームウェアの任意の組合せによって実現されることが可能なデータフォーマットトランスレータ１３１４は、無線通信モジュール１３０８とネットワークインターフェース１３１６との間でデータを再フォーマットするように適切に構成される。特定の実施形態に依存して、そのような再フォーマットは、無線通信モジュール１３０８を介して受信されるデータに関して、ネットワークインターフェース１３１６を介して受信されるデータに関して、あるいはその両方に関して行われることが可能である。例えば、変換デバイス１３００が、無線通信モジュール１３０８において無線通信信号を受信し、この無線通信信号からデータを抽出し、この抽出されたデータを適切な仕方で処理して、この抽出されたデータが、ネットワークインターフェース１３１６によって供給されるべきネットワーク通信信号の中で伝送されることが可能であるようにすることが望ましい場合がある。同様に、変換デバイス１３００が、ネットワークインターフェース１３１６においてネットワーク通信信号を受信し、このネットワーク通信信号からデータを抽出し、この抽出されたデータを適切な仕方で処理して、この抽出されたデータが、無線通信モジュール１３０８によって供給されるべき無線通信信号の中で伝送されることが可能であるようにすることが望ましい場合がある。
【０１３１】
変換デバイス１３００は、無線通信モジュール１３０８と、ネットワークインターフェース１３１６との間でデータを暗号化するように構成されてもよい。データを暗号化することは、例えば、機密の情報、または取り扱いに慎重を要する情報が保護されたままであることを確実にするために望ましい。この実施例では、データフォーマットトランスレータ１３１４が、１つ以上の知られている暗号化スキームまたは独自の暗号化スキームを使用して、データ暗号化を実行するように構成されることが可能である。代替として、変換デバイス１３００が、データ暗号化を実行する別個の暗号化エンジンまたは暗号化モジュールを含んでもよい。特定の実施形態にでは、データ暗号化は、抽出されたデータ（または抽出されたデータの任意の部分）に、取り扱いに慎重を要する／機密のデータ（またはそのようなデータの任意の部分）に、さらに／または通信信号全体（または通信信号の任意の部分）に適用されることが可能である。
【０１３２】
変換デバイス１３００は、ローカルデバイスとネットワークデバイスとの間で無線ブリッジを提供し、変換デバイス１３００は、ある範囲のデータ伝送機能およびデータ格納機能をサポートすることができる。これに関して、図２０は、変換デバイス１３００によってサポートされることが可能である、例示的なデータ格納および変換プロセス１４００を表す流れ図である。プロセス１４００に関連して実行される様々なタスクは、ソフトウェアによって、ハードウェアによって、ファームウェアによって、あるいは任意の組合せによって実行されることが可能である。例示の目的で、プロセス１４００の以下の説明は、図１８および図１９に関連して前述した要素を参照する場合がある。実際には、プロセス１４００の諸部分が、説明されるシステムの様々な要素、例えば、無線通信モジュール１３０８、メモリ要素１３１０、処理アーキテクチャ１３１２、またはネットワークインターフェース１３１６によって実行されることが可能である。プロセス１４００は、任意の数のさらなるタスク、または代替のタスクを含むことが可能であり、図２０に示されるタスクは、例示される順序で実行されなくてもよく、プロセス１４００は、本明細書で詳細に説明されないさらなる機能を有する、より包括的な手続きまたはプロセスに組み込まれてもよいことを理解されたい。
【０１３３】
データ格納および変換プロセス１４００は、例えば、変換デバイスのネットワークインターフェースを介して変換デバイスがネットワークデバイスに接続されると開始される（タスク１４０２）。この実施例では、タスク１４０２は、ＵＳＢ対応の変換デバイスを変換デバイスのＵＳＢインターフェースを介してパーソナルコンピュータに結合することに関連する。この接続に応じて、プロセス１４００は、変換デバイスに電力を供給し、無線通信モジュールを初期化する（タスク１４０４）。従来の方法によれば、ＵＳＢインターフェースは、コンピュータから変換デバイスに動作電力を供給し、そのような動作電力は、無線通信モジュール、または変換デバイスの他の機能要素に通電するのに利用されることが可能である。この実施例では、コンピュータは、変換デバイスのマウント（装着）を検出し、コンピュータのホストアプリケーションを自動的に起動することによって応答する（タスク１４０６）。代替として、コンピュータは、ホストアプリケーションを手動で起動するようにユーザを促してもよい。
【０１３４】
変換デバイスは、自動検出モードまたはスタンバイモードをサポートするように構成されることが可能であり、これらのモード中、変換デバイスは、無線伝送範囲内に入る適合するローカルデバイスを「リッスン」する。そのような自動デバイス検出モードは、十分な強度のリンクが確立されるまで、データの無線伝送を遅延させることによって、システムが、断続的なリンクまたは信頼できないリンクに対処することを可能にするのに望ましい場合がある。また、そのような自動デバイス検出モードは、介護者オフィス環境において、患者が待合室に入るといつでも、システムがデータをダウンロードする（自動的に、または患者の承認後に）ことを可能にするのに望ましい場合もある。自動デバイス検出モードが、アクティブ状態である場合（クエリ・タスク１４０８）、変換デバイスは、ローカルデバイスが検出されているかどうかを判定する検査を行うことができる（クエリタスク１４１０）。変換デバイスが、範囲内のローカルデバイスを検出した場合、データ格納および変換プロセス１４００は、後段で説明される処理に進むことができる。検出しなかった場合、変換デバイスは、範囲内のローカルデバイスを検出するまでアイドル状態であってもよく、あるいはプロセス１４００はクエリ・タスク１４０８に戻ってもよい。自動デバイス検出モードが、アクティブ状態でない場合、または変換デバイスが自己デバイス検出モードをサポートしない場合、クエリ・タスク１４０８の後にクエリ・タスク１４１２に進んでもよい。
【０１３５】
データ格納および変換プロセス１４００は、クエリ・タスク１４１２を実行して、ホストアプリケーションのユーザが変換デバイスを制御下においたかどうかを判定することができる。ホスト制御が開始されていない場合、プロセス１４００は、クエリ・タスク１４０８に戻ってもよい。代替として、ホスト制御が開始されていない場合、プロセス１４００は、ホスト制御が生じるまで、アイドル状態であってもよい。しかし、ホスト制御が開始された場合、プロセス１４００は、後段で説明される処理に進むことが可能である。
【０１３６】
実施態様および応用先に依存して、変換デバイスは、無線ローカルデバイスからデータを受信して、処理することができ、さらに／またはネットワークデバイスからデータを受信して、処理することができる。説明を容易にするため、データ格納および変換プロセス１４００は、（着信する無線通信信号を扱うことと関係する）サブプロセスＡと（着信するネットワーク通信信号を扱うことと関係する）サブプロセスＢとに恣意的に、わざと分けられる。変換デバイスのある実施形態は、両方のサブプロセスを同時に、または送信／受信衝突を回避する同期の仕方で実行するように適切に構成されることが可能である。これらのサブプロセスのいずれか、または両方が、図２０Ａに示されるとおり、クエリタスク１４１０またはクエリタスク１４１２の後に続くことが可能である。
【０１３７】
サブプロセスＡ（図２０Ｂ参照）を参照すると、変換デバイスは、注入システム内のローカルデバイスから無線ローカルデータ通信信号を受信することができる（タスク１４１４）。１つの例示的な実施形態では、初期ハンドシェークルーチン中、またはパケット交換ルーチン中、接触を開始するデバイスは、伝送が１回限り（ワンタイム）のパケット（要求されるだけの頻度で送信されることが可能である）であるか、この２つの通信するデバイス間で送受信されるパケットの時間同期を要求する同期リンクパケットであるかを示す。受信された無線ローカルデータ通信信号の中で伝送されたデータが、保存されるべき場合（クエリタスク１４１６）、変換デバイスは、そのデータを抽出して、デバイスの常駐メモリ要素の中に格納することができる（タスク１４１８）。タスク１４１８のデータ格納の後に、データ格納および変換プロセス１４００は、クエリ・タスク１４２０に進むことができる。無線ローカルデータ通信信号の中で伝送されるデータが、保存されるべきでない場合、プロセス１４００は、タスク１４１８を飛び越して、クエリ・タスク１４２０に進むことができる。
【０１３８】
クエリ・タスク１４２０は、変換デバイスがデータのネットワーク伝送を実行すべきかどうかを判定することができる。変換デバイスは、メモリ要素の中に格納されたデータのネットワーク伝送、および／またはメモリ要素の中に格納される必要のないデータのネットワーク伝送をサポートするように適切に構成されることが可能である。例えば、変換デバイスは、注入システムの外部のネットワークデバイスに伝送するために、メモリ要素の中に格納されたデータを処理するように構成されることが可能である。この実施例では、そのようなネットワーク伝送は、ＵＳＢインターフェースを介する、変換デバイスからホストコンピュータへのデータの伝送に相当する。ネットワーク伝送が開始されていない場合、データ格納および変換プロセス１４００は、タスク１４１４に戻り、変換デバイスが、無線通信信号を受信することを続けることができるようにしてもよい。しかし、ネットワーク伝送が開始されている場合、プロセス１４００は、クエリ・タスク１４２２に進むことが可能である。
【０１３９】
クエリ・タスク１４２２は、変換デバイスが、データ暗号化を実行すべきかどうかを判定する。変換デバイスは、無線ローカルデータ通信信号の中で伝送されるデータを暗号化する、ネットワーク通信信号の中で伝送されるデータを暗号化する、さらに／またはメモリ要素の中に格納されたデータを暗号化するように、適切に構成されることが可能である。例えば、変換デバイスは、ネットワークデバイスへの暗号化された伝送のために、メモリ要素の中に格納されたデータを暗号化することができ、ネットワークデバイスは、このデータを解読するのに適合した仕方で構成される。暗号化が実行されるべき場合、データ格納および変換プロセス１４００は、任意の適切なデータ暗号化技術を使用して、データ暗号化を実行する（タスク１４２４）。プロセス１４００は、暗号化を実行した後、クエリ・タスク１４２６に進んでもよい。データが暗号化されない場合、プロセス１４００は、タスク１４２４を飛び越して、クエリ・タスク１４２６に進むことができる。
【０１４０】
クエリ・タスク１４２６は、変換デバイスがネットワークデバイスへの伝送のためにデータを再フォーマットすべきかどうかを判定する。例えば、データ格納および変換プロセス１４００は、ネットワークインターフェースに適合するように、無線ローカルデータ通信信号の中で伝送されるデータを再フォーマットすることができる（タスク１４２８）。プロセス１４００は、さらに（または代替として）、メモリ要素の中に格納されているデータを再フォーマットすることができる。そのような再フォーマットは、ネットワークインターフェースがネットワークデバイスにネットワーク通信を提供することができるようにするために望ましい場合があり、ここで、そのネットワーク通信は再フォーマットされたデータを伝送する。データを、所望される仕方で再フォーマットした後、変換デバイスは、ネットワーク通信信号を生成することができる（タスク１４３０）。タスク１４３０は、再フォーマットが必要ない、または望ましくないとクエリ・タスク１４２６が判定した場合に実行されてもよい。この実施例では、ネットワーク通信信号は、無線ローカルデータ通信信号の中で伝送されたデータ、および／またはメモリ要素から取り出されたデータを含む。
【０１４１】
最終的に、データ格納および変換プロセス４００は、ネットワークデバイスに伝送するために、ネットワークインターフェースに（タスク１４３０中に生成された）ネットワーク通信信号を提供する（タスク１４３２）。例示的な実施形態では、タスク１４３２は、ＵＳＢインターフェースを介するホストコンピュータへのデータの伝送をもたらす。タスク１４３２の後に、プロセス１４００は、終了してもよいし、またはクエリ・タスク１４０８などの、指定されたポイントに戻ってもよい。
【０１４２】
サブプロセスＢ（図２０Ｃ参照）に戻ると、変換デバイスは、注入システムの外部のネットワークデバイスからネットワークデータ通信信号を受信することができる（タスク１４３４）。１つの例示的な実施形態では、初期ハンドシェーク中、またはパケット交換ルーチン中、接触を開始するデバイスは、伝送が１回限りのパケット（要求されるだけの頻度で送信されることが可能である）であるか、この２つの通信するデバイス間で送受信されるパケットの時間同期を要求する同期リンクパケットであるかを指示する。ネットワークデータ通信信号の中で伝送されるデータが保存されるべき場合（クエリ・タスク１４３６）、変換デバイスは、データを抽出して、デバイスの常駐メモリ要素の中に格納することができる（タスク１４３８）。その後、データ格納および変換プロセス１４００は、クエリ・タスク１４４０に進むことができる。ネットワークデータ通信信号の中で伝送されるデータが、保存されるべきでない場合、プロセス１４００は、タスク１４３８を飛び越して、クエリ・タスク１４４０に進むことができる。
【０１４３】
クエリ・タスク１４４０は、変換デバイスが、データのローカル伝送を実行すべきかどうかを判定することができる。変換デバイスは、メモリ要素の中に格納されたデータのローカル伝送、および／またはメモリ要素の中に格納される必要のないデータのローカル伝送をサポートするように適切に構成されることが可能である。例えば、変換デバイスは、注入システム内のローカルデバイスに伝送するために、メモリ要素の中に格納されたデータを処理するように構成されることが可能である。この実施例では、そのようなローカル伝送は、無線通信モジュールを介する、変換デバイスからローカルデバイスへのデータの伝送に相当する。ローカル伝送が、開始されていない場合、データ格納および変換プロセス１４００は、受信されたネットワークデータ通信信号が、ネットワークデバイスからの動作命令または制御命令を伝送したかどうかを検査することができる（クエリ・タスク１４４２）。伝送した場合、変換デバイスは、そのような命令に応答して、メモリの中に格納されたデータを処理することができる（タスク１４４４）。これらの命令は、変換デバイスにおいて格納されたあるデータを求める要求、ローカルデバイスからデータを獲得するように変換デバイスに求める要求、変換デバイスおよび／またはローカルデバイスのためのプログラミングデータまたは構成データなどを含む、または示す、ことが可能である。タスク１４４４の後に、プロセス１４００は、終了する、あるいはタスク１４３４またはクエリ・タスク１４０８などの、指定されたポイントに戻ることが可能である。
【０１４４】
ローカル伝送が開始されているとクエリ・タスク１４４０が判定した場合、データ格納および変換プロセス１４００は、クエリ・タスク１４４６に進むことができる。クエリ・タスク１４４６は、変換デバイスが、前述したとおり、データ暗号化を実行すべきかどうかを判定する。例えば、変換デバイスは、無線ローカルデバイスへの暗号化された伝送のために、受信されたネットワークデータ通信信号によって伝送されたデータ、および／またはメモリ要素の中に格納されたデータを暗号化することができ、無線ローカルデバイスは、このデータを解読するのに適合した仕方で構成される。暗号化が実行されるべき場合、プロセス１４００は、任意の適切なデータ暗号化技術を使用して、データ暗号化を実行する（タスク１４４８）。プロセス１４００は、データを暗号化した後、クエリ・タスク１４５０に進むことができる。データが暗号化されない場合、プロセス１４００は、タスク１４４８を飛び越して、クエリ・タスク１４５０に進むことができる。
【０１４５】
クエリ・タスク１４５０は、変換デバイスが、無線ローカルデバイスに伝送するためにデータを再フォーマットすべきかどうかを判定する。例えば、データ格納および変換プロセス１４００は、無線データ通信モジュールに適合するように、ネットワークデータ通信信号の中で伝送されるデータを再フォーマットすることができる（タスク１４５２）。プロセス１４００は、さらに（または代替として）、メモリ要素の中に格納されているデータを再フォーマットすることができる。そのような再フォーマットは、無線通信モジュールが、ローカルデバイスにローカル無線通信信号を提供することができるようにするのに望ましい場合があり、ここで、その無線信号は、再フォーマットされたデータを伝送する。データを所望される仕方で再フォーマットした後、変換デバイスは、ローカル通信信号を生成することができる（タスク１４５４）。また、タスク１４５４は、再フォーマットが必要ない、または望ましくないとクエリ・タスク１４５０が判定した場合に実行されてもよい。この実施例では、ローカル通信信号は、ネットワークデータ通信信号の中で伝送されたデータ、および／またはメモリ要素から取り出されたデータを含む無線信号である。
【０１４６】
最終的に、データ格納および変換プロセス１４００は、ローカルデバイスに伝送するために、無線通信モジュールにローカル通信信号（タスク１４５４中に生成された）を提供する（タスク１４５６）。この例示的な実施形態では、タスク１４５６は、無線通信モジュールを介するローカルデバイスへのデータの無線伝送をもたらす。タスク１４５６の後に、プロセス１４００は、終了する、またはクエリ・タスク１４０８などの、指定されたポイントに戻ることが可能である。
【０１４７】
変換デバイス１３００、データ格納および変換プロセス１４００、および変換デバイス１３００によってサポートされる他のプロセスは、注入システムのユーザに、さらなる柔軟性および利便性を提供する。例えば、変換デバイス１３００は、注入ポンプから、または自動的ストレージを有する注入ポンプモニタから、デバイス１３００の内部フラッシュメモリに履歴データをダウンロードすることをサポートすることができる。そのようなダウンロードは、ホストアプリケーションによって駆動されることが可能であり、つまり、ホストコンピュータが、患者の介護者による後日の取り出し、および分析のために、フラッシュメモリにデータをダウンロードするよう変換デバイス１３００に命令することができる。患者履歴データは、許可された介護者コンピュータシステムだけしか、これらの履歴ファイルにアクセスすることができないように、暗号化されることが可能である。代替として、これらの履歴ファイルは、読み取り／書き込みアクセスが、介護者に与えられて、患者による読み取り専用であることが可能である。例示的な実施形態では、ホストアプリケーションは、患者または介護者が、変換デバイス１３００を介してローカルデバイスと通信しているかどうかを検出するように構成されることが可能である。したがって、変換デバイス１３００は、所望される場合、患者特有の機能、および／または介護者特有の機能をサポートするように構成されることが可能である。
【０１４８】
注入システムの所与の配備に依存して、複数のローカルデバイスからデータを収集し、収集されたデータが、制御された仕方で格納される、処理される、ルーティングされる、またはそれ以外で管理されるようにすることが望ましい可能性がある。これに関して、図２１は、本発明の例示的な実施形態に従って構成された無線遠隔測定ルータ１５００の例示的なネットワーク展開の概略図である。無線遠隔測定ルータ１５００は、ネットワークベースの注入システム１００（図１参照）などの医療デバイスシステム内に配置されることが可能である。無線遠隔測定ルータ１５００は、ローカル注入システムなどのローカル医療デバイスシステム内の複数の無線デバイスと通信するように適切に構成される。無線遠隔測定ルータ１５００は、ローカル医療デバイスシステムの外部にあってもよい１つ以上のネットワークデバイスと通信するようにも構成される。例えば、無線遠隔測定ルータ１５００は、イーサネット接続を介して、さらに／または無線リンクを介して無線遠隔測定ルータに結合されたネットワークデバイスと通信することができる。
【０１４９】
例示的な環境の柔軟性のある性質が、様々なデバイスと通信する無線遠隔測定ルータ１５００を示す図２１に示される。例示的な実施形態において、無線遠隔測定ルータ１５００は、例えば、以下のデバイス（ただしそれらに限定されるわけではない）、すなわち、複数の生理学的特性センサ送信機１５０２、無線パーソナルデジタルアシスタント１５０４、無線ラップトップコンピュータ１５０６、ネットワークモニタ１５０８、ネットワークコンピュータ１５１０、ネットワークパーソナルデジタルアシスタント１５１２、ネットワーク病院管理システム１５１４、およびネットワークプリンタ１５１６と通信するように適切に構成される。また、無線遠隔測定ルータ１５００は、注入システム１００の前段の説明において述べられた様々なローカルデバイスおよびネットワークデバイスとの通信をサポートするようにも構成される。
【０１５０】
図２１は、５つの生理学的特性センサ送信機１５０２を示しているが、無線遠隔測定ルータ１５００は任意の数のセンサ送信機をサポートすることができる（帯域幅、利用可能な電力、伝送範囲などの実際的な動作上の制約だけによってしか制限されない）。各生理学的特性センサ送信機１５０２は、患者の生理学的特性を測定するように適切に構成される。本明細書で説明される例示的な注入システムにおいて、各センサ送信機１５０２は、患者のグルコースレベルをリアルタイムで測定する連続グルコース（例えば、血糖）センサ送信機である。各センサ送信機１５０２は、患者によって着用されること、患者の皮膚に取り付けられること、患者の体内に埋め込まれることなどが意図される形態で実現されてよい。各センサ送信機１５０２は、無線遠隔測定ルータ１５００への、さらに、場合によっては、ローカル注入システム内の他のデバイスへの、ユーザの生理学的センサデータの伝送を円滑にする無線送信機を含む。
【０１５１】
無線遠隔測定ルータ１５００は、生理学的特性センサ送信機１５０２が範囲内に入る任意の環境に配置されることが可能である。無線遠隔測定ルータ１５００は、複数のセンサ送信機１５０２が、１名の個人によって使用されるシステム、および／または複数の個人を企図するシステム（各個人が、１つだけのセンサ送信機１５０２を使用する）をサポートすることができる。さらに、無線遠隔測定ルータ１５００は、様々なタイプのセンサ送信機をサポートするように適切に構成され、図２１に示される例示的な環境は、インスリン注入システム、またはいずれかの特定のタイプの医療デバイスシステムに限定されなくてもよい。無線遠隔測定ルータ１５００の例示的な応用例には、例えば、以下に示すものが含まれる。すなわち、１名の患者が複数のセンサ送信機１５０２を有し、それら各送信機１５０２が異なる生理学的特性を示すデータを提供するように構成される方式、家族の複数のメンバが１つのセンサ送信機１５０２を使用する自宅への配置、任意の数の学生に関する生理学的データを監視することが望ましい学校への配置、任意の数の患者に関する生理学的データを監視することが望ましい病院への配置、または患者識別の目的で及び／またはセンサ送信機１５０２からデータを獲得するのに個別のセンサ送信機１５０２を識別することが望ましい介護者オフィス環境である。
【０１５２】
生理学的特性センサ送信機１５０２および無線遠隔測定ルータ１５００は、特定のシステム、および／またはセンサ送信機１５０２の特定のタイプに応じて、単方向（図示されるとおり）であっても双方向であってもよい各無線リンク１５１８を介して、無線データ通信をサポートするように適切に構成される。したがって、無線遠隔測定ルータ１５００は、複数のセンサ送信機１５０２をサポートすることができる適切に構成された無線通信モジュールを含む。
【０１５３】
システムの要件ではないものの、無線リンク１５１８は、同一の無線データ通信プロトコル、および同一の無線データ通信スキームを使用して確立されてもよい。無線遠隔測定ルータ１５００は、無線リンク１５１８のために、例えば、ＲＦ、ＩｒＤＡ（赤外線）、Ｂｌｕｅｔｏｏｔｈ、ＺｉｇＢｅｅ（およびＩＥＥＥ８０２．１５プロトコルのその他の変種）、ＩＥＥＥ８０２．１１（任意の変種）、ＩＥＥＥ８０２．１６（ＷｉＭＡＸ、または他の任意の変種）、直接シーケンス拡散スペクトル、周波数ホッピング拡散スペクトル、セルラー／無線／コードレス遠隔通信プロトコル、無線ホームネットワーク通信プロトコル、ページングネットワークプロトコル、磁気誘導、衛星データ通信プロトコル、無線病院ネットワークプロトコルもしくは医療施設ネットワークプロトコル（ＷＭＴＳ帯域において動作するものなど）、ＧＰＲＳ、および無線ＵＳＢの変種などの独自の無線データ通信プロトコルを含む、任意の数の適切な無線データ通信プロトコル、無線データ通信技術、または無線データ通信方法を利用することができる（ただし、これらに限られるものではない）。例示的な実施形態では、無線リンク１５１８は、産業設備用、科学設備用、および医療設備用に確保された９００〜９３０ＭＨｚ帯域で伝送される。別の例として、病院実施形態における無線リンク１５１８は、病院アプリケーションのために確保されたＷＭＴＳ帯域を利用することができる。センサデータのパッケージ化、誤り検出、セキュリティ、センサ送信機識別、およびその他のセンサデータ処理技術は、知られているプロトコル、または独自のプロトコルによって制御されることが可能である。
【０１５４】
無線遠隔測定ルータ１５００は、イーサネット接続を介して（または任意の適切なデータ通信方法を介して）ネットワークデバイスと通信するように構成されることが可能である。図２１は、無線遠隔測定ルータ１５００をネットワークモニタ１５０８、ネットワークコンピュータ１５１０、ネットワークパーソナルデジタルアシスタント１５１２、ネットワーク病院管理システム１５１４、およびネットワークプリンタ１５１６にリンクするイーサネットデータ通信アーキテクチャを表す。もちろん、これらの例示的なネットワークデバイスは、網羅的ではなく、本発明の実施形態は、これらの実施例に限定されない。無線遠隔測定ルータ１５００とネットワークデバイスとの間の所与のリンクは、特定のシステム、および／またはネットワークデバイスの特定のタイプに応じて、単方向（いずれかの方向で）であっても、双方向であってもよい。例えば、無線遠隔測定ルータ１５００からネットワークプリンタ１５１６に至るリンクは、単方向であってもよく、無線遠隔測定ルータからネットワークモニタ１５０８に至るリンクは、単方向であってもよく、さらに他のリンクは、双方向であってもよい。
【０１５５】
無線遠隔測定ルータ１５００は、無線パーソナルデジタルアシスタント１５０４や無線ラップトップコンピュータ１５０６などの、適合する無線デバイスとの無線通信をサポートするように構成されることが可能である。したがって、無線遠隔測定ルータ１５００は、無線リンク１５１８を受信する無線通信モジュールとは異なっていてもよい（ただし、異なることは必須ではない）、適切に構成された無線通信モジュールを含む。これに関して、図２１は、無線遠隔測定ルータ１５００と、これらの無線デバイスとの間の無線リンク１５２２を示す。無線遠隔測定ルータと無線デバイスとの間の所与の無線リンクは、特定のシステムおよび／または無線デバイスの特定のタイプに応じて、いずれかの方向で単方向であっても、双方向（図２１に示されるとおり）であってもよい。実際には、無線リンク１５２２は、無線遠隔測定ルータ１５００がネットワークをバイパスして（すなわち、イーサネットデータ通信アーキテクチャ１５２０を横切ることなしに）無線デバイスと直接に通信することを可能にする。
【０１５６】
システムの要件ではないものの、無線リンク１５２２は、同一の無線データ通信プロトコル、および同一の無線データ通信スキームを使用して確立されることが可能である。この実施例では、無線遠隔測定ルータ１５００は、無線リンク１５２２のために１つの無線データ通信技術を利用し、無線リンク１５１８のために異なる無線データ通信技術を利用する。無線遠隔測定ルータ１５００は、無線リンク１５２２のために、以下に例示する任意の数の適切な無線データ通信プロトコル、無線データ通信技術、または無線データ通信方法を利用することができる。すなわち、ＲＦ、ＩｒＤＡ（赤外線）、Ｂｌｕｅｔｏｏｔｈ、ＺｉｇＢｅｅ（およびＩＥＥＥ８０２．１５プロトコルのその他の変種）、ＩＥＥＥ８０２．１１（任意の変種）、ＩＥＥＥ８０２．１６（ＷｉＭＡＸ、または他の任意の変種）、直接シーケンス拡散スペクトル、周波数ホッピング拡散スペクトル、セルラー／無線／コードレス遠隔通信プロトコル、無線ホームネットワーク通信プロトコル、ページングネットワークプロトコル、磁気誘導、衛星データ通信プロトコル、無線病院ネットワークプロトコルもしくは医療施設ネットワークプロトコル（ＷＭＴＳ帯域において動作するものなど）、ＧＰＲＳ、および無線ＵＳＢの変種などの独自の無線データ通信プロトコルなどであるが、これに限定されるものではない。データのパッケージ化、誤り検出、セキュリティ、およびその他のデータ処理技術は、知られているプロトコル、または独自のプロトコルによって制御されることが可能である。
【０１５７】
１つの例示的な実施形態では、無線遠隔測定ルータ１５００は、ＨＴＭＬベースのセットアップ／管理／制御インターフェースを含み、このインターフェースは、ＨＴＭＬブラウザ機能と無線遠隔測定ルータ１５００に対する接続とを有する任意の許可されたコンピュータまたはデバイスを介してアクセスされることが可能である。例えば、管理者が、インターネット、および無線パーソナルデジタルアシスタント１５０４上、無線ラップトップコンピュータ１５０６上、ネットワークコンピュータ１５１０上、またはネットワークパーソナルデジタルアシスタント５１２上に存在する従来のウェブブラウザアプリケーションを介して、無線遠隔測定ルータ１５００にアクセスできるようにしてもよい。制御インターフェースは、無線遠隔測定ルータ１５００のファームウェア／ソフトウェアの中に存在する１つ以上のＨＴＭＬページとして提供されることが可能である。制御インターフェースは、その特定の無線遠隔測定ルータ１５００に固有であるＩＰアドレスおよび／またはネットワークインターフェースカードを使用してアクセスされるようにしてもよい。パスワード保護およびファイアウォール保護が実施されて、外部からの濫用またはデータ盗難からの保護が提供されるようにしてもよい。
【０１５８】
セットアップ手続きに関連して、無線遠隔測定ルータ１５００には、各生理学的特性センサ送信機１５０２のセンサ識別子が与えられてもよい。センサ識別子は、例えば、センサ送信機１５０２の通し番号、または動作環境内の異なるセンサ送信機１５０２を一意に区別する任意の情報であることが可能である。例示的な実施形態では、発信元センサ送信機１５０２によって生成された無線通信信号が、対応するセンサ識別子を伝送する。すると、無線遠隔測定ルータ１５００は、これらのセンサ識別子を適切な仕方で処理することができる。例えば、無線遠隔測定ルータ１５００は、発信元センサ送信機１５０２から無線通信信号を受信し、その無線通信信号に関するセンサ識別子を獲得して、または抽出して、その特定のセンサ識別子によって決定される、制御される、または規定される仕方で、その無線通信信号の中で伝送されるセンサデータを処理することができる。この技術は、無線遠隔測定ルータ１５００が、発信元センサ送信機１５０２、発信元の患者、センサ送信機タイプ、またはその他の関係のある情報を識別することを可能にする。次に、無線遠隔測定ルータ１５００は、そのセンサデータを適切な仕方で処理する、格納する、さらに／またはルーティングすることができる。別の例として、無線遠隔測定ルータ１５００は、第１のセンサ送信機１５０２ａから第１の無線通信信号を受信し、第２のセンサ送信機１５０２ｂから第２の無線通信信号を受信し、そのそれぞれの２つのセンサ識別子（異なるはずである）を獲得して、または抽出して、それらのセンサ識別子によって決定される、制御される、または規定される同期された仕方で、その２つの無線通信信号の中で伝送されるセンサデータを処理することができる。この技術は、無線遠隔測定ルータ１５００が、発信源に応じて、センサデータの受信、処理、格納、および／または伝送に優先順位を付けることを可能にする。
【０１５９】
セットアップ手続きに関連して、無線遠隔測定ルータ１５００には、様々な宛先ネットワークデバイスに関するネットワーク識別子（例えば、ＩＰアドレスまたはネットワークインターフェースカード識別子）が提供されることが可能である。そのようなネットワーク識別子により、無線遠隔測定ルータ１５００は、受信されたセンサデータをどのように処理する、扱う、格納する、またはルーティングするかを決定することができるようになる。これに関して、無線遠隔測定ルータ１５００は、例えば、それらの異なるセンサ識別子を含むルックアップテーブル（または任意の適切なメモリ構造またはデータベース構造）、および各センサ識別子についての宛先ネットワーク識別子の対応リストを保持する、またはそのようなルックアップテーブルおよびリストにアクセスすることができる。このルックアップテーブルは、各センサ識別子に関する、対応する処理命令を含むことも可能である。
【０１６０】
無線遠隔測定ルータ１５００は、一般に、センサデータを受信し、このセンサデータを１つ以上の宛先ネットワークデバイスにルーティングするように構成される。この実施例では、無線遠隔測定ルータ１５００は、複数の生理学的特性センサ送信機１５０２から複数の無線通信信号を受信し、それら各無線通信信号は、各センサ送信機１５０２によって生成されたセンサデータを伝送する。前述したとおり、各無線通信信号は、発信元センサ送信機１５０２を一意に識別するセンサ識別子を伝送してもよい。すると、無線遠隔測定ルータ１５００は、特定のアプリケーション、ならびに発信元センサ送信機１５０２のＩＤに応じて、受信された情報を適切な仕方で処理することができる。
【０１６１】
無線遠隔測定ルータ１５００は、例えば、センサデータの少なくともいくらかを（無線遠隔測定ルータ１５００自体に、または無線遠隔測定ルータ１５００に結合されたネットワークデバイスに）格納すること、センサデータの少なくともいくらかを宛先ネットワークデバイスに転送すること、指定されたネットワークデータ通信プロトコルに適合するように無線通信信号の中で伝送されるデータを再フォーマットすること、またはセンサデータの少なくともいくらかを処理することを含め、受信されたセンサデータに対して１つ以上の動作を実行することができる。例示的な実施形態において、無線遠隔測定ルータ１５００は、システム環境内の別の場所で通常見られるいくらかの機能および処理インテリジェンスを含むことが可能である。例えば、無線遠隔測定ルータ１５００は、較正されていない患者グルコースレベルなどの、較正されていない生理学的特性データを受信して、そのデータを較正してから、宛先ネットワークデバイスにルーティングするように構成されてもよい。
【０１６２】
ルーティング機能に関連して、無線遠隔測定ルータ１５００は、指定されたネットワークデータ通信プロトコルに準拠するネットワーク通信を生成することができる。ネットワーク通信は、格納されたセンサデータ、即時にルーティングされるリアルタイムセンサデータ、またはそのようなセンサデータの組合せを含むことが可能な、センサデータを伝送する。そして、無線遠隔測定ルータ１５００は、ネットワーク通信を１つ以上のネットワークデバイスに伝送することができる。無線遠隔測定ルータ１５００は、選択されたネットワークデータ通信プロトコルに従って、また、選択されたデータ通信技術に従って、ネットワーク通信を伝送する。例えば、無線遠隔測定ルータ１５００は、（あるプロトコルと伝送スキームの組合せを使用する）無線リンク１５１８上で受信されるデータと、（別のプロトコルと伝送スキームの組合せを使用する）イーサネットデータ通信アーキテクチャ１５２０を介して伝送されるデータとの間の変換デバイスとして機能することができる。別の例として、無線遠隔測定ルータ１５００は、（あるプロトコルと伝送スキームの組合せを使用する）無線リンク１５１８上で受信されるデータと、（別のプロトコルと伝送スキームの組合せを使用する）無線リンク１５２２を介して伝送されるデータとの間の変換デバイスとして機能することができる。
【０１６３】
無線遠隔測定ルータ１５００は、前述した技術を使用してルーティングされることが可能な注意情報、誤り情報、警報情報、および警告情報（「診断情報」）を生成するように構成されることも可能である。この診断情報は、無線遠隔測定ルータ１５００自体において表示され、またはレンダリングされ、さらに／またはネットワークデバイスにおける表示またはレンダリングのためにルーティングされることが可能である。診断情報には、無線遠隔測定ルータ１５００の動作およびステータスと関係する情報、生理学的特性センサ送信機１５０２の動作またはステータスと関係する情報、ネットワークデバイスの動作またはステータスと関係する情報、あるいは前段でより詳細に説明される通知、警告、警報、またはステータスレポートのいずれかが含まれることが可能であるが、これらに限定されるものではない。
【０１６４】
少なくとも１つの例示的な実施形態が、以上の詳細な説明において提示されてきたが、膨大な数の変種が存在することを理解されたい。また、本明細書で説明される例示的な実施形態および諸実施形態は、本発明の範囲、適用可能性、または構成を限定することをまったく意図していないことも理解されたい。むしろ、以上の詳細な説明は、説明される実施形態または諸実施形態を実施するための便利なロードマップを当業者に提供する。本発明の範囲を逸脱することなく、要素の機能および構成の様々な変更が行われることが可能であり、ただし、本特許出願を出願した時点における、知られている等価物の範囲、および予見できる等価物の範囲を含む本発明の範囲は、特許請求の範囲によって規定されることを理解されたい。
【図面の簡単な説明】
【０１６５】
【図１】本発明の例示的な実施形態に従って構成されたネットワークベースの注入システムを示す概略図である。
【図２】本発明の例示的な実施形態に従って構成された臨床注入システムモニタを示す正面図である。
【図３】本発明の例示的な実施形態に従って構成された病院注入システムモニタを示す正面図である。
【図４Ａ】本発明の例示的な実施形態に従って構成されたハンドヘルド注入システムモニタ／コントローラを示す正面図である。
【図４Ｂ】本発明の例示的な実施形態に従って構成されたハンドヘルド注入システムモニタ／コントローラを示す正面図である。
【図５】本発明の例示的な実施形態に従って構成された注入システムモニタを示す概略図である。
【図６】図５に示される注入システムモニタで使用するのに適したネットワークインターフェースを示す概略図である。
【図７】図５に示される注入システムモニタで使用するのに適したネットワーク通信モジュールを示す概略図である。
【図８】本発明の例示的な実施形態に従って構成されたネットワークベースの注入システムを示す概略図である。
【図９】例示的なネットワークベースの注入システム監視プロセスを表す流れ図である。
【図１０】例示的なネットワークベースの注入システム通信プロセスを表す流れ図である。
【図１１】例示的なネットワークベースの注入ポンプ監視／制御プロセスを表す流れ図である。
【図１２】本発明の例示的な実施形態に従って構成されたモニタデバイス、コントローラデバイス、ネットワークデバイス、ディスプレイデバイス、および／または他の注入システムデバイスによって生成されることが可能なスクリーンショットである。
【図１３】本発明の例示的な実施形態に従って構成されたモニタデバイス、コントローラデバイス、ネットワークデバイス、ディスプレイデバイス、および／または他の注入システムデバイスによって生成されることが可能なスクリーンショットである。
【図１４】本発明の例示的な実施形態に従って構成されたモニタデバイス、コントローラデバイス、ネットワークデバイス、ディスプレイデバイス、および／または他の注入システムデバイスによって生成されることが可能なスクリーンショットである。
【図１５】本発明の例示的な実施形態に従って構成されたモニタデバイス、コントローラデバイス、ネットワークデバイス、ディスプレイデバイス、および／または他の注入システムデバイスによって生成されることが可能なスクリーンショットである。
【図１６】本発明の例示的な実施形態に従って構成されたモニタデバイス、コントローラデバイス、ネットワークデバイス、ディスプレイデバイス、および／または他の注入システムデバイスによって生成されることが可能なスクリーンショットである。
【図１７】本発明の例示的な実施形態に従って構成されたモニタデバイス、コントローラデバイス、ネットワークデバイス、ディスプレイデバイス、および／または他の注入システムデバイスによって生成されることが可能なスクリーンショットである。
【図１８】本発明の例示的な実施形態に従って構成されたデータ通信変換デバイスを示す斜視図である。
【図１９】本発明の例示的な実施形態に従って構成されたデータ通信変換デバイスを示す概略図である。
【図２０Ａ】例示的なデータ格納および変換プロセスを表す流れ図である。
【図２０Ｂ】例示的なデータ格納および変換プロセスを表す流れ図である。
【図２０Ｃ】例示的なデータ格納および変換プロセスを表す流れ図である。
【図２１】本発明の例示的な実施形態に従って構成された無線遠隔測定ルータの例示的なネットワーク配置を示す概略図である。
【図１】
2009535715.tif 000003
【図２】
2009535715.tif 000004
【図３】
2009535715.tif 000005
【図４Ａ】
2009535715.tif 000006
【図４Ｂ】
2009535715.tif 000007
【図５】
2009535715.tif 000008
【図６】
2009535715.tif 000009
【図７】
2009535715.tif 000010
【図８】
2009535715.tif 000011
【図９】
2009535715.tif 000012
【図１０】
2009535715.tif 000013
【図１１】
2009535715.tif 000014
【図１２】
2009535715.tif 000015
【図１３】
2009535715.tif 000016
【図１４】
2009535715.tif 000017
【図１５】
2009535715.tif 000018
【図１６】
2009535715.tif 000019
【図１７】
2009535715.tif 000020
【図１８】
2009535715.tif 000021
【図１９】
2009535715.tif 000022
【図２０Ａ】
2009535715.tif 000023
【図２０Ｂ】
2009535715.tif 000024
【図２０Ｃ】
2009535715.tif 000025
【図２１】
2009535715.tif 000026
【国際調査報告】
2009535715.tif 000027
2009535715.tif 000028